(57)【要約】ワイヤレス送受信ユニット（ＷＴＲＵ）は、物理ランダムアクセスチャネル（ＰＲＡＣＨ）を使用してプリアンブルを送信することができ、ＰＲＡＣＨのパラメータに基づいてランダムアクセス応答（ＲＡＲ）の位置を決定することができる。この位置は、ＲＡＲが送信されるサブフレームおよび／または周波数リソースを含むことができる。ＲＡＲは、その位置で受信され得る。デバイスは、ＷＴＲＵのカバレッジ拡張（ＣＥ）レベルおよび／またはＣＥモードに関連付けられたＰＲＡＣＨを使用してプリアンブルを受信することができる。デバイスは、ＰＲＡＣＨのパラメータに基づいてＲＡＲの位置を決定することができる。この位置は、ＲＡＲが送信されるサブフレームおよび／または周波数リソースを含むことができる。デバイスは、ＣＥレベルまたはＣＥモードに基づいて送信するために、ＲＡＲの反復の数を決定することができる。ＲＡＲは、決定された反復の数を使用して、その位置で送信され得る。
2017530605.tif 000002
【特許請求の範囲】
【請求項１】
ネットワーク内で通信を提供するための方法であって、
物理ランダムアクセスチャネル（ＰＲＡＣＨ）を使用してプリアンブルを送信するステップと、
前記ＰＲＡＣＨのパラメータに基づいてランダムアクセス応答（ＲＡＲ）の位置を決定するステップであって、前記位置は、前記ＲＡＲが送信されるサブフレームまたは周波数リソースのうちの少なくとも１つを含んでいる、ステップと、
前記決定された位置で前記ＲＡＲを受信するステップと
を備えることを特徴とする方法。
【請求項２】
カバレッジ拡張（ＣＥ）レベルに基づいてＰＲＡＣＨリソースを選択するステップをさらに備えることを特徴とする請求項１に記載の方法。
【請求項３】
前記ＲＡＲを受信するステップは、前記ＣＥレベルの関数として決定される応答ウィンドウ内で実行されることを特徴とする請求項２に記載の方法。
【請求項４】
前記ＰＲＡＣＨの前記パラメータに基づいて前記ＲＡＲの反復の数を決定するステップをさらに備えることを特徴とする請求項１に記載の方法。
【請求項５】
前記ＰＲＡＣＨの前記パラメータは、サブフレーム、前記ＰＲＡＣＨが送信される周波数リソース、または前記プリアンブルのうちの少なくとも１つを含んでいることを特徴とする請求項１に記載の方法。
【請求項６】
前記ＰＲＡＣＨが送信される前記周波数リソースは、少なくとも１つのリソースブロック（ＲＢ）を含んでいることを特徴とする請求項５に記載の方法。
【請求項７】
前記ＲＡＲが送信される前記周波数リソースは、少なくとも１つのリソースブロック（ＲＢ）を含んでいることを特徴とする請求項１に記載の方法。
【請求項８】
インジケーションを受信してランダムアクセス手順を開始するステップと、
前記受信されたインジケーションに基づいて前記プリアンブルを送信するステップとをさらに備えることを特徴とする請求項１に記載の方法。
【請求項９】
前記インジケーションは、物理ダウンリンク制御チャネル（ＰＤＣＣＨ）指令またはカバレッジ拡張（ＣＥ）レベルのうちの少なくとも１つを含んでいることを特徴とする請求項８に記載の方法。
【請求項１０】
前記ＣＥレベルに基づいてＰＲＡＣＨリソースを選択するステップと、前記選択されたＰＲＡＣＨリソースを使用して前記プリアンブルを送信するステップと、前記ＣＥレベルに基づいて前記プリアンブル送信を反復するステップとをさらに備えることを特徴とする請求項９に記載の方法。
【請求項１１】
前記ＰＲＡＣＨパラメータと前記ＲＡＲの位置との間の関係を提供する構成を受信するステップをさらに備えることを特徴とする請求項１に記載の方法。
【請求項１２】
前記構成はシステム情報内で受信されることを特徴とする請求項１１に記載の方法。
【請求項１３】
ネットワーク内の通信を提供するための方法であって、
プリアンブルが受信されるワイヤレス送受信ユニット（ＷＴＲＵ）のカバレッジ拡張（ＣＥ）レベルまたはＣＥモードのうちの少なくとも１つに関連付けられた物理ランダムアクセスチャネル（ＰＲＡＣＨ）を使用して前記プリアンブルを受信するステップと、
前記ＰＲＡＣＨのパラメータに基づいてランダムアクセス応答（ＲＡＲ）の位置を決定するステップであって、前記位置は、前記ＲＡＲが送信されるサブフレームまたは周波数リソースのうちの少なくとも１つを含んでいる、ステップと、
前記ＣＥレベルまたはＣＥモードに基づいて送信するために、前記ＲＡＲの反復の数を決定するステップと、
前記決定された反復の数を使用して、前記決定された位置で前記ＲＡＲを送信するステップと
を備えることを特徴とする方法。
【請求項１４】
前記ＷＴＲＵに関するＣＥ情報を、進化型ノードＢ（ｅＮＢ）デバイスまたはモビリティ管理エンティティ（ＭＭＥ）デバイスのうちの少なくとも１つに提供するステップをさらに備えることを特徴とする請求項１３に記載の方法。
【請求項１５】
前記ＣＥ情報は、前記ＣＥレベル、前記ＣＥモード、または前記ＣＥモードをサポートするための前記ＷＴＲＵの能力のうちの少なくとも１つを備えることを特徴とする請求項１４に記載の方法。
【請求項１６】
モビリティ管理エンティティ（ＭＭＥ）デバイスからＣＥ情報を受信するステップをさらに備えることを特徴とする請求項１３に記載の方法。
【請求項１７】
ワイヤレス送受信ユニット（ＷＴＲＵ）であって、
トランシーバと、
命令を実行して前記ＷＴＲＵに、
物理ランダムアクセスチャネル（ＰＲＡＣＨ）を使用してプリアンブルを送信することと、
前記ＰＲＡＣＨのパラメータに基づいてランダムアクセス応答（ＲＡＲ）の位置を決定することであって、前記位置は、前記ＲＡＲが送信されるサブフレームまたは周波数リソースのうちの少なくとも１つを含んでいる、決定することと、
前記決定された位置で前記ＲＡＲを受信することと
を行わせるためのプロセッサと
を備えたことを特徴とする、ＷＴＲＵ。
【請求項１８】
前記プロセッサは、カバレッジ拡張（ＣＥ）レベルに基づいてＰＲＡＣＨリソースを選択するように構成されたことを特徴とする請求項１７に記載のＷＴＲＵ。
【請求項１９】
前記プロセッサは、前記ＰＲＡＣＨの前記パラメータに基づいて前記ＲＡＲの反復の数を決定するように構成されたことを特徴とする請求項１７に記載のＷＴＲＵ。
【請求項２０】
前記ＰＲＡＣＨの前記パラメータは、サブフレーム、前記ＰＲＡＣＨが送信される周波数リソース、または前記プリアンブルのうちの少なくとも１つを含んでいることを特徴とする請求項１７に記載のＷＴＲＵ。
【請求項２１】
前記ＰＲＡＣＨが送信される前記周波数リソースは、少なくとも１つのリソースブロック（ＲＢ）を含んでいることを特徴とする請求項２０に記載のＷＴＲＵ。
【請求項２２】
前記ＲＡＲが送信される前記周波数リソースは、少なくとも１つのリソースブロック（ＲＢ）を含んでいることを特徴とする請求項１７に記載のＷＴＲＵ。
【請求項２３】
進化型ノードＢ（ｅＮＢ）デバイスであって、
トランシーバと、
命令を実行して前記ｅＮＢデバイスに、
プリアンブルが受信されるワイヤレス送受信ユニット（ＷＴＲＵ）のカバレッジ拡張（ＣＥ）レベルまたはＣＥモードのうちの少なくとも１つに関連付けられた物理ランダムアクセスチャネル（ＰＲＡＣＨ）を使用して前記プリアンブルを受信することと、
前記ＰＲＡＣＨのパラメータに基づいてランダムアクセス応答（ＲＡＲ）の位置を決定することであって、前記位置は、前記ＲＡＲが送信されるサブフレームまたは周波数リソースのうちの少なくとも１つを含んでいる、決定することと、
前記ＣＥレベルまたはＣＥモードに基づいて送信するために、前記ＲＡＲの反復の数を決定することと、
前記決定された反復の数を使用して、前記決定された位置で前記ＲＡＲを送信することと
を行わせるためのプロセッサと
を備えたことを特徴とするｅＮＢデバイス。
【請求項２４】
前記プロセッサは、前記トランシーバに、前記ＷＴＲＵに関するＣＥ情報を進化型ノードＢ（ｅＮＢ）デバイスまたはモビリティ管理エンティティ（ＭＭＥ）デバイスのうちの少なくとも１つに提供させるように構成されたことを特徴とする請求項２３に記載のｅＮＢデバイス。
【請求項２５】
前記ＣＥ情報は、前記ＣＥレベル、前記ＣＥモード、または前記ＣＥモードをサポートするための前記ＷＴＲＵの能力のうちの少なくとも１つを備えたことを特徴とする請求項２４に記載のｅＮＢデバイス。
【請求項２６】
前記プロセッサは、前記トランシーバに、ＣＥ情報をモビリティ管理エンティティ（ＭＭＥ）デバイスから受信させるように構成されたことを特徴とする請求項２３に記載のｅＮＢデバイス。
【発明の詳細な説明】
【技術分野】
【０００１】
（関連出願への相互参照）
本出願は、２０１４年８月１５日に出願された米国特許仮出願第６２／０３８，１９４号明細書、２０１４年１１月５日に出願された米国特許仮出願第６２／０７５，５５５号明細書、２０１５年４月１７日に出願された米国特許仮出願第６２／１４９，０５３号明細書、２０１５年５月１３日に出願された米国特許仮出願第６２／１６１，２１２号明細書、２０１５年８月１２日に出願された米国特許仮出願第６２／２０４，３４１号明細書の利益を主張する。
【背景技術】
【０００２】
カバレッジ拡張ワイヤレス送受信ユニット（ＷＴＲＵ：Ｗｉｒｅｌｅｓｓ  Ｔｒａｎｓｍｉｔ／Ｒｅｃｅｉｖｅ  Ｕｎｉｔ）は、カバレッジ拡張を必要とすること、もしくは使用することができるＷＴＲＵ、またはカバレッジ拡張（ＣＥ：Ｃｏｖｅｒａｇｅ  Ｅｎｈａｎｃｅｍｅｎｔ）モードをサポートすること、もしくは使用することができるＷＴＲＵであることができる。カバレッジが制限されたＷＴＲＵは、カバレッジが拡張されたＷＴＲＵを参照することができ、カバレッジが拡張されたＷＴＲＵがカバレッジが制限されたＷＴＲＵを参照することもできる。
【０００３】
低減帯域幅（ＢＷ：ＢａｎｄＷｉｄｔｈ）ＷＴＲＵは、ＷＴＲＵが通信することができるｅＮＢまたはセルの帯域幅から独立することができる、ダウンリンク（ＤＬ：ＤｏｗｎＬｉｎｋ）および／またはアップリンク（ＵＬ：ＵｐＬｉｎｋ）内の、特定の制限帯域幅（例えばＲＦ帯域幅）またはリソースブロック（ＲＢ：Ｒｅｓｏｕｒｃｅ  Ｂｌｏｃｋｓ）のうちの特定の制限された数をサポートすることができるＷＴＲＵであることができる。例えば、制限帯域幅ＷＴＲＵは、送信および／または受信のために特定の数のＲＢ（例えば６ＲＢ）または帯域幅（例えば１．４ＭＨｚ）をサポートすることができる。そのようなＷＴＲＵは、帯域幅がさらに大きくなる（例えば２０ＭＨｚまたは１００ＲＢ）ことがあるｅＮＢまたはセルと通信することができる。このＷＴＲＵは、セルの全帯域幅の一部で動作するための手順を使用することができる。「低減帯域幅」、「制限帯域幅」、および「帯域幅が制限された」は、交換可能なように使用されることができる。
【発明の概要】
【０００４】
ＰＲＡＣＨリソースの割り当ておよびランダムアクセスの手順が、カバレッジが制限されること、および／または帯域幅が制限されることができるＷＴＲＵに提供されることができる。カバレッジが制限されたＷＴＲＵに（例えばｅＮＢによって）割り当てられることができるＰＲＡＣＨリソースの一部（例えば全部）は、帯域幅が制限されたＷＴＲＵによってサポートされることができる帯域幅内に配置されることができる。カバレッジが制限されること、および帯域幅が制限されることが両方ともできるＷＴＲＵは、ｅＮＢへのＰＲＡＣＨ送信のために、１または複数のＰＲＡＣＨリソースから選択すること、および／またはそのようなＰＲＡＣＨリソースを使用することができる。カバレッジ制限の１または複数（例えば全部）のレベルごとに割り当られること、または指定されることができるＰＲＡＣＨリソースは、カバレッジが制限されること、および帯域幅が制限されることができるＷＴＲＵによって使用されることができるサブセットを含むことができる。
【０００５】
ＰＲＡＣＨリソースは、カバレッジが制限されること、および帯域幅が制限されることが両方ともできるＷＴＲＵに割り当てられること、または指定されることができる。カバレッジが制限されること、および帯域幅が制限されることが両方ともできるＷＴＲＵは、ｅＮＢへのＰＲＡＣＨ送信のために、それらの割り当てられた、または指定されたＰＲＡＣＨリソースから選択すること、および／またはそのようなＰＲＡＣＨリソースを使用することができる。ＰＲＡＣＨリソース（例えば、プリアンブル、時間、および／または周波数のうちの１または複数によって区別されることができる）は、さまざまなレベルのカバレッジ制限に割り当てられること、および／または使用されることができる。
【０００６】
ＷＴＲＵは、ＰＲＡＣＨを使用してプリアンブルを送信することができ、ＰＲＡＣＨのパラメータ（ＲＡＲが送信されるサブフレームまたは周波数リソースのうちの少なくとも１つを含んでいる位置）に基づいてランダムアクセス応答（ＲＡＲ：Ｒａｎｄｏｍ  Ａｃｃｅｓｓ  Ｒｅｓｐｏｎｓｅ）の位置を決定することができる。ＷＴＲＵは、決定された位置でＲＡＲを受信することができる。
【０００７】
デバイスは、プリアンブルの送信元であるＷＴＲＵのカバレッジ拡張（ＣＥ）レベルまたはＣＥモードのうちの少なくとも１つに関連付けられたＰＲＡＣＨを使用してプリアンブルを受信することができる。デバイスは、ＰＲＡＣＨのパラメータに基づいてＲＡＲの位置を決定することができる。この位置は、ＲＡＲが送信されるサブフレームまたは周波数リソースのうちの少なくとも１つを含むことができる。デバイスは、ＣＥレベルまたはＣＥモードに基づいて送信するために、ＲＡＲの反復の数を決定することができる。デバイスは、決定された反復の数を使用して、決定された位置でＲＡＲを送信することができる。
【図面の簡単な説明】
【０００８】
【図１Ａ】１または複数の開示された実施形態が実装されることができる通信システムの例を示すシステム図である。
【図１Ｂ】図１Ａに示された通信システム内で使用されることができるワイヤレス送受信ユニット（ＷＴＲＵ）の例を示すシステム図である。
【図１Ｃ】図１Ａに示された通信システム内で使用されることができる無線アクセスネットワークの例およびコアネットワークの例を示すシステム図である。
【図１Ｄ】図１Ａに示された通信システム内で使用されることができる無線アクセスネットワークの別の例およびコアネットワークの別の例を示すシステム図である。
【図１Ｅ】図１Ａに示された通信システム内で使用されることができる無線アクセスネットワークの別の例およびコアネットワークの別の例を示すシステム図である。
【図２】ＷＴＲＵによるプリアンブル送信およびＲＡＲ受信の例を示す図である。
【図３Ａ】ＷＴＲＵによるプリアンブル送信およびＲＡＲ受信の例を示す図である。
【図３Ｂ】ＲＡ構成の例を示す図である。
【図４Ａ】ＷＴＲＵによるプリアンブル送信およびＲＡＲ受信の例を示す図である。
【図４Ｂ】ＲＡ構成の例を示す図である。
【図５】プリアンブル受信およびＲＡＲ送信の例を示す図である。
【発明を実施するための形態】
【０００９】
ここでさまざまな図を参照して、実施形態例の詳細な説明がなされる。この説明は可能な実装の詳細な例を提供するが、それらの詳細は例示が意図されており、本出願の範囲を全く制限しないということに注意する必要がある。
【００１０】
図１Ａは、１または複数の開示された実施形態が実装されることができる通信システム１００の例を示す図である。通信システム１００は、音声、データ、ビデオ、メッセージング、ブロードキャストなどのコンテンツを複数のワイヤレスユーザに提供する多重アクセスシステムであることができる。通信システム１００は、複数のワイヤレスユーザが、ワイヤレス帯域幅を含むシステムリソースを共有することによって、そのようなコンテンツにアクセスできるようにすることができる。例えば、通信システム１００では、符号分割多重アクセス（ＣＤＭＡ：Ｃｏｄｅ  Ｄｉｖｉｓｉｏｎ  Ｍｕｌｔｉｐｌｅ  Ａｃｃｅｓｓ）、時分割多重アクセス（ＴＤＭＡ：Ｔｉｍｅ  Ｄｉｖｉｓｉｏｎ  Ｍｕｌｔｉｐｌｅ  Ａｃｃｅｓｓ）、周波数分割多重アクセス（ＦＤＭＡ：Ｆｒｅｑｕｅｎｃｙ  Ｄｉｖｉｓｉｏｎ  Ｍｕｌｔｉｐｌｅ  Ａｃｃｅｓｓ）、直交ＦＤＭＡ（ＯＦＤＭＡ：Ｏｒｔｈｏｇｏｎａｌ  ＦＤＭＡ）、シングルキャリアＦＤＭＡ（ＳＣ−ＦＤＭＡ：Ｓｉｎｇｌｅ−Ｃａｒｒｉｅｒ  ＦＤＭＡ）などの、１または複数のチャネルアクセス方法を採用することができる。
【００１１】
図１Ａに示されるように、通信システム１００は、ワイヤレス送受信ユニット（ＷＴＲＵ）１０２ａ、１０２ｂ、１０２ｃ、および／または１０２ｄ（一般に、または総称してＷＴＲＵ１０２と呼ばれることができる）、無線アクセスネットワーク（ＲＡＮ：Ｒａｄｉｏ  Ａｃｃｅｓｓ  Ｎｅｔｗｏｒｋ）１０３／１０４／１０５、コアネットワーク１０６／１０７／１０９、公衆交換電話網（ＰＳＴＮ：Ｐｕｂｌｉｃ  Ｓｗｉｔｃｈｅｄ  Ｔｅｌｅｐｈｏｎｅ  ｎｅｔｗｏｒｋ）１０８、インターネット１１０、ならびに他のネットワーク１１２を含むことができるが、開示された実施形態が、任意の数のＷＴＲＵ，基地局、ネットワーク、および／またはネットワーク要素を企図していると理解されるであろう。ＷＴＲＵ１０２ａ、１０２ｂ、１０２ｃ、１０２ｄはそれぞれ、ワイヤレス環境内で動作する、および／または通信するように構成された任意の種類のデバイスであることができる。例えば、ＷＴＲＵ１０２ａ、１０２ｂ、１０２ｃ、１０２ｄは、ワイヤレス信号を送信する、および／または受信するように構成されることができ、ユーザ機器（ＵＥ：Ｕｓｅｒ  Ｅｑｕｉｐｍｅｎｔ）、移動局、固定または移動加入者ユニット、ポケットベル、携帯電話、パーソナルデジタルアシスタント（ＰＤＡ：Ｐｅｒｓｏｎａｌ  Ｄｉｇｉｔａｌ  Ａｓｓｉｓｔａｎｔ）、スマートフォン、ラップトップ、ネットブック、パーソナルコンピュータ、ワイヤレスセンサ、コンシューマエレクトロニクスなどを含むことができる。
【００１２】
通信システム１００は、基地局１１４ａおよび基地局１１４ｂも含むこともできる。基地局１１４ａ、１１４ｂはそれぞれ、コアネットワーク１０６／１０７／１０９、インターネット１１０、および／またはネットワーク１１２などの１または複数の通信ネットワークへのアクセスを容易にするために、ＷＴＲＵ１０２ａ、１０２ｂ、１０２ｃ、１０２ｄのうちの少なくとも１つとワイヤレスでインターフェイスをとるように構成された任意の種類のデバイスであることができる。例えば、基地局１１４ａ、基地局１１４ｂは、ベーストランシーバ基地局（ＢＴＳ：Ｂａｓｅ  Ｔｒａｎｓｃｅｉｖｅｒ  Ｓｔａｔｉｏｎ）、ノードＢ、ｅＮｏｄｅ  Ｂ、ホームノードＢ、ホームｅＮｏｄｅ  Ｂ、サイトコントローラ、アクセスポイント（ＡＰ）、ワイヤレスルータなどであることができる。基地局１１４ａ、基地局１１４ｂは、それぞれ単一の要素として示されているが、基地局１１４ａ、基地局１１４ｂが任意の数の相互接続された基地局および／またはネットワーク要素を含むことができると理解されるであろう。
【００１３】
基地局１１４ａは、ＲＡＮ１０３／１０４／１０５の一部であることができ、ＲＡＮ１０３／１０４／１０５は、その他の基地局、および／または、基地局コントローラ（ＢＳＣ：Ｂａｓｅ  Ｓｔａｔｉｏｎ  Ｃｏｎｔｒｏｌｌｅｒ）、無線ネットワークコントローラ（ＲＮＣ：Ｒａｄｉｏ  Ｎｅｔｗｏｒｋ  Ｃｏｎｔｒｏｌｌｅｒ）、中継ノードなどのネットワーク要素（図示せず）も含むことができる。基地局１１４ａおよび／または基地局１１４ｂは、特定の地理的領域内（セル（図示せず）と呼ばれることがある）のワイヤレス信号を送信および／または受信するように構成されることができる。セルは、セルセクタにさらに分割されることができる。例えば、基地局１１４ａに関連付けられたセルが、３つのセクタに分割されることができる。したがって、一実施形態では、基地局１１４ａは３つのトランシーバ（例えば、セルのセクタごとに１つ）を含むことができる。別の実施形態では、基地局１１４ａは多入力多出力（ＭＩＭＯ：Ｍｕｌｔｉｐｌｅ−Ｉｎｐｕｔ  Ｍｕｌｔｉｐｌｅ  Ｏｕｔｐｕｔ）技術を採用することができ、したがって、セルのセクタごとに複数のトランシーバを利用することができる。
【００１４】
基地局１１４ａ、１１４ｂは、エアインターフェイス１１５／１１６／１１７を経由してＷＴＲＵ１０２ａ、１０２ｂ、１０２ｃ、１０２ｄのうちの１または複数と通信することができ、エアインターフェイス１１５／１１６／１１７は任意の適切なワイヤレス通信リンク（例えば、無線周波数（ＲＦ）、マイクロ波、赤外線（ＩＲ）、紫外線（ＵＶ）、可視光線など）であってよい。エアインターフェイス１１５／１１６／１１７は、任意の適切な無線アクセス技術（ＲＡＴ：Ｒａｄｉｏ  Ａｃｃｅｓｓ  Ｔｅｃｈｎｏｌｏｇｙ）を使用して確立されることができる。
【００１５】
さらに具体的には、前述したように、通信システム１００は多重アクセスシステムであることができ、ＣＤＭＡ、ＴＤＭＡ、ＦＤＭＡ、ＯＦＤＭＡ、ＳＣ−ＦＤＭＡなどの１または複数のチャネルアクセス方式を採用することができる。例えば、ＲＡＮ１０３／１０４／１０５内の基地局１１４ａおよびＷＴＲＵ１０２ａ、１０２ｂ、１０２ｃは、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）地上波無線アクセス（ＵＴＲＡ：Ｔｅｒｒｅｓｔｒｉａｌ  Ｒａｄｉｏ  Ａｃｃｅｓｓ）などの無線技術を実装することができ、この技術は広帯域ＣＤＭＡ（ＷＣＤＭＡ（登録商標）：Ｗｉｄｅｂａｎｄ  ＣＤＭＡ）を使用してエアインターフェイス１１５／１１６／１１７を確立することができる。ＷＣＤＭＡは、高速パケットアクセス（ＨＳＰＡ：Ｈｉｇｈ−Ｓｐｅｅｄ  Ｐａｃｋｅｔ  Ａｃｃｅｓｓ）および／または進化型ＨＳＰＡ（ＨＳＰＡ＋）などの通信プロトコルを含むことができる。ＨＳＰＡは、高速ダウンリンクパケットアクセス（ＨＳＤＰＡ：Ｈｉｇｈ−Ｓｐｅｅｄ  Ｄｏｗｎｌｉｎｋ  Ｐａｃｋｅｔ  Ａｃｃｅｓｓ）および／または高速アップリンクパケットアクセス（ＨＳＵＰＡ：Ｈｉｇｈ−Ｓｐｅｅｄ  Ｕｐｌｉｎｋ  Ｐａｃｋｅｔ  Ａｃｃｅｓｓ）を含むことができる。
【００１６】
別の実施形態では、基地局１１４ａおよびＷＴＲＵ１０２ａ、１０２ｂ、１０２ｃは、進化型ＵＭＴＳ地上波無線アクセス（Ｅ−ＵＴＲＡ：Ｅｖｏｌｖｅｄ  ＵＭＴＳ  Ｔｅｒｒｅｓｔｒｉａｌ  Ｒａｄｉｏ  Ａｃｃｅｓｓ）などの無線技術を実装することができ、ロングタームエボリューション（ＬＴＥ：Ｌｏｎｇ  Ｔｅｒｍ  Ｅｖｏｌｕｔｉｏｎ）および／またはＬＴＥ−アドバンスド（ＬＴＥ−Ａ：ＬＴＥ−Ａｄｖａｎｃｅｄ）を使用してエアインターフェイス１１５／１１６／１１７を確立することができる。
【００１７】
他の実施形態では、基地局１１４ａおよびＷＴＲＵ１０２ａ、１０２ｂ、１０２ｃは、ＩＥＥＥ８０２．１６（例えばワールドワイドインターオペラビリティフォーマイクロウェーブアクセス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ））、ＣＤＭＡ２０００、ＣＤＭＡ２０００  １Ｘ、ＣＤＭＡ２０００  ＥＶ−ＤＯ、暫定基準２０００（ＩＳ−２０００）、暫定基準９５（ＩＳ−９５）、暫定基準８５６（ＩＳ−８５６）、グローバルシステムフォーモバイルコミュニケーション（ＧＳＭ（登録商標）：Ｇｌｏｂａｌ  Ｓｙｓｔｅｍ  ｆｏｒ  Ｍｏｂｉｌｅ  Ｃｏｍｍｕｎｉｃａｔｉｏｎｓ）、エンハンスドデータレートフォーＧＳＭエボリューション（ＥＤＧＥ：Ｅｎｈａｎｃｅｄ  Ｄａｔａ  ｒａｔｅｓ  ｆｏｒ  ＧＳＭ  Ｅｖｏｌｕｔｉｏｎ）、ＧＳＭ  ＥＤＧＥ（ＧＥＲＡＮ）などの無線技術を実装することができる。
【００１８】
図１Ａの基地局１１４ｂは、例えばワイヤレスルータ、ホームノードＢ、ホームｅＮｏｄｅ  Ｂ、またはアクセスポイントであることができ、ビジネスの場所、家庭、車両、キャンパスなどの局所化された領域内でのワイヤレス接続を容易にするために、任意の適切なＲＡＴを利用することができる。一実施形態では、基地局１１４ｂおよびＷＴＲＵ１０２ｃ、１０２ｄは、ワイヤレスローカルエリアネットワーク（ＷＬＡＮ：ｗｉｒｅｌｅｓｓ  ｌｏｃａｌ  ａｒｅａ  ｎｅｔｗｏｒｋ）を確立するために、ＩＥＥＥ８０２．１．１などの無線技術を実装することができる。別の実施形態では、基地局１１４ｂおよびＷＴＲＵ１０２ｃ、１０２ｄは、ワイヤレスパーソナルエリアネットワーク（ＷＰＡＮ）を確立するために、ＩＥＥＥ８０２．１５などの無線技術を実装することができる。さらに別の実施形態では、基地局１１４ｂおよびＷＴＲＵ１０２ｃ、１０２ｄは、ピコセルまたはフェムトセルを確立するために、セルラーベースのＲＡＴ（例えば、ＷＣＤＭＡ、ＣＤＭＡ２０００、ＧＳＭ、ＬＴＥ、ＬＴＥ−Ａなど）を利用することができる。図１Ａに示されているように、基地局１１４ｂは、インターネット１１０に直接接続することができる。したがって、基地局１１４ｂは、コアネットワーク１０６／１０７／１０９を介してインターネット１１０にアクセスすることを必要とされないことがある。
【００１９】
ＲＡＮ１０３／１０４／１０５は、コアネットワーク１０６／１０７／１０９と通信することができ、コアネットワーク１０６／１０７／１０９は、ＷＴＲＵ１０２ａ、１０２ｂ、１０２ｃ、１０２ｄのうちの１または複数に音声、データ、アプリケーション、および／またはボイスオーバーインターネットプロトコル（ＶｏＩＰ：Ｖｏｉｃｅ  ｏｖｅｒ  Ｉｎｔｅｒｎｅｔ  Ｐｒｏｔｏｃｏｌ）サービスを提供するように構成された任意の種類のネットワークであることができる。例えば、コアネットワーク１０６／１０７／１０９は、呼び出し制御、請求サービス、モバイルロケーションベースサービス、プリペイドコーリング、インターネット接続、ビデオ配信などを提供すること、および／またはユーザ認証などの高度なセキュリティ機能を実行することができる。図１Ａに示されていないが、ＲＡＮ１０３／１０４／１０５および／またはコアネットワーク１０６／１０７／１０９は、ＲＡＮ１０３／１０４／１０５と同じＲＡＴまたは異なるＲＡＴを採用している他のＲＡＮと、直接的または間接的に通信できると理解されるであろう。例えば、コアネットワーク１０６／１０７／１０９は、Ｅ−ＵＴＲＡＮ無線技術を利用することができるＲＡＮ１０３／１０４／１０５に接続されることに加えて、ＧＳＭ無線技術を採用している別のＲＡＮ（図示せず）と通信することもできる。
【００２０】
コアネットワーク１０６／１０７／１０９は、ＷＴＲＵ１０２ａ、１０２ｂ、１０２ｃ、１０２ｄがＰＳＴＮ１０８、インターネット１１０、および／または他のネットワーク１１２にアクセスするためのゲートウェイとして機能することもできる。ＰＳＴＮ１０８は、基本電話サービス（ＰＯＴＳ：Ｐｌａｉｎ  Ｏｌｄ  Ｔｅｌｅｐｈｏｎｅ  ｓｅｒｖｉｃｅ）を提供する回線交換電話網を含むことができる。インターネット１１０は、ＴＣＰ／ＩＰインターネットプロトコル群における伝送制御プロトコル（ＴＣＰ：Ｔｒａｎｓｍｉｓｓｉｏｎ  Ｃｏｎｔｒｏｌ  Ｐｒｏｔｏｃｏｌ）、ユーザデータグラムプロトコル（ＵＤＰ：Ｕｓｅｒ  Ｄａｔａｇｒａｍ  Ｐｒｏｔｏｃｏｌ）、およびインターネットプロトコル（ＩＰ：Ｉｎｔｅｒｎｅｔ  Ｐｒｏｔｏｃｏｌ）などの共通の通信プロトコルを使用する、相互接続されたコンピュータネットワークおよびデバイスのグローバルシステムを含むことができる。ネットワーク１１２は、他のサービスプロバイダによって所有される、および／または運用されるワイヤードまたはワイヤレス通信ネットワークを含むことができる。例えば、ネットワーク１１２は、ＲＡＮ１０３／１０４／１０５と同じＲＡＴまたは異なるＲＡＴを採用することができる１または複数のＲＡＮに接続された別のコアネットワークを含むことができる。
【００２１】
通信システム１００内のＷＴＲＵ１０２ａ、１０２ｂ、１０２ｃ、１０２ｄの一部または全部は、マルチモード能力を含むことができ、例えば、ＷＴＲＵ１０２ａ、１０２ｂ、１０２ｃ、１０２ｄは、異なるワイヤレスリンクを経由してさまざまなワイヤレスネットワークと通信するために、複数のトランシーバを含むことができる。例えば、図１Ａに示されているＷＴＲＵ１０２ｃは、セルラーベースの無線技術を採用することができる基地局１１４ａ、およびＩＥＥＥ  ８０２無線技術を採用することができる基地局１１４ｂと通信するように構成されることができる。
【００２２】
図１Ｂは、ＷＴＲＵ１０２の例を示すシステム図である。図１Ｂに示されているように、ＷＴＲＵ１０２は、プロセッサ１１８、トランシーバ１２０、送受信要素１２２、スピーカ／マイクロフォン１２４、キーパッド１２６、ディスプレイ／タッチパッド１２８、取り外し不能メモリ１３０、取り外し可能メモリ１３２、電源１３４、全地球測位システム（ＧＰＳ：Ｇｌｏｂａｌ  Ｐｏｓｉｔｉｏｎｉｎｇ  Ｓｙｓｔｅｍ）チップセット１３６、およびその他の周辺機器１３８を含むことができる。ＷＴＲＵ１０２は、実施形態と一致したままで、前述の要素の任意の部分的組合せを含むことができるということが理解されるであろう。また、実施形態は、基地局１１４ａもしくは１１４ｂ、および／または基地局１１４ａもしくは１１４ｂが表すことができるノード（特に、トランシーバ基地局（ＢＴＳ）、ノードＢ、サイトコントローラ、アクセスポイント（ＡＰ）、ホームノードＢ、進化型ホームノードＢ（ｅＮｏｄｅＢ）、ホーム進化型ノードＢ（ＨｅＮＢまたはＨｅＮｏｄｅＢ）、ホーム進化型ノードＢゲートウェイ、およびプロキシノードなど、ただしこれらに限定されない）が、図１Ｂおよび本明細書に記載された要素の一部または全部を含むことができることを企図している。
【００２３】
プロセッサ１１８は、汎用プロセッサ、専用プロセッサ、従来型プロセッサ、デジタル信号プロセッサ（ＤＳＰ：Ｄｉｇｉｔａｌ  Ｓｉｇｎａｌ  Ｐｒｏｃｅｓｓｏｒ）、複数のマイクロプロセッサ、ＤＳＰコアに関連する１または複数のマイクロプロセッサ、コントローラ、マイクロコントローラ、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）回路、任意のその他の種類の集積回路（ＩＣ：Ｉｎｔｅｇｒａｔｅｄ  Ｃｉｒｃｕｉｔ）、状態マシンなどであることができる。プロセッサ１１８は、信号符号化、データ処理、電力制御、入出力処理、および／またはＷＴＲＵ１０２がワイヤレス環境内で動作できるようにする任意のその他の機能を実行することができる。プロセッサ１１８は、送受信要素１２２に結合されることができるトランシーバ１２０に結合されることができる。図１Ｂはプロセッサ１１８およびトランシーバ１２０を別々のコンポーネントとして示しているが、プロセッサ１１８およびトランシーバ１２０が電子パッケージまたはチップに一緒に統合されることができるということが理解されるであろう。プロセッサ１１８などのプロセッサは、統合されたメモリを含むことができる（例えば、ＷＴＲＵ１０２はプロセッサおよび関連するメモリを含んでいるチップセットを含むことができる）。メモリは、プロセッサ（例えば、プロセッサ１１８）と統合されたメモリ、または別の方法でデバイス（例えば、ＷＴＲＵ１０２）に関連付けられたメモリを参照することができる。メモリは、非一時的メモリであることができる。メモリは、プロセッサによって実行されることができる命令（例えば、ソフトウェアおよび／またはファームウェア命令）を含む（例えば、格納する）ことができる。例えば、メモリは、実行されると本明細書に記載された実装の１または複数をプロセッサに実施させることができる命令を含むことができる。
【００２４】
送受信要素１２２は、エアインターフェイス１１５／１１６／１１７を経由して基地局（例えば基地局１１４ａ）に信号を送信、または基地局から信号を受信するように構成されることができる。例えば、一実施形態では、送受信要素１２２はＲＦ信号を送信および／または受信するように構成されたアンテナであることができる。別の実施形態では、送受信要素１２２は、例えばＩＲ信号、ＵＶ信号、または可視光線信号を送信および／または受信するように構成されたエミッタ／検出器であることができる。さらに別の実施形態では、送受信要素１２２は、ＲＦ信号および光信号の両方を送信および受信するように構成されることができる。送受信要素１２２は、ワイヤレス信号の任意の組合せを送信および／または受信するように構成されることができると理解されるであろう。
【００２５】
加えて、図１Ｂでは送受信要素１２２が単一の要素として示されているが、ＷＴＲＵ１０２は任意の数の送受信要素１２２を含むことができる。さらに具体的には、ＷＴＲＵ１０２はＭＩＭＯ技術を採用することができる。したがって、一実施形態では、ＷＴＲＵ１０２は、エアインターフェイス１１５／１１６／１１７を経由してワイヤレス信号を送信および受信するために、２以上の送受信要素１２２（例えば複数のアンテナ）を含むことができる。
【００２６】
トランシーバ１２０は、送受信要素１２２によって送信される信号を変調するように構成されること、および送受信要素１２２によって受信される信号を復調するように構成されることができる。前述したように、ＷＴＲＵ１０２は、マルチモード能力を備えることができる。したがって、トランシーバ１２０は、ＷＴＲＵ１０２が複数のＲＡＴ（例えばＵＴＲＡおよびＩＥＥＥ  ８０２．１１など）を介して通信できるようにするために、複数のトランシーバを含むことができる。
【００２７】
ＷＴＲＵ１０２のプロセッサ１１８は、スピーカ／マイクロフォン１２４、キーパッド１２６、および／またはディスプレイ／タッチパッド１２８（例えば液晶ディスプレイ（ＬＣＤ：Ｌｉｑｕｉｄ  Ｃｒｙｓｔａｌ  Ｄｉｓｐｌａｙ）表示ユニットまたは有機発光ダイオード（ＯＬＥＤ：ｏｒｇａｎｉｃ  ｌｉｇｈｔ−ｅｍｉｔｔｉｎｇ  ｄｉｏｄｅ）表示ユニット）に結合されることができ、これらからユーザ入力データを受信することができる。プロセッサ１１８は、ユーザデータをスピーカ／マイクロフォン１２４、キーパッド１２６、および／またはディスプレイ／タッチパッド１２８に出力することもできる。加えて、プロセッサ１１８は、取り外し不能メモリ１３０、取り外し可能メモリ１３２、および／またはプロセッサ１１８と統合されたメモリなどの任意の種類の適切なメモリからの情報にアクセスすることができ、そのようなメモリにデータを格納することができる。取り外し不能メモリ１３０は、ランダムアクセスメモリ（ＲＡＭ：Ｒａｎｄｏｍ−Ａｃｃｅｓｓ  Ｍｅｍｏｒｙ）、読み取り専用メモリ（ＲＯＭ：Ｒｅａｄ−Ｏｎｌｙ  Ｍｅｍｏｒｙ）、ハードディスク、または任意のその他の種類のメモリストレージデバイスを含むことができる。取り外し可能メモリ１３２は、加入者識別モジュール（ＳＩＭ：Ｓｕｂｓｃｒｉｂｅｒ  Ｉｄｅｎｔｉｔｙ  Ｍｏｄｕｌｅ）カード、メモリスティック、セキュアデジタル（ＳＤ：Ｓｅｃｕｒｅ  Ｄｉｇｉｔａｌ）メモリカードなどを含むことができる。他の実施形態では、プロセッサ１１８は、サーバまたは家庭用コンピュータ（図示せず）上などの、ＷＴＲＵ１０２に物理的に配置されていないメモリからの情報にアクセスすること、およびそのようなメモリにデータを格納することができる。
【００２８】
プロセッサ１１８は、電源１３４から電力を受信することができ、電力をＷＴＲＵ１０２内の他のコンポーネントに分配する、および／または電力を制御するように構成されることができる。電源１３４は、ＷＴＲＵ１０２に電力を供給するための任意の適切なデバイスであることができる。例えば、電源１３４は、１または複数の乾電池（例えばニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、燃料電池などを含むことができる。
【００２９】
プロセッサ１１８は、ＧＰＳチップセット１３６に結合されることもでき、ＧＰＳチップセット１３６は、ＷＴＲＵ１０２の現在の位置に関する位置情報（例えば経度および緯度）を提供するように構成されることができる。ＧＰＳチップセット１３６からの情報に加えて、またはそのような情報の代わりに、ＷＴＲＵ１０２は、エアインターフェイス１１５／１１６／１１７を経由して基地局（例えば基地局１１４ａ、１１４ｂ）から位置情報を受信すること、および／または２以上の近くの基地局から受信される信号のタイミングに基づいてその位置を決定することができる。ＷＴＲＵ１０２は、実施形態に一致したまま、任意の適切な位置決定の実装によって位置情報を取得することができるということが理解されるであろう。
【００３０】
プロセッサ１１８は、他の周辺機器１３８にさらに結合されることができ、これらの周辺機器１３８は、追加の特徴、機能、および／またはワイヤードもしくはワイヤレス接続を提供する、１または複数のソフトウェアおよび／またはハードウェアモジュールを含むことができる。例えば、周辺機器１３８は、加速度計、電子コンパス、衛星トランシーバ、デジタルカメラ（写真用またはビデオ用）、ユニバーサルシリアルバス（ＵＳＢ：Ｕｎｉｖｅｒｓａｌ  Ｓｅｒｉａｌ  Ｂｕｓ）ポート、振動デバイス、テレビトランシーバ、ハンドフリーヘッドセット、Ｂｌｕｅｔｏｏｔｈ（登録商標）モジュール、周波数変調（ＦＭ：Ｆｒｅｑｕｅｎｃｙ  Ｍｏｄｕｌａｔｅｄ）無線ユニット、デジタル音楽プレーヤー、メディアプレーヤー、ビデオゲームプレーヤーモジュール、インターネットブラウザなどを含むことができる。
【００３１】
図１Ｃは、実施形態に従うＲＡＮ１０３およびコアネットワーク１０６のシステム図である。前述したように、ＲＡＮ１０３は、エアインターフェイス１１５を経由してＷＴＲＵ１０２ａ、１０２ｂ、１０２ｃと通信するために、ＵＴＲＡ無線技術を採用することができる。ＲＡＮ１０３は、コアネットワーク１０６と通信することもできる。図１Ｃに示されているように、ＲＡＮ１０３はノードＢ１４０ａ、１４０ｂ、１４０ｃを含むことができ、これらのノードＢは、エアインターフェイス１１５を経由してＷＴＲＵ１０２ａ、１０２ｂ、１０２ｃと通信するために、１または複数のトランシーバをそれぞれ含むことができる。ノードＢ１４０ａ、１４０ｂ、１４０ｃは、ＲＡＮ１０３内の特定のセル（図示せず）にそれぞれ関連付けられることができる。ＲＡＮ１０３は、ＲＮＣ１４２ａ、１４２ｂを含むこともできる。ＲＡＮ１０３は、実施形態に一致しながら、任意の数のノードＢおよびＲＮＣを含むことができるということが理解されるであろう。
【００３２】
図１Ｃに示されているように、ノードＢ１４０ａ、１４０ｂは、ＲＮＣ１４２ａと通信することができる。さらに、ノードＢ１４０ｃはＲＮＣ１４２ｂと通信することができる。ノードＢ１４０ａ、１４０ｂ、１４０ｃは、Ｉｕｂインターフェイスを介してＲＮＣ１４２ａ、１４２ｂそれぞれと通信することができる。ＲＮＣ１４２ａ、１４２ｂは、Ｉｕｒインターフェイスを介して互いに通信することができる。各ＲＮＣ１４２ａ、１４２ｂは、それが接続されている各ノードＢ１４０ａ、１４０ｂ、１４０ｃを制御するように構成されることができる。加えて、各ＲＮＣ１４２ａ、１４２ｂは、外部ループ電力制御、負荷制御、流入制御、パケットスケジューリング、ハンドオーバ制御、マクロダイバーシティ、セキュリティ機能、データ暗号化などのその他の機能を実行またはサポートするように構成されることができる。
【００３３】
図１Ｃに示されたコアネットワーク１０６は、メディアゲートウェイ（ＭＧＷ：Ｍｅｄｉａ  ＧａｔｅＷａｙ）１４４、移動交換局（ＭＳＣ：Ｍｏｂｉｌｅ  Ｓｗｉｔｃｈｉｎｇ  Ｃｅｎｔｅｒ）１４６、サービングＧＰＲＳサポートノード（ＳＧＳＮ：Ｓｅｒｖｉｎｇ  ＧＰＲＳ  Ｓｕｐｐｏｒｔ  Ｎｏｄｅ）１４８、および／またはゲートウェイＧＰＲＳサポートノード（ＧＧＳＮ：Ｇａｔｅｗａｙ  ＧＰＲＳ  Ｓｕｐｐｏｒｔ  Ｎｏｄｅ）１５０を含むことができる。前述の各要素はコアネットワーク１０６の一部として示されているが、それらの要素のいずれかがそのコアネットワークの事業者以外の事業者によって所有されること、および／または運用されることができると理解されるであろう。
【００３４】
ＲＡＮ１０３内のＲＮＣ１４２ａは、ＩｕＣＳインターフェイスを介してコアネットワーク１０６内のＭＳＣ１４６に接続されることができる。ＭＳＣ１４６は、ＭＧＷ１４４に接続されることができる。ＭＳＣ１４６およびＭＧＷ１４４は、ＷＴＲＵ１０２ａ、１０２ｂ、１０２ｃと、従来の固定電話通信デバイスとの間の通信を容易にするために、ＰＳＴＮ１０８などの回線交換網へのアクセスをＷＴＲＵ１０２ａ、１０２ｂ、１０２ｃに提供することができる。
【００３５】
ＲＡＮ１０３内のＲＮＣ１４２ａは、ＩｕＰＳインターフェイスを介してコアネットワーク１０６内のＳＧＳＮ１４８に接続されることもできる。ＳＧＳＮ１４８は、ＧＧＳＮ１５０に接続されることができる。ＳＧＳＮ１４８およびＧＧＳＮ１５０は、ＷＴＲＵ１０２ａ、１０２ｂ、１０２ｃと、ＩＰ対応デバイスとの間の通信を容易にするために、インターネット１１０などのパケット交換網へのアクセスをＷＴＲＵ１０２ａ、１０２ｂ、１０２ｃに提供することができる。
【００３６】
前述したように、コアネットワーク１０６は、他のサービスプロバイダによって所有され、かつ／または運用されるその他のワイヤードまたはワイヤレスネットワークを含むことができるネットワーク１１２に接続されることもできる。
【００３７】
図１Ｄは、実施形態に従うＲＡＮ１０４およびコアネットワーク１０７のシステム図である。前述したように、ＲＡＮ１０４は、エアインターフェイス１１６を経由してＷＴＲＵ１０２ａ、１０２ｂ、１０２ｃと通信するために、Ｅ−ＵＴＲＡ無線技術を採用することができる。ＲＡＮ１０４は、コアネットワーク１０７と通信することもできる。
【００３８】
ＲＡＮ１０４はｅＮｏｄｅ−Ｂ１６０ａ、１６０ｂ、１６０ｃを含むことができるが、ＲＡＮ１０４が、実施形態に一致したまま任意の数のｅＮｏｄｅ−Ｂを含むことができると理解されるであろう。ｅＮｏｄｅ−Ｂ１６０ａ、１６０ｂ、１６０ｃは、エアインターフェイス１１６を経由してＷＴＲＵ１０２ａ、１０２ｂ、１０２ｃと通信するために、１または複数のトランシーバをそれぞれ含むことができる。一実施形態では、ｅＮｏｄｅ−Ｂ１６０ａ、１６０ｂ、１６０ｃがＭＩＭＯ技術を実装することができる。したがって、ｅＮｏｄｅ−Ｂ１６０ａは、例えば複数のアンテナを使用して、ＷＴＲＵ１０２ａとの間でワイヤレス信号を送信および受信することができる。
【００３９】
各ｅＮｏｄｅ−Ｂ１６０ａ、１６０ｂ、１６０ｃは、特定のセル（図示せず）に関連付けられることができ、無線リソース管理決定、ハンドオーバ決定、アップリンクおよび／またはダウンリンク内のユーザのスケジューリングなどを処理するように構成されることができる。図１Ｄに示されているように、ｅＮｏｄｅ−Ｂ１６０ａ、１６０ｂ、１６０ｃは、Ｘ２インターフェイスを経由して互いに通信することができる。
【００４０】
図１Ｄに示されているコアネットワーク１０７は、モビリティ管理ゲートウェイ（ＭＭＥ：Ｍｏｂｉｌｉｔｙ  Ｍａｎａｇｅｍｅｎｔ  Ｇａｔｅｗａｙ）１６２、サービングゲートウェイ１６４、およびパケットデータネットワーク（ＰＤＮ：Ｐａｃｋｅｔ  Ｄａｔａ  Ｎｅｔｗｏｒｋ）ゲートウェイ１６６を含むことができる。前述の各要素はコアネットワーク１０７の一部として示されているが、それらの要素のいずれかがそのコアネットワークの事業者以外の事業者によって所有されること、および／または運用されることができると理解されるであろう。
【００４１】
ＭＭＥ１６２は、Ｓ１インターフェイスを介してＲＡＮ１０４内の各ｅＮｏｄｅ−Ｂ１６０ａ、１６０ｂ、１６０ｃに接続されることができ、制御ノードとして機能することができる。例えば、ＭＭＥ１６２は、ＷＴＲＵ１０２ａ、１０２ｂ、１０２ｃのユーザの認証、ベアラのアクティブ化／非アクティブ化、ＷＴＲＵ１０２ａ、１０２ｂ、１０２ｃの初期アタッチ時の特定のサービングゲートウェイの選択などを行う役割を負うことができる。ＭＭＥ１６２は、ＲＡＮ１０４と、ＧＳＭまたはＷＣＤＭＡなどの他の無線技術を採用する他のＲＡＮ（図示せず）とを切り替えるための制御プレーン機能も提供することができる。
【００４２】
サービングゲートウェイ１６４は、Ｓ１インターフェイスを介してＲＡＮ１０４内の各ｅＮｏｄｅ−Ｂ１６０ａ、１６０ｂ、１６０ｃに接続されることができる。サービングゲートウェイ１６４は、通常、ユーザデータパケットを、ＷＴＲＵ１０２ａ、１０２ｂ、１０２ｃとの間でルーティングおよび転送することができる。サービングゲートウェイ１６４は、ｅＮｏｄｅ  Ｂ間ハンドオーバ時のユーザプレーンの固定、ダウンリンクデータがＷＴＲＵ１０２ａ、１０２ｂ、１０２ｃで使用できる場合のページングのトリガ、ＷＴＲＵ１０２ａ、１０２ｂ、１０２ｃのコンテキストの管理および格納などのその他の機能を実行することもできる。
【００４３】
サービングゲートウェイ１６４はＰＤＮゲートウェイ１６６に接続されることができ、ＰＤＮゲートウェイ１６６は、ＷＴＲＵ１０２ａ、１０２ｂ、１０２ｃと、ＩＰ対応デバイスとの間の通信を容易にするために、インターネット１１０などのパケット交換網へのアクセスをＷＴＲＵ１０２ａ、１０２ｂ、１０２ｃに提供することができる。
【００４４】
コアネットワーク１０７は、他のネットワークとの通信を容易にすることができる。例えば、コアネットワーク１０７は、ＷＴＲＵ１０２ａ、１０２ｂ、１０２ｃと、従来の固定電話通信デバイスとの間の通信を容易にするために、ＰＳＴＮ１０８などの回線交換網へのアクセスをＷＴＲＵ１０２ａ、１０２ｂ、１０２ｃに提供することができる。例えば、コアネットワーク１０７は、コアネットワーク１０７とＰＳＴＮ１０８の間のインターフェイスとして機能するＩＰゲートウェイ（例えばＩＰマルチメディアサブシステム（ＩＭＳ）サーバ）を含むこと、またはそのようなＩＰゲートウェイと通信することができる。加えて、コアネットワーク１０７は、他のサービスプロバイダによって所有され、かつ／または運用されるその他のワイヤードまたはワイヤレスネットワークを含むことができるネットワーク１１２へのアクセスをＷＴＲＵ１０２ａ、１０２ｂ、１０２ｃに提供することができる。
【００４５】
図１Ｅは、実施形態に従うＲＡＮ１０５およびコアネットワーク１０９のシステム図である。ＲＡＮ１０５は、エアインターフェイス１１７を経由してＷＴＲＵ１０２ａ、１０２ｂ、１０２ｃと通信するためにＩＥＥＥ  ８０２．１６無線技術を採用するアクセスサービスネットワーク（ＡＳＮ：Ａｃｃｅｓｓ  Ｓｅｒｖｉｃｅ  Ｎｅｔｗｏｒｋ）であることができる。下でさらに説明されるように、ＷＴＲＵ１０２ａ、１０２ｂ、１０２ｃ、ＲＡＮ１０５、およびコアネットワーク１０９の異なる機能エンティティ間の通信リンクが、基準点として定義されることができる。
【００４６】
図ＩＥで示されているように、ＲＡＮ１０５は基地局１８０ａ、１８０ｂ、１８０ｃ、およびＡＳＮゲートウェイ１８２を含むことができるが、ＲＡＮ１０５が、実施形態に一致したまま、任意の数の基地局およびＡＳＮゲートウェイを含むことができると理解されるであろう。基地局１８０ａ、１８０ｂ、１８０ｃはＲＡＮ１０５内の特定のセル（図示せず）にそれぞれ関連付けられることができ、エアインターフェイス１１７を経由してＷＴＲＵ１０２ａ、１０２ｂ、１０２ｃと通信するために、１または複数のトランシーバをそれぞれ含むことができる。一実施形態では、基地局１８０ａ、１８０ｂ、１８０ｃがＭＩＭＯ技術を実装することができる。したがって、基地局１８０ａは、例えば複数のアンテナを使用して、ＷＴＲＵ１０２ａとの間で無線信号を送信および受信することができる。基地局１８０ａ、１８０ｂ、１８０ｃは、ハンドオフのトリガ、トンネルの確立、無線リソースの管理、トラフィック分類、サービス品質（ＱｏＳ：Ｑｕａｌｉｔｙ  ｏｆ  Ｓｅｒｖｉｃｅ）ポリシーの強化などのモビリティ管理機能も提供することができる。ＡＳＮゲートウェイ１８２は、トラフィック集約点として機能することができ、ページング、加入者プロファイルのキャッシング、コアネットワーク１０９へのルーティングなどの役割を負うことができる。
【００４７】
ＷＴＲＵ１０２ａ、１０２ｂ、１０２ｃとＲＡＮ１０５の間のエアインターフェイス１１７は、ＩＥＥＥ  ８０２．１６規格を実装するＲ１基準点として定義されることができる。加えて、各ＷＴＲＵ１０２ａ、１０２ｂ、１０２ｃは、コアネットワーク１０９との論理インターフェイス（図示せず）を確立することができる。ＷＴＲＵ１０２ａ、１０２ｂ、１０２ｃとコアネットワーク１０９との間の論理インターフェイスは、認証、認可、ＩＰホスト構成管理、および／またはモビリティ管理に使用されることができるＲ２基準点として定義されることができる。
【００４８】
各基地局１８０ａ、１８０ｂ、１８０ｃの間の通信リンクは、ＷＴＲＵのハンドオーバおよび基地局間のデータの転送を容易にするためのプロトコルを含んでいるＲ８基準点として定義されることができる。基地局１８０ａ、１８０ｂ、１８０ｃとＡＳＮゲートウェイ１８２との間の通信リンクは、Ｒ６基準点として定義されることができる。Ｒ６基準点は、各ＷＴＲＵ１０２ａ、１０２ｂ、１０２ｃに関連付けられたモビリティイベントに基づいてモビリティ管理を容易にするためのプロトコルを含むことができる。
【００４９】
図１Ｅに示されているように、ＲＡＮ１０５はコアネットワーク１０９に接続されることができる。ＲＡＮ１０５とコアネットワーク１０９との間の通信リンクは、例えばデータ転送およびモビリティ管理能力を容易にするためのプロトコルを含んでいるＲ３基準点として定義され得る。コアネットワーク１０９は、モバイルＩＰホームエージェント（ＭＩＰ−ＨＡ：Ｍｏｂｉｌｅ  ＩＰ  Ｈｏｍｅ  ａｇｅｎｔ）１８４、認証、認可、アカウンティング（ＡＡＡ：Ａｕｔｈｅｎｔｉｃａｔｉｏｎ，  Ａｕｔｈｏｒｉｚａｔｉｏｎ，  Ａｃｃｏｕｎｔｉｎｇ）サーバ１８６、およびゲートウェイ１８８を含むことができる。前述の各要素はコアネットワーク１０９の一部として示されているが、それらの要素のいずれかがそのコアネットワークの事業者以外の事業者によって所有されること、および／または運用されることができると理解されるであろう。
【００５０】
ＭＩＰ−ＨＡは、ＩＰアドレス管理の役割を負い、ＷＴＲＵ１０２ａ、１０２ｂ、１０２ｃが異なるＡＳＮ間および／または異なるコアネットワーク間をローミングできるようにする。ＭＩＰ−ＨＡ１８４は、ＷＴＲＵ１０２ａ、１０２ｂ、１０２ｃと、ＩＰ対応デバイスとの間の通信を容易にするために、インターネット１１０などのパケット交換網へのアクセスをＷＴＲＵ１０２ａ、１０２ｂ、１０２ｃに提供することができる。ＡＡＡサーバ１８６は、ユーザ認証およびユーザサービスのサポートの役割を負うことができる。ゲートウェイ１８８は、他のネットワークとの相互作用を容易にすることができる。例えば、ゲートウェイ１８８は、ＷＴＲＵ１０２ａ、１０２ｂ、１０２ｃと、従来の固定電話通信デバイスとの間の通信を容易にするために、ＰＳＴＮ１０８などの回線交換網へのアクセスをＷＴＲＵ１０２ａ、１０２ｂ、１０２ｃに提供することができる。加えて、ゲートウェイ１８８は、他のサービスプロバイダによって所有され、かつ／または運用されるその他のワイヤードまたはワイヤレスネットワークを含むことができるネットワーク１１２へのアクセスをＷＴＲＵ１０２ａ、１０２ｂ、１０２ｃに提供することができる。
【００５１】
図１Ｅには示されていないが、ＲＡＮ１０５が他のＡＳＮに接続されることができ、コアネットワーク１０９が他のコアネットワークに接続されることができるということが理解されるであろう。ＲＡＮ１０５と他のＡＳＮの間の通信リンクは、ＲＡＮ１０５と他のＡＳＮとの間でＷＴＲＵ１０２ａ、１０２ｂ、１０２ｃのモビリティを調整するためのプロトコルを含むことができるＲ４基準点として定義されることができる。コアネットワーク１０９と他のコアネットワークの間の通信リンクは、ホームコアネットワークと訪問されるコアネットワークの間の相互作用を容易にするためのプロトコルを含むことができるＲ５基準点として定義されることができる。
【００５２】
セルの全帯域幅をサポートすることができるＷＴＲＵは、全帯域幅ＷＴＲＵと呼ばれることができる。帯域幅は、ＲＢの数および／または帯域の中心などの帯域の位置を含むことができる。
【００５３】
ＷＴＲＵは少なくとも時々、全帯域幅（ＢＷ）ＷＴＲＵに一致する（例えば、少なくとも部分的に一致する）ことができる方法で通信する、振る舞う、または動作することができ、少なくとも時々（例えば、ほかの時に）、低減ＢＷ  ＷＴＲＵに一致する（例えば、少なくとも部分的に一致する）ことができる方法で通信する、振る舞う、または動作することができる。例えば、セルの全帯域幅をサポートすることができるＷＴＲＵは、それがカバレッジが制限されることができるとき、またはそれがカバレッジ拡張（ＣＥ）モードで動作することができるときなどの、特定のときに低減ＢＷ  ＷＴＲＵに一致する（例えば、少なくとも部分的に一致する）ことができる方法で通信する、振る舞う、または動作することができる。ＷＴＲＵは、例えば少なくとも時々、全ＢＷ  ＷＴＲＵおよび／または低減ＢＷ  ＷＴＲＵであってもよく、またはそのように見なされてもよい。
【００５４】
ＷＴＲＵは、低減ＢＷ  ＷＴＲＵであってもよく、またはそのように見なされてもよいが、低減ＢＷ  ＷＴＲＵのように（例えば、少なくとも部分的にそのように）振る舞うまたは動作することができる（または、そのように振る舞うもしくは動作することを必要とするもしくは意図することがある）。低減ＢＷ  ＷＴＲＵに一致する（例えば、少なくとも部分的に一致する）ことができる方法で（例えばｅＮＢと）通信する、振る舞う、または動作することができるＷＴＲＵは、例えばＷＴＲＵが低減ＢＷ  ＷＴＲＵに一致する（例えば、少なくとも部分的に一致する）ことができる方法で通信する、振る舞う、または動作することができるときなど、少なくとも時々、低減ＢＷ  ＷＴＲＵであってもよく、またはそのように見なされてもよい。
【００５５】
本明細書で開示された例は、ｅＮＢおよびセルに適用することができる。本明細書で開示された例は、カバレッジが制限されたＷＴＲＵおよび低減帯域幅（ＢＷ）ＷＴＲＵなどのＷＴＲＵに適用することができる。低減ＢＷ  ＷＴＲＵに適用可能であるとして本明細書で開示された例は、カバレッジが制限されたＷＴＲＵに適用することができる。カバレッジが制限されたＷＴＲＵに適用可能であるとして本明細書で開示された例は、低減ＢＷ  ＷＴＲＵに適用することができる。本明細書で開示された例は、その他の能力または低減能力を持つその他の種類のＷＴＲＵに適用することができる。
【００５６】
説明の目的で、ＰＤＣＣＨは、ＥＰＤＣＣＨに置き換えられることができ、またその逆も同様であり、なおかつ本明細書で開示された例に一致することができる。説明の目的で、ＰＤＣＣＨ（またはＥＰＤＣＣＨ）は、ＤＬ制御チャネルまたは別のＤＬ制御チャネルに置き換えられることができ、なおかつ本明細書で開示された例に一致することができる。説明の目的で、コンポーネントキャリア（ＣＣ：Ｃｏｍｐｏｎｅｎｔ  Ｃａｒｒｉｅｒ）およびサービングセルは、交換可能なように使用されることができる。説明の目的で、ＷＴＲＵ、ＷＴＲＵ  ＭＡＣエンティティ、およびＭＡＣエンティティは、交換可能なように使用されることができる。説明の目的で、ｅＮＢおよびセルは、交換可能なように使用されることができる。ＣＥレベルは、反復の数に置き換えられることができ、またその逆も同様であり、なおかつ本明細書で開示された例に一致することができる。反復数、反復の数、および反復レベルは、交換可能なように使用されることができる。
【００５７】
「ＷＴＲＵ」は、「少なくともＷＴＲＵ」に置き換えられることができ、なおかつ本明細書で開示された例に一致することができる。「〜が意図される」は、「少なくとも〜が意図される（ａｔ  ｌｅａｓｔ  ｉｎｔｅｎｄｅｄ  ｆｏｒ）」または「少なくとも〜が意図される（ｉｎｔｅｎｄｅｄ  ｆｏｒ  ａｔ  ｌｅａｓｔ）」に置き換えられることができ、なおかつ本明細書で開示された例に一致することができる。
【００５８】
本明細書で開示された例は、ＲＡＲ、ＰＣＨ、またはＲＡＲもしくはＰＣＨを運ぶことができる物理ダウンリンク共有チャネル（ＰＤＳＣＨ：Ｐｈｙｓｉｃａｌ  Ｄｏｗｎｌｉｎｋ  Ｓｈａｒｅｄ  ＣＨａｎｎｅｌ）に関して開示されることができる。そのような例は、限定するものではない。ＲＡＲは、ＰＣＨ、ＰＣＨ  ＰＤＳＣＨ、またはＰＤＳＣＨに置き換えられることができ、またその逆も同様であり、なおかつ本明細書で開示された例に一致することができる。ＰＤＳＣＨによって運ばれることができるチャネルまたはその他のコンテンツは、別のチャネルまたはコンテンツに置き換えられることができ、なおかつ本明細書で開示された例に一致することができる。
【００５９】
ｅＮＢおよび／またはＷＴＲＵは、ＷＴＲＵの（例えばセルまたはｅＮＢへの）初期アクセス、（例えばＷＴＲＵのＵＬタイミングをリセットするため、またはセルに対して揃えるための）ＵＬタイミングのリセット、および／または（例えばＷＴＲＵのタイミングをリセットするため、またはハンドオーバターゲットセルに対して揃えるための）ハンドオーバ時のタイミングのリセットのために、ランダムアクセス手順を使用することができる。ＷＴＲＵは、電力ＰPRACHでの物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）プリアンブルシーケンスを送信することができ、電力ＰPRACHは、構成されたパラメータおよび／または測定に基づくことができ、ＷＴＲＵは時間−周波数リソースを使用してプリアンブルを送信することができる。ｅＮＢによって提供または構成されることができる構成されたパラメータは、初期プリアンブル電力（例えばｐｒｅａｍｂｌｅｌｎｉｔｉａｌＲｅｃｅｉｖｅｄＴａｒｇｅｔＰｏｗｅｒ）、プリアンブル形式に基づくオフセット（例えばｄｅｌｔａＰｒｅａｍｂｌｅ）、ランダムアクセス応答ウィンドウ（例えばｒａ−ＲｅｓｐｏｎｓｅＷｉｎｄｏｗＳｉｚｅ）、電力ランピング係数（例えばｐｏｗｅｒＲａｍｐｉｎｇＳｔｅｐ）、および／または最大再送信数（例えばｐｒｅａｍｂｌｅＴｒａｎｓＭａｘ）のうちの１または複数を含むことができる。ＰＲＡＣＨリソース（プリアンブルもしくはプリアンブルのセット、および／またはプリアンブル送信に使用されることができる時間／周波数リソースを含むことができる）は、ｅＮＢによって提供または構成されることができる。測定は、経路損失を含むことができる。時間−周波数リソースは、ＷＴＲＵによって、許容されるセットから選択されること、またはｅＮＢによって選択されてＷＴＲＵに信号伝達されることができる。ＷＴＲＵのプリアンブルの送信の後に、ｅＮＢは、プリアンブルを検出することができた場合、ランダムアクセス応答（ＲＡＲ）によって応答することができる。ＷＴＲＵが、割り当てられた時間（例えば、ｒａ−ＲｅｓｐｏｎｓｅＷｉｎｄｏｗＳｉｚｅ）内に、送信されたプリアンブル（例えば、特定のプリアンブルインデックスおよび時間／周波数リソースに対応することができる）のＲＡＲを受信することができない、または受信しない場合、ＷＴＲＵは、別のプリアンブルを後で高電力（例えば、ｐｏｗｅｒＲａｍｐｉｎｇＳｔｅｐによる前のプリアンブル送信よりも高い電力）で送ることができ、この送信電力は最大電力によって制限されることができ、この最大電力は、例えば、全体としてＷＴＲＵ用（例えばＰCMAX）またはＷＴＲＵのサービングセル用（例えばＰCMAX,c）であることができる、ＷＴＲＵによって構成された最大電力である。ＷＴＲＵは、ｅＮＢからのＲＡＲの受信を再び待機することができる。この送信および待機のシーケンスは、ｅＮＢがＲＡＲを使用して応答することができるまで、またはランダムアクセスプリアンブル送信の最大数（例えばｐｒｅａｍｂｌｅＴｒａｎｓＭａｘ）が達せられることができるまで、継続することができる。ｅＮＢはＲＡＲを送信することができ、１つのプリアンブル送信に応答して���ＷＴＲＵはＲＡＲを受信することができる、
【００６０】
時間／周波数または時間−周波数という用語は、時間および／または周波数を表すために使用されることができる。時間−周波数という用語は、特定の時間および周波数を表すために使用されることができる。
【００６１】
ランダムアクセス手順（例えばランダムアクセス手順のインスタンス）は、コンテンションベースまたはコンテンションフリーであることができる。コンテンションフリー手順は、例えばｅＮＢからの要求によって開始されることができ、例えば、ＰＤＣＣＨ指令などの物理層信号伝達を介すること、またはＲＲＣ再構成メッセージ（例えばＲＲＣ接続再構成メッセージ）などの上位層の信号伝達によることができ、ＲＲＣ再構成メッセージは、モビリティ制御情報を含むことができ、例えば、ハンドオーバ要求を示すこと、またはハンドオーバ要求に対応することができる。サブフレームｎ内のＰＤＣＣＨ指令によって開始されることができるコンテンションフリー手順の場合、ＰＲＡＣＨプリアンブルは、第１のサブフレーム（またはＰＲＡＣＨに使用できる第１のサブフレーム）ｎ＋ｋ2（ｋ2は少なくとも６であることができる）内で送信されることができる。ＲＲＣコマンドによって開始される場合、指定されることができる他の遅延が存在することができる（例えば、必要とされる、または許容される最小および／または最大遅延が存在することができる）。ＷＴＲＵは、例えば初期アクセス、ＵＬ同期の復元、および／または無線リンク故障からの回復を含むことができる理由によって、コンテンションベース手順を自律的に開始することができる。特定のイベント（例えば、無線リンク故障からの回復以外のイベント）の場合、そのようなイベントの後にＷＴＲＵがＰＲＡＣＨプリアンブルを送信することができるまでにかかる時間に関して、定義されない、または指定されないことがある。
【００６２】
コンテンションフリーランダムアクセス（ＲＡ）手順の場合、ネットワークで信号伝達されるＰＲＡＣＨプリアンブルが、例えばＷＴＲＵによって使用されることができる。コンテンションベースランダムアクセス手順の場合、ＷＴＲＵがプリアンブルを自律的に選択することができ、プリアンブル送信に使用できるプリアンブル形式および／または時間／周波数リソースは、ｅＮＢによって提供または信号伝達されることができる指示またはインデックス（例えば、ｐｒａｃｈ  ｃｏｎｆｉｇＩｎｄｆｅｘ）に基づくことができる。
【００６３】
ＬＴＥシステムでは、徐々に高くなる送信電力で送信されるプリアンブルの１つがｅＮＢによって検出されることができる。ＲＡＲは、その検出された１つのプリアンブルに応答してｅＮＢによって送られることができる。
【００６４】
ＷＴＲＵは、アイドルモードおよび／または接続モードでＰ−ＲＮＴＩ（ページング無線ネットワーク一時識別子（ＲＮＴＩ））を使用してマスクされたＰＤＣＣＨ上のＤＬ割り当てについて、ＰＤＣＣＨを（例えば定期的に）監視することができる。Ｐ−ＲＮＴＩを使用するそのようなＤＬ割り当てが検出されることができた場合、ＷＴＲＵは、割り当てられたＰＤＳＣＨリソースブロック（ＲＢ）を復調することができ、そのＰＤＳＣＨ上で運ばれるページングチャネル（ＰＣＨ：Ｐａｇｉｎｇ  ＣＨａｎｎｅｌ）をデコードすることができる。ＰＣＨを運ぶことができるＰＤＳＣＨは、ＰＣＨ  ＰＤＳＣＨであることができる。ページング、ページングメッセージ、ページング情報、およびＰＣＨは、交換可能なように使用されることができる。
【００６５】
アイドルモードでは、特定のページングフレーム（ＰＦ：Ｐａｇｉｎｇ  Ｆｒａｍｅ）およびそのＰＦ内のサブフレーム（例えば、ＷＴＲＵがページングチャネルを監視することができるページング機会（ＰＯ：Ｐａｇｉｎｇ  Ｏｃｃａｓｉｏｎ））が、ＷＴＲＵ  ＩＤ（例えばＷＴＲＵ＿ＩＤ）およびネットワークによって指定されることができるパラメータに基づいて決定されることができる。パラメータは、ページングサイクル（ＰＣ：Ｐａｇｉｎｇ  Ｃｙｃｌｅ）長（例えばフレーム単位）を含むことができ、ページングサイクル長は、ＤＲＸサイクルおよび別のパラメータ（例えばｎＢ）と同じであることができる。これらのパラメータは共に、セル内に存在することができるＰＣごとのＰＦの数およびＰＦごとのＰＯの数の決定を容易にすることができる。ＷＴＲＵ  ＩＤは、ＷＴＲＵ  ＩＭＳＩ、または１０２４などの数でＷＴＲＵ  ＩＭＳＩを割った余りであることができる。例えば、ＰＯは、ＷＴＲＵ  ＩＭＳＩを１０２４で割った余りに基づいて決定されることができる。
【００６６】
ページングサイクルごとに複数のＰＦが存在すること、およびＰＦ内に複数のＰＯが存在することができ、例えば、ページングサイクルごとに複数のサブフレームが、Ｐ−ＲＮＴＩを使用してマスクされたＰＤＣＣＨを運ぶことができる。ＷＴＲＵは、ページングサイクルごとに（例えば１つの）ＰＯを監視することができ、そのようなＰＯは、ＷＴＲＵ  ＩＤおよび／または本明細書で開示された１または複数のパラメータに基づいて決定されることができ、それらのパラメータは、システム情報、専用の信号伝達情報などを介してＷＴＲＵに提供されることができる。ＰＯは、１または複数の特定のＷＴＲＵ用のページを含むことができるか、またはそれらは、各ＷＴＲＵ、ＷＴＲＵの一部、またはＷＴＲＵのすべてに向けられることができるシステム情報変更ページングを含むことができる。ＷＴＲＵに固有のページング（例えば、１または複数のＷＴＲＵに固有であることができるページング）の場合、ＷＴＲＵ（例えば、アイドルモードにあるＷＴＲＵ）は、ＷＴＲＵ  ＩＤに基づくことができるＰＣごとに１つのＰＯを監視することができる。システム情報変更（例えば、発生した変更、または次回のシステム情報変更）を示すことができるページングの場合、ＷＴＲＵ（例えば、アイドルモードまたは接続モードにあるＷＴＲＵ）は、ＷＴＲＵ  ＩＤに基づくこと、または基づかないことができるシステム情報変更期間内の１または複数のＰＯを監視することができる。
【００６７】
接続モードでは、ＷＴＲＵは、例えばシステム情報変更に関連するページングを受信することができ、着呼に使用されることができるページングなどのＷＴＲＵ固有のページングを受信しないことができる。接続モードにあるＷＴＲＵは、特定のＰＯ（例えば、そのＷＴＲＵ  ＩＤに基づくことができるＰＯ）を監視しないことができる。周波数分割複信（ＦＤＤ：Ｆｒｅｑｕｅｎｃｙ  Ｄｉｖｉｓｉｏｎ  Ｄｕｐｌｅｘｉｎｇ）の場合、ＰＯサブフレームは、サブフレーム０、４、５、および９などの特定のサブフレームを含むことができる。時分割複信（ＴＤＤ：Ｔｉｍｅ  Ｄｉｖｉｓｉｏｎ  Ｄｕｐｌｅｘｉｎｇ）の場合、ＰＯサブフレームは、サブフレーム０、１、５、および６などの特定のサブフレームを含むことができる。
【００６８】
プリアンブル、制御チャネル、ＰＤＳＣＨ（例えばＲＡＲ  ＰＤＳＣＨ）、ＰＵＳＣＨ、および／またはＰＵＣＣＨなどの反復の数は、第１の送信（または受信）を含むことができる。反復の数（例えば、その他の反復）は、第１の送信（または受信）を除外することができる。「含める」は「除外する」に置き換えられることができ、またその逆も同様であり、なおかつ本明細書で開示された例に一致することができる。ダウンリンク制御チャネル、ＭＴＣ  ＷＴＲＵ用のダウンリンク制御チャネル、（Ｅ）ＰＤＣＣＨ（例えばＥＰＤＣＣＨおよび／またはＰＤＣＣＨ）、ＰＤＣＣＨ、および／またはＭ−ＰＤＣＣＨは、交換可能なように使用されることができる。システム情報、ＭＴＣ  ＷＴＲＵ用のシステム情報、ＭＴＣ−ＳＩＢ、Ｍ−ＳＩＢ、および／またはＳＩＢは、交換可能なように使用されることができる。
【００６９】
ランダムアクセス（ＲＡ）手順が、提供される、および／または使用されることができる。ｅＮＢまたはセルは、カバレッジが制限されたＷＴＲＵおよび／または低減能力を持つ（低減帯域幅ＷＴＲＵなどの）ＷＴＲＵなどの、能力または制限を持つＷＴＲＵをサポートすることができる。ＷＴＲＵは、カバレッジが制限されること、および／または低減帯域幅であることができる。低減能力は、単一の受信アンテナおよび／またはレシーバチェーンおよび／または低減されたトランスポートブロックサイズのサポートを含むまたは使用する（例えばそれらのみを含むまたは使用する）ことなどの、低減された複雑さを（または、低減された複雑さも）含むことができる。
【００７０】
ＰＲＡＣＨリソースは分割されることができ、それによって、プリアンブルであるもしくはプリアンブルを含むことができるリソース（例えば特定のリソース）、ならびに／または時間および／もしくは周波数内のリソースは、カバレッジが制限されたＷＴＲＵなどのＷＴＲＵによって使用されることができ、リソース（例えば特定のリソース）の使用は、リソースを使用しているＷＴＲＵがカバレッジが制限されることができること、および／またはリソースを使用しているＷＴＲＵのカバレッジ制限が特定のレベルであることができることをｅＮＢに示すことができる。
【００７１】
例えば、低減帯域幅ＷＴＲＵのそれよりも大きい帯域幅（ＢＷ）をサポートすることができるｅＮＢおよび／または低減帯域幅ＷＴＲＵをサポートすることができるｅＮＢは、低減帯域幅ＷＴＲＵなどの少なくとも特定のＷＴＲＵによって使用されることができるＰＲＡＣＨリソースを割り当てることができる。割り当てられるリソースは、帯域幅内に配置されることができ（例えば、ＲＢの数および／または帯域の中心などの帯域の位置）、その帯域幅内で低減帯域幅ＷＴＲＵは、送信すること、または送信可能であることができる。それらのリソースは、レガシーＷＴＲＵまたはその他のＷＴＲＵに割り当てられることができるものと同じリソース、異なるリソース、またはそのようなリソースのサブセットであることができる。割り当てられるリソースは、低減帯域幅ＷＴＲＵによって、または低減帯域幅ＷＴＲＵのみによって使用されることができるプリアンブルを含むことができる。
【００７２】
ＰＲＡＣＨリソース割り当て（例えば、少なくとも特定のＷＴＲＵによって使用されることができるリソースに関して）は、プリアンブル（例えば特定のプリアンブル）、時間（例えばサブフレームまたは特定のサブフレーム）、および／または周波数（例えばＲＢまたは特定のＲＢ）のうちの１または複数の指定を含むことができる。ＰＲＡＣＨリソース（例えば、少なくとも特定のＷＴＲＵによって使用するためのリソース）は、プリアンブル、時間（例えばサブフレーム割り当て）、および／または周波数（例えばＲＢ割り当て）のうちの少なくとも１または複数によって（例えば特定のＷＴＲＵによって使用されないことができるリソースから）区別されることができる。割り当ておよび／または指定は、専用またはブロードキャスト信号伝達などの（例えばｅＮＢによる）信号伝達および／またはシステム情報を介することができる。
【００７３】
ＰＲＡＣＨリソースの割り当ておよびランダムアクセスの手順が、カバレッジが制限されること、および／または帯域幅が制限されることができるＷＴＲＵに提供されることができる。カバレッジが制限されたＷＴＲＵに（例えばｅＮＢによって）割り当てられることができるＰＲＡＣＨリソースの一部（例えば全部）は、帯域幅が制限されたＷＴＲＵによってサポートされることができる帯域幅内に配置されること、または常に配置されることができる。カバレッジが制限されること、および／または帯域幅が制限されることができるＷＴＲＵは、ｅＮＢへのＰＲＡＣＨ送信のために、１または複数のＰＲＡＣＨリソースから（例えば、カバレッジが制限されたＷＴＲＵに割り当てられることができるＰＲＡＣＨリソースから、および／または帯域幅が制限されたＷＴＲＵによってサポートされることができる帯域幅内に配置されることができるＰＲＡＣＨリソースから）選択すること、および／またはそのようなＰＲＡＣＨリソースを使用することができる。カバレッジ制限の１または複数（例えば全部）のレベルごとに割り当てられること、または指定されることができるＰＲＡＣＨリソースは、カバレッジが制限されること、および帯域幅が制限されることができるＷＴＲＵによって使用されることができるサブセット（フルセットを含むことができる）を含むことができる。
【００７４】
ｅＮＢは、カバレッジが制限されたＷＴＲＵ（例えば、ｅＮＢがカバレッジが制限されていると決定できるＷＴＲＵ）を、例えば帯域幅が制限されたＷＴＲＵでないという通知または決定が行われるまで、帯域幅が制限されたＷＴＲＵと見なすこともできる。ｅＮＢは、ＷＴＲＵが使用した（例えば送信した）可能性のあるＰＲＡＣＨリソースまたはｅＮＢがＷＴＲＵから受信した可能性のあるＰＲＡＣＨリソースに基づいて、ＷＴＲＵのカバレッジが制限されていることを決定することができる。ｅＮＢは、それに応じてＷＴＲＵと通信することができる。
【００７５】
カバレッジが制限されたＷＴＲＵに対して指定または割り当てられることができるＰＲＡＣＨリソースからＰＲＡＣＨを受信することができるｅＮＢ、および（例えば、ＷＴＲＵのサポート可能な帯域幅内の指定によって、または配置によって）帯域幅が制限されたＷＴＲＵによって使用されることができるｅＮＢは、ＰＲＡＣＨを送信した可能性のあるＷＴＲＵを、例えば帯域幅が制限されたＷＴＲＵではないという通知または決定が行われるまで、帯域幅が制限されたＷＴＲＵと見なすことができる。ｅＮＢは、それに応じてＷＴＲＵと通信することができる。
【００７６】
ＰＲＡＣＨリソースは、カバレッジが制限されること、および帯域幅が制限されることが両方ともできるＷＴＲＵに対して具体的に割り当てられること、または指定されることができる。カバレッジが制限されること、および帯域幅が制限されることが両方ともできるＷＴＲＵは、ｅＮＢへのＰＲＡＣＨ送信のために、それらの割り当てられた、または指定されたＰＲＡＣＨリソースから選択すること、および／またはそのようなＰＲＡＣＨリソースを使用することができる。別々のＰＲＡＣＨリソース（例えば、プリアンブル、時間、および／または周波数のうちの１または複数によって区別されることができる）が、さまざまなレベルのカバレッジ制限に割り当てられること、および／または使用されることができる。例えば、カバレッジ制限の１つのレベル（例えば、ワーストケースのレベル）は、カバレッジが制限されること、および帯域幅が制限されることが両方ともできるＷＴＲＵによって使用されることができる。
【００７７】
カバレッジが制限されること、および帯域幅が制限されることが両方ともできるＷＴＲＵに対して指定されること、または割り当てられることができるＰＲＡＣＨリソースからＰＲＡＣＨを受信することができるｅＮＢは、ＰＲＡＣＨを送信した可能性のあるＷＴＲＵを、カバレッジが制限され、かつ帯域幅が制限されたＷＴＲＵと見なすことができる。ｅＮＢは、ＰＲＡＣＨリソースに基づいて、カバレッジ制限レベルを知ることもできる。ｅＮＢは、それに応じてＷＴＲＵと通信することができる。
【００７８】
ランダムアクセス応答（ＲＡＲ）が、提供されること、および／または使用されることができる。ＷＴＲＵとのランダムアクセス手順の間に、ｅＮＢは、例えばＷＴＲＵから指示またはメッセージを受信することができるまで、ＷＴＲＵが低減帯域幅ＷＴＲＵであるかどうかわからないことがあり、例えば、低減帯域幅内でＷＴＲＵに応答するべきかどうかわからないことがある。
【００７９】
ｅＮＢは、特定の帯域幅（例えば、特定の数のＲＢおよび／または中心のＲＢのセット（中心の６つのＲＢなど）などの特定の位置）内でＰＲＡＣＨを送信した可能性のある（またはｅＮＢがそこから受信した可能性のある）ＷＴＲＵを、例えばそのＷＴＲＵが低減帯域幅ＷＴＲＵでないという指示を受信するまで、低減帯域幅ＷＴＲＵであると見なすことができる。この指示は、ＷＴＲＵによってメッセージ（例えば、ＷＴＲＵから来ることができるＲＲＣ接続要求などのＲＲＣメッセージまたはＷＴＲＵ能力メッセージ）内で提供されることができる。
【００８０】
低減帯域幅ＷＴＲＵであることができるＷＴＲＵ、またはｅＮＢによって低減帯域幅ＷＴＲＵであると見なされることができるＷＴＲＵなどのＷＴＲＵからのＰＲＡＣＨに応答する場合、ｅＮＢは、ＷＴＲＵが受信可能であることができる方法で、ランダムアクセス応答（ＲＡＲ）を提供することができる。
【００８１】
ｅＮＢは、例えばＷＴＲＵが低減帯域幅ＷＴＲＵでないということを知るまたは決定するまで、ＷＴＲＵが意図される送信を、Ｒ  ＲＢ（例えば中心のＲ  ＲＢ）のセット（例えば特定のセット）などの、Ｒ  ＲＢの特定の最大数（例えば６）および／または位置に制限することができる。ｅＮＢは、ＵＬ許可（例えば、ＲＡ手順のｍｓｇ３に対するＵＬ許可）サイズを、Ｙ  ＲＢ（例えば中心のＹ  ＲＢ）のセット（例えば特定のセット）などの、Ｙ  ＲＢの特定の最大数（例えば、６ＲＢ）および／または位置に制限することができるか、または制限することもできる。Ｒは、Ｙに等しくなることができる。ＲＢの位置は、（ブロードキャスト信号伝達などの信号伝達において（例えばシステム情報内で）、例えばｅＮＢによって）提供されることができる。これは、（例えば、ＷＴＲＵによって使用されるＰＲＡＣＨリソースに基づいて）カバレッジが制限されることができる、またはカバレッジが制限されていると決定されることができるＷＴＲＵの場合に（例えばその場合にのみ）適用することができる。
【００８２】
少なくとも特定の（例えば、帯域幅が制限され、かつ／またはカバレッジが制限された）ＷＴＲＵに割り当てられること、またはそれに対して指定されること、またはそれによって使用されることができるＰＲＡＣＨリソースからＰＲＡＣＨを受信することができるｅＮＢは、次のうちの１または複数を実行することができる。それらは、帯域幅が制限されたＷＴＲＵおよび／もしくはカバレッジが制限されたＷＴＲＵなどのＷＴＲＵがＲＡＲを受信することができる方法でＲＡＲを提供すること、帯域幅が制限されたＷＴＲＵが送信することができる帯域幅内のリソース（例えばＲＡ手順のメッセージ３）に対するＵＬ許可を提供すること、ならびに／または、制限帯域幅ＷＴＲＵに対して、例えばそれが制限帯域幅ＷＴＲＵではない可能性があるという（明示的、またはそれ以外の）指示を受信することができるまで、ＤＬ許可および／もしくはＵＬ許可を提供するかもしくは引き続き提供することである。この指示は、ＷＴＲＵから来ることができる、ＲＲＣ接続要求メッセージなどのＲＲＣメッセージまたはＷＴＲＵ能力メッセージに含まれることができる。
【００８３】
帯域幅が制限されたＷＴＲＵおよび／またはカバレッジが制限されたＷＴＲＵなどのＷＴＲＵがＲＡＲを受信することができる方法でＲＡＲを提供することは、ＥＰＤＣＣＨ（またはＥＰＤＣＣＨおよびＰＤＣＣＨの両方）を使用して、ＲＡＲを運ぶことができるＰＤＳＣＨに関する位置および／またはパラメータを示すことができる制御情報（例えばＤＣＩ形式）を送ることを含むことができる。帯域幅が制限されたＷＴＲＵおよび／またはカバレッジが制限されたＷＴＲＵなどのＷＴＲＵがＲＡＲを受信することができる方法でＲＡＲを提供することは、制限帯域幅ＷＴＲＵがそれを受信することができる帯域幅（例えば、ＲＢの数および／または帯域の中心などの帯域の位置）内でＲＡＲを運ぶことができるＰＤＳＣＨを送信することを含むことができる。帯域幅が制限されたＷＴＲＵおよび／またはカバレッジが制限されたＷＴＲＵなどのＷＴＲＵがＲＡＲを受信することができる方法でＲＡＲを提供することは、固定された、知られた、もしくは決定された位置内のＲＡＲ  ＰＤＳＣＨ、および／または１もしくは複数の固定された、知られた、もしくは決定されたパラメータ（例えばＭＣＳなどの送信パラメータ）を送信することを含むことができ、それによってＤＣＩ形式は（例えばＲＡＲに関して）帯域幅が制限されたＷＴＲＵまたはカバレッジが制限されたＷＴＲＵであることができるＷＴＲＵによって、またはそのようなＷＴＲＵのために必要とされないこと、または使用されないことができる。固定された、知られた、または決定された位置および／またはパラメータは、ｅＮＢによって、ブロードキャストシステム情報などの信号伝達において提供されることができ、かつ／またはＰＲＡＣＨもしくはＰＲＡＣＨ送信の関数であることができ、ＲＡＲは、その送信に対して応答すること、またはそのような応答を含むことができる。
【００８４】
知られた位置、パラメータ、または値は、ＷＴＲＵおよび／またはｅＮＢによって決定されることができる。「知られた」および「決定された」は、交換可能なように使用されることができる。
【００８５】
ＤＬ許可および／またはＵＬ許可を制限帯域幅ＷＴＲＵに提供することは、ＥＰＤＣＣＨ（または、ＥＰＤＣＣＨおよびＰＤＣＣＨの両方）を使用してその許可に関連付けられた制御情報（例えばＤＣＩ形式）を送ること、帯域幅（例えば、ＲＢの数および／または帯域の中心などの帯域の位置）内で許可されたＰＤＳＣＨを送信することであって、その帯域幅内で制限帯域幅ＷＴＲＵがそれを受信することができる、送信すること、および／または帯域幅（例えばＲＢの数および／または帯域の中心などの帯域の位置）内でＵＬリソースを許可することであって、その帯域幅内で制限帯域幅ＷＴＲＵが送信することができる、ことのうちの１または複数を含むことができる。
【００８６】
帯域幅が制限されること、および／またはカバレッジが制限されることができるＷＴＲＵ（または、少なくともＷＴＲＵ）が意図され得るＲＡＲの位置および／または送信パラメータは、ＰＲＡＣＨ（例えばＰＲＡＣＨリソース）の１または複数のパラメータの関数であることができ、そのＰＲＡＣＨに対する応答をＲＡＲは提供する、または含むことができる。位置（例えばＲＡＲの位置）は、時間（例えばサブフレーム）および／または周波数（例えば１または複数のＲＢ）であること、またはそれらを含むことができる。ＰＲＡＣＨまたはＰＲＡＣＨリソースパラメータは、時間（例えばサブフレームまたはサブフレームセット）、周波数（例えば１または複数のＲＢ）、および／またはプリアンブルであること、またはそれらを含むことができる。
【００８７】
ＲＡＲは、ＲＡＲの特定のインスタンスまたは反復であること、またはそれらを表すことができる。カバレッジが制限されることができるＷＴＲＵなどのＷＴＲＵによって結合されることができるＲＡＲの反復は、同じ位置内もしくは異なる位置内にあることができ（例えば、各サブフレームは異なることができ、各ＲＢは同じであること、または異なることができる）、かつ／または同じパラメータもしくは異なるパラメータを使用することができる。
【００８８】
帯域幅が制限されたＷＴＲＵおよび／またはカバレッジが制限されたＷＴＲＵなどのＷＴＲＵは、ＰＲＡＣＨを（例えばｅＮＢに）送信することができる。ＷＴＲＵおよび／またはｅＮＢは、ＷＴＲＵ（または、少なくともＷＴＲＵ）が意図され得るＲＡＲの位置を、例えばＷＴＲＵのＰＲＡＣＨ送信に応答して、ＰＲＡＣＨ（例えばＰＲＡＣＨリソース）の１または複数のパラメータに基づいて、決定することができる。例えば、ＷＴＲＵがＰＲＡＣＨを送信することができるＲＢは、ＰＲＡＣＨに対応することができるＲＡＲのＲＢを、決定することができる（または、ＷＴＲＵおよび／またはｅＮＢによって使用されて決定することができる）。ｅＮＢは、決定された位置内のＲＡＲを送信することができ、かつ／またはＷＴＲＵは、そのＲＡＲを受信すること、もしくは受信しようと試みることができる。ＷＴＲＵによる決定は、少なくとも構成（例えば、ＲＡＲの位置および／またはパラメータと、ＰＲＡＣＨパラメータおよび／またはＰＲＡＣＨリソースとの間の関係または対応の構成）に基づくことができ、この構成は、ｅＮＢによって、ブロードキャスト信号伝達などの信号伝達を介して、またはブロードキャストされ得るシステム情報内で、提供されることができる。
【００８９】
帯域幅が制限されること、および／またはカバレッジが制限されることができるＷＴＲＵなどのＷＴＲＵ（または、少なくともＷＴＲＵ）が意図されることができるＲＡＲの（例えば、固定されること、または知られることができる）位置および／または（例えば、固定されること、または知られることができる）１または複数の送信パラメータは、ＷＴＲＵの能力（または、低減能力）の関数であることができる。例えば、ＲＡＲの位置および／または１もしくは複数のＲＡＲ送信パラメータは、ＣＥモード、ＣＥレベル、および／または帯域幅制限のうちの少なくとも１つの関数であることができる。ＣＥモードおよび／もしくはＣＥレベルなどのＷＴＲＵの能力（または低減能力）、ならびに／またはＷＴＲＵの帯域幅制限は、ＰＲＡＣＨに対応することができるＲＡＲの位置（例えばサブフレームおよび／またはＲＢ）および／または１または複数の送信パラメータ（例えばＭＣＳ）を決定する（または、決定するためにＷＴＲＵおよび／またはｅＮＢによって使用される）ことができる。ｅＮＢは、決定された位置内のＲＡＲを送信することができ、かつ／またはＷＴＲＵは、そのＲＡＲを受信すること、もしくは受信しようと試みることができる。ＷＴＲＵによる決定は、少なくとも、ブロードキャスト信号伝達などの信号伝達を介してｅＮＢによって提供されることができる１または複数の能力（または、ＣＥモードまたはＣＥレベルなどの低減能力）に関する（例えば、ＲＡＲの位置および／またはパラメータの）構成に基づくことができる。
【００９０】
図２は、ＷＴＲＵによるプリアンブル送信およびＲＡＲ受信の例を示している。ＷＴＲＵは、２０６で、ＰＲＡＣＨ上で、またはＰＲＡＣＨを使用して、プリアンブルを送信することができる。ＷＴＲＵは、２０８で、ＰＲＡＣＨの少なくとも１つのパラメータに基づいてＲＡＲの位置を決定することができる。ＲＡＲの位置は、ＲＡＲが送信されることができる、または送信される予定であるサブフレームまたは周波数リソースのうちの少なくとも１つを含むことができる。ＰＲＡＣＨパラメータは、サブフレーム、周波数リソース（例えば、この周波数リソース上でプリアンブルが送信される）、またはプリアンブルのうちの少なくとも１つを含むことができる。ＷＴＲＵは、２１０で、決定された位置でＲＡＲを受信すること、または受信しようと試みることができる。ＷＴＲＵは、例えばＷＴＲＵがＣＥモードにあるときに、ＣＥを使用して、かつ／またはＣＥレベルを使用して、反復を伴うプリアンブルを送信することができる。ＷＴＲＵは、例えばＷＴＲＵがＣＥモードにあるときに、ＣＥを使用して、かつ／またはＣＥレベルを使用して、ＲＡＲの反復を受信して結合し、ＲＡＲを正常に受信および／またはデコードすることができる。ＲＡＲの反復の位置は、ＰＲＡＣＨの少なくとも１つのパラメータおよび／または１もしくは複数の他のＰＲＡＣＨパラメータに基づいて決定されることができる。１または複数のＰＲＡＣＨパラメータとＲＡＲの位置（または、例えば反復の位置）の間の関連または対応は、構成（例えば、ランダムアクセス（ＲＡ）構成）を介してＷＴＲＵに提供されること、および／またはＷＴＲＵによって受信されることができる。構成は、ブロードキャストされ得るシステム情報内で提供されること、および／または受信されることができる。
【００９１】
図３Ａは、ＷＴＲＵによるプリアンブル送信およびＲＡＲ受信の別の例を示している。ＷＴＲＵは、３０２でＲＡ構成を受信する。ＷＴＲＵは、３０４で、ＲＡ構成に基づいて１または複数のＰＲＡＣＨパラメータを決定する。ＷＴＲＵは、３０６で、ＰＲＡＣＨ上で、またはＰＲＡＣＨを使用して、プリアンブルを送信する。ＷＴＲＵは、３０８で、ＰＲＡＣＨの少なくとも１つのパラメータに基づいてＲＡＲの位置を決定する。ＲＡＲの位置は、ＲＡＲが送信されることができる、または送信される予定であるサブフレームまたは周波数リソースのうちの少なくとも１つを含むことができる。ＰＲＡＣＨパラメータは、サブフレーム、周波数リソース（例えば、この周波数リソース上でプリアンブルが送信される）、またはプリアンブルのうちの少なくとも１つを含むことができる。ＷＴＲＵは、３１０で、決定された位置でＲＡＲを受信すること、または受信しようと試みることができる。ＷＴＲＵは、例えばＷＴＲＵがＣＥモードにあるときに、ＣＥを使用して、かつ／またはＣＥレベルを使用して、反復を伴うプリアンブルを送信することができる。ＷＴＲＵは、例えばＷＴＲＵがＣＥモードにあるときに、ＣＥを使用して、かつ／またはＣＥレベルを使用して、ＲＡＲの反復を受信して結合し、ＲＡＲを正常に受信および／またはデコードすることができる。ＲＡＲの反復の位置は、ＰＲＡＣＨの少なくとも１つのパラメータおよび／または１もしくは複数のＰＲＡＣＨパラメータに基づいて決定されることができる。ＲＡ構成は、１または複数のＰＲＡＣＨパラメータとＲＡＲの位置（または、例えば反復の位置）の間の関連または対応をＷＴＲＵに提供することができる。
【００９２】
図３Ｂは、１または複数のＰＲＡＣＨパラメータ３１４および１または複数のＲＡＲの位置３１６を含んでいるＲＡ構成の例を示している。ＲＡ構成は、１または複数のＰＲＡＣＨパラメータとＲＡＲの位置（例えば反復の位置）の間の関連または対応を提供することができる。ＰＲＡＣＨパラメータおよび／またはＲＡＲの位置は、ＣＥレベルに関連付けられることができる。
【００９３】
図４Ａは、ＷＴＲＵによるプリアンブル送信およびＲＡＲ受信の例を示している。ＷＴＲＵは、４０２でＲＡ構成を受信することができる。ＷＴＲＵは、４０４で、ＲＡ構成および／またはＣＥレベルに基づいてＰＲＡＣＨパラメータを決定することができる。例えば、ＲＡ構成は、１または複数のＣＥレベルに関連付けられることができる１または複数のＰＲＡＣＨパラメータまたはＰＲＡＣＨパラメータのセットを含むことができる。ＰＲＡＣＨパラメータは、１もしくは複数のプリアンブル、ならびに／または、１もしくは複数のＰＲＡＣＨの時間リソースおよび／もしくは周波数リソースを含むことができる。ＷＴＲＵは、プリアンブルを決定することができ、例えば、１または複数のプリアンブルのセットからプリアンブルを選択することができる。ＷＴＲＵは、１または複数の時間リソースから、サブフレームまたは（例えば反復のための）サブフレームのセットを決定することができる。ＷＴＲＵは、１または複数の周波数リソースから、１または複数のＰＲＢ（例えばＰＲＢのセット）などの周波数リソースを決定することができる。ＣＥレベルは、例えば測定に基づいて、ＷＴＲＵによって決定されることができる。ＣＥレベルは、開始ＣＥレベルおよび以前に失敗したランダムアクセスの試行回数に従って、ＷＴＲＵによって決定されることができる。低減ＢＷを使用している可能性があるが、ＣＥモードではない、またはＣＥモードを使用していない可能性があるＷＴＲＵの場合、ＣＥレベルが、４０４でＰＲＡＣＨパラメータの決定に含められないことができる。
【００９４】
ＷＴＲＵは、４０６で、ＰＲＡＣＨパラメータに基づいてプリアンブルを送信することができる。例えば、ＷＴＲＵは決定されたプリアンブルを、決定されたＰＲＡＣＨ上で、または決定されたＰＲＡＣＨを使用して送信することができる。ＷＴＲＵは、決定された周波数リソース（または、周波数ホッピングが１または複数の反復に使用される場合は、複数の周波数リソース）内の決定されたサブフレームまたはサブフレームのセット内で、決定されたプリアンブルを送信することができる。
【００９５】
ＷＴＲＵは、４０８で、少なくとも１つのＰＲＡＣＨパラメータおよび／またはＣＥレベルに基づいてＲＡＲの位置を決定することができる。ＲＡＲの位置は、ＲＡＲが送信されることができるサブフレームおよび／または周波数リソースのうちの少なくとも１つを含むことができる。反復を伴うＲＡＲの場合、位置は複数のサブフレーム（例えばサブフレームのセット）を含むことができる。反復を伴うＲＡＲの場合、例えば周波数ホッピングが使用されていれば、位置は複数の周波数位置（例えば周波数位置のセット）を含むことができる。
【００９６】
ＷＴＲＵは、４１０で、少なくとも１つのＰＲＡＣＨパラメータおよび／またはＣＥレベルに基づいて、ＲＡＲが送信される際の反復の数を決定することができる。一部のＷＴＲＵ（例えば、低減ＢＷを使用している可能性があるが、ＣＥモードではない、またはＣＥモードを使用していない可能性があるＷＴＲＵ）では、この決定が行われないことができる。
【００９７】
ＷＴＲＵは、４１２で、必要に応じて決定された数まで反復して、決定された位置でＲＡＲを受信すること、または受信しようと試みることができる。ＷＴＲＵは、１または複数の決定された位置でＲＡＲの反復を受信することができ、それらの反復を結合し、ＲＡＲを正常に受信およびデコードすることができる。ＷＴＲＵは、４１２で、決定された反復の数まで、受信および結合することができる。
【００９８】
ＷＴＲＵがＲＡ応答ウィンドウ内でＲＡＲを正常に受信した場合、ＷＴＲＵは、ＲＡＲによって割り当てられること、または許可されることができるリソース上で、成功メッセージを送信することができる。成功メッセージは、ランダムアクセスｍｓｇ３または別のメッセージであることができる。ＷＴＲＵがＲＡ応答ウィンドウ内でＲＡＲを正常に受信しない場合、ＷＴＲＵは、ランダムアクセス手順および例えば１または複数のＣＥレベルで既に行われた試行回数に応じて、停止すること、または再び試行することができる。
【００９９】
図４Ｂは、１または複数のＰＲＡＣＨパラメータ４１４および１または複数のＲＡＲの位置４１６を含んでいるＲＡ構成の別の例を示している。ＲＡ構成は、１または複数のＰＲＡＣＨパラメータと、ＲＡＲの位置、例えば反復の位置との間の関連または対応をＷＴＲＵに提供することができる。ＰＲＡＣＨパラメータおよび／またはＲＡＲの位置は、ＣＥレベルに関連付けられることができる。
【０１００】
図５は、例えばｅＮＢまたはセルによる、プリアンブル受信およびＲＡＲ送信の例を示している。プリアンブルは、５０６で、ＣＥレベルに関連付けられたＰＲＡＣＨで、またはそのようなＰＲＡＣＨを使用して受信されることができる。ＲＡＲの位置および／またはＲＡＲ反復の数は、５０８で、ＰＲＡＣＨの少なくとも１つのパラメータに基づいて決定されることができる。ＲＡＲの位置は、ＲＡＲが送信されることができる、または送信される予定であるサブフレームまたは周波数リソースのうちの少なくとも１つを含むことができる。ＰＲＡＣＨパラメータは、サブフレーム、周波数リソース（例えば、この周波数リソース上でプリアンブルが送信される、または受信される）、またはプリアンブルのうちの少なくとも１つを含むことができる。ＲＡＲは、５１０で、決定された位置で、かつ／または決定された反復を使用して、送信されることができる。
【０１０１】
ＲＡＲの位置は、ＲＡＲ（または、少なくとも１つのＲＡＲ）を運ぶことができるＰＤＳＣＨの位置を表すために使用されることができる。ＲＡＲの位置は、ＲＡＲ（もしくは、少なくとも１つのＲＡＲ）を含むもしくは運ぶことができる制御チャネルまたは制御情報（例えば、ＰＤＣＣＨ、ＥＰＤＣＣＨ、Ｍ−ＰＤＣＣＨ、ＤＣＩ、またはＤＣＩ形式のうちの１または複数）の位置を表すために使用されることができ、またはＲＡＲ（もしくは、少なくとも１つのＲＡＲ）を運ぶことができるＰＤＳＣＨを示すこと、もしくはそのようなＰＤＳＣＨに関連付けられることができる。
【０１０２】
ＲＡＲは、ＲＡＲ（または、少なくとも１つのＲＡＲ）を運ぶことができるＰＤＳＣＨを表すために使用されることができる。ＲＡＲは、ＲＡＲ（もしくは、少なくとも１つのＲＡＲ）を含むもしくは運ぶことができる制御チャネルまたは制御情報（例えば、ＰＤＣＣＨ、ＥＰＤＣＣＨ、Ｍ−ＰＤＣＣＨ、ＤＣＩ、またはＤＣＩ形式のうちの１または複数）を表すために使用されることができ、またはＲＡＲ（もしくは、少なくとも１つのＲＡＲ）を運ぶことができるＰＤＳＣＨを示すこと、もしくはそのようなＰＤＳＣＨに関連付けられることができる。
【０１０３】
少なくとも１つのＲＡＲのトランスポートブロックサイズ（ＴＢＳ：Ｔｒａｎｓｐｏｒｔ  Ｂｌｏｃｋ  ｓｉｚｅ）が、構成または固定されることができ、ＲＡ応答（例えば、プリアンブルの数または特定の数）の数（例えば特定の数）に対応することができる。例えば、応答（例えば実際の応答）の数が、構成または固定されることができるＲＡＲ  ＴＢＳを適用することができるＲＡ応答またはプリアンブルの数（例えば特定の数）よりも少ないことがある場合、パディングが使用されることができる。ＴＢＳ構成は、ｅＮＢから来ることができるブロードキャスト信号伝達などの信号伝達によるものであることができる。１または複数のＣＥレベルに対して、（例えば固定または構成された）別々のＲＡＲ  ＴＢＳの値が存在することができる。（例えば少なくとも１つの）カバレッジが制限されたＷＴＲＵおよび／または帯域幅が制限されたＷＴＲＵが意図され得るＲＡＲに対して、少なくとも１つのＲＡＲ  ＴＢＳの値が存在することができる。カバレッジが制限されること、および／または帯域幅が制限されることができるＷＴＲＵなどのＷＴＲＵは、固定または構成されたＴＢＳを持つＲＡＲを受信すること、または受信を予測することができる。ｅＮＢは、固定または構成されたＴＢＳを持つ、カバレッジが制限されること、および／または帯域幅が制限されることができる（例えば少なくとも１つの）ＷＴＲＵが意図され得るＲＡＲを送信することができる。
【０１０４】
Ｎ個のＣＥレベルが存在することができ、かつ／またはＮ個のＣＥレベルのうちの１または複数（例えば、それぞれ）に対して、ＰＲＡＣＨリソース（例えば別々のＰＲＡＣＨリソース）が存在することができる。特定のＣＥレベルに対応することができるリソースを使用してＰＲＡＣＨを送信することができるＷＴＲＵは、ＷＴＲＵおよび／またはＷＴＲＵによって使用されるＰＲＡＣＨリソースのＣＥレベルに対応することができる時間リソースおよび／または周波数リソース（例えばサブフレームおよび／またはＲＢ）内のＲＡＲを受信すること、または受信を予測することができる。ｅＮＢは、時間リソースおよび／または周波数リソース（例えばサブフレームおよび／またはＲＢ）内でＲＡＲを送信することができ、それらのリソースは、特定のＣＥレベルに対応することができるＰＲＡＣＨをｅＮＢが受信した可能性があるリソースに対応することができる。異なるＣＥレベルのＲＡＲは、同じサブフレームまたは異なるサブフレーム内に存在することができる異なる周波数リソース内に存在することができる。
【０１０５】
ＲＡＲトランスポートブロック（ＴＢ：Ｔｒａｎｓｐｏｒｔ  Ｂｌｏｃｋ）サイズ（例えば可能な、または候補となるＴＢサイズ）のセットは、固定もしくは（例えばｅＮＢによって）構成されること、および／または（例えばＷＴＲＵによって）決定されることができる。ＷＴＲＵは、例えばＲＡＲを監視する、かつ／またはＲＡＲを受信しようとする場合に、セット内のＴＢサイズのうちの１または複数を試行して、ＲＡＲを正常に受信しようと試みることができる。
【０１０６】
ＲＡＲの候補のセットは、固定もしくは（例えばｅＮＢによって）構成されること、および／または（例えばＷＴＲＵによって）決定されることができる。ＲＡＲの候補は、時間（例えばサブフレーム）、周波数（例えばＲＢ）、ＴＢＳ、および／またはＭＣＳなどの１もしくは複数の送信パラメータを含むことができる１または複数の特性において異なることができる。ＷＴＲＵは、例えばＲＡＲを監視する、かつ／またはＲＡＲを受信しようとする場合に、ＲＡＲの候補のうちの１または複数を試行して、ＲＡＲを正常に受信しようと試みることができる。
【０１０７】
ｅＮＢ（例えば、そこからのＰＲＡＣＨ送信をそれが受信した可能性のあるＷＴＲＵが制限帯域幅ＷＴＲＵであるかどうか不確かなことがあるｅＮＢ）は、制限帯域幅ＷＴＲＵが受信できる方法で、かつ全帯域幅ＷＴＲＵが受信できる方法で、ＲＡＲを送信することができる。
【０１０８】
ｅＮＢは、（例えば少なくとも１つの）ＷＴＲＵが意図されることができるＲＡＲを運ぶことができるＰＤＳＣＨ（カバレッジ拡張の場合に反復されることができるＰＤＳＣＨ）を送信することができる。ｅＮＢは、ＰＤＣＣＨおよびＥＰＤＣＣＨの両方においてＲＡＲを運ぶことができるＰＤＳＣＨのＤＣＩ形式を送信することができる。ＰＤＣＣＨは、ＥＰＤＣＣＨによって示される位置および／またはパラメータと同じであるＰＤＳＣＨの位置および／またはパラメータを示すことができる。ＰＤＳＣＨは、制限帯域幅ＷＴＲＵによって受信されることができる帯域幅内に配置されることができる。ＤＣＩ形式がＲＡＲ  ＰＤＳＣＨ（例えば、カバレッジが制限されたＷＴＲＵおよび／または制限帯域幅ＷＴＲＵのＲＡＲ  ＰＤＳＣＨ）に必要ではないことがある場合、ＥＰＤＣＣＨは送信されないことができる。ＰＤＣＣＨは、構成された、または別の方法で知られた、または決定された位置および／またはパラメータと同じである、ＰＤＣＣＨの位置および／またはパラメータを示すことができる。ＰＤＳＣＨは、制限帯域幅ＷＴＲＵがサポートすることができる帯域幅内のＵＬリソースに対する許可を提供することができる。
【０１０９】
ｅＮＢは、例えば同じサブフレーム内の、２つのＰＤＳＣＨ（カバレッジ拡張の場合、そのうちの１または複数は反復されることができる）を送信することができる。ＰＤＳＣＨ（例えば、２つのＰＤＳＣＨのそれぞれ、および／または２つのＰＤＳＣＨの反復）は、（例えば少なくとも）ＷＴＲＵが意図されることができるＲＡＲを運ぶことができる。
【０１１０】
ｅＮＢは、ＰＤＣＣＨ内の第１のＰＤＳＣＨのＤＣＩ形式を送信することができる。ｅＮＢは、ＥＰＤＣＣＨ内の第２のＰＤＳＣＨのＤＣＩ形式を送信することができる。送信は、同じサブフレーム内にあることができる。第１のＰＤＳＣＨの位置は、制限帯域幅ＷＴＲＵによってサポートされることができる帯域幅に制限されないことができる。第２のＰＤＳＣＨの位置は、制限帯域幅ＷＴＲＵによってサポートされることができる帯域幅内にあること（または制限されること）ができる。ｅＮＢは、第２のＰＤＳＣＨのＤＣＩ形式を送信しないことができる。第２のＰＤＳＣＨの位置および／またはパラメータは、（例えば、ブロードキャスト信号伝達および／またはシステム情報などのｅＮＢからの信号伝達によって）構成されること、および／または知られること、もしくは決定されることができる。１または複数の（例えば各）ＰＤＳＣＨは、ＰＲＡＣＨ送信をそれが受信した可能性のあるＷＴＲＵが（例えば少なくとも）意図されることができるＲＡＲを運ぶことができる。
【０１１１】
ｅＮＢは、ＲＡ手順のメッセージ３を運ぶことができるＰＵＳＣＨのＷＴＲＵ送信用であることができる（例えばそれぞれがＰＵＳＣＨ送信に対する）２つのＵＬ許可を提供することができる。２つのＵＬ許可は、同じサブフレーム内のリソースに対するものであることができる。少なくとも１つのＵＬ許可は、制限帯域幅ＷＴＲＵがサポートすることができる（例えば、送信できる）リソースに対するものであることができる。第１および／または第２の（例えば少なくとも第２の）ＰＤＳＣＨは、制限帯域幅ＷＴＲＵがサポートすることができるリソースに対するＵＬ許可を含むことができる。
【０１１２】
全帯域幅ＷＴＲＵ（例えば、ｅＮＢにおけるＲＡＲの送信を引き起こした可能性のあるＰＲＡＣＨを送信した可能性のある全帯域幅ＷＴＲＵ）は、（例えば、ＰＤＣＣＨ内のＤＬ許可に基づいて）ＰＤＣＣＨ内のＤＣＩ形式を受信および／またはデコードすること、ならびに第１のＰＤＳＣＨを受信することができる。全帯域幅ＷＴＲＵは、第１のＰＤＳＣＨによって許可されたＵＬリソース内でメッセージ３を運ぶことができるＰＵＳＣＨを送信することができる。制限帯域幅ＷＴＲＵ（例えば、ｅＮＢにおけるＲＡＲの送信を引き起こした可能性のあるＰＲＡＣＨを送信した可能性のある制限帯域幅ＷＴＲＵ）は、（例えば、ＥＰＤＣＣＨ内のＤＬ許可に基づいて、または知られたか決定された位置、および／もしくは知られたか決定されたパラメータに基づいて）ＥＰＤＣＣＨ内のＤＣＩ形式を受信および／もしくはデコードすること、ならびに／または第２のＰＤＳＣＨを受信することができる。制限帯域幅ＷＴＲＵは、第２のＰＤＳＣＨによって許可されたＵＬリソース内のＰＵＳＣＨ内のメッセージ３を送信することができる。
【０１１３】
ｅＮＢは、ＷＴＲＵがメッセージ３を送信することができ、かつ／またはｅＮＢが（例えばＵＬリソースを許可された可能性のあるＷＴＲＵから）メッセージ３を受信することができるＰＵＳＣＨに基づいて、ＷＴＲＵが制限帯域幅ＷＴＲＵであるかどうかを決定することができる。
【０１１４】
ＰＲＡＣＨ、ＰＤＣＣＨ、ＥＰＤＣＣＨ、ＰＤＳＣＨ、および／またはＰＵＳＣＨのうちの１または複数は、例えば複数のサブフレーム内で、例えばカバレッジ拡張技術が使用されることができる場合に、反復されることができる。それらのチャネルのいずれかを送信および／または受信することは、チャネルの１または複数の反復（例えば、チャネルの第１のインスタンスが、チャネルの反復であると見なされることができる）を送信または受信することに置き換えられることができ、その場合でも、本開示に一致することができる。ＷＴＲＵまたはｅＮＢがチャネルを正常に受信するために、第１のインスタンスおよびその後の１または複数の後続の反復を含むことができる反復のうちの１または複数は、結合されることができる。
【０１１５】
ＲＡＲは、そのＲＡＲが対応することができるＰＲＡＣＨ送信のサブフレーム（例えば開始サブフレームまたは終了サブフレーム）および／または周波数（例えばＲＢまたは開始ＲＢ）の指示を含むことができる。
【０１１６】
ＷＴＲＵは、それが制限帯域幅ＷＴＲＵであるかどうかを、メッセージを介してｅＮＢに通知することができ、そのメッセージは、例えばＲＲＣ接続要求メッセージまたはＷＴＲＵ能力メッセージなどのＲＲＣメッセージであることができる。
【０１１７】
ＷＴＲＵが制限帯域幅ＷＴＲＵであることの指示が、そのような指示を含むことができる（ＲＲＣ接続要求または能力メッセージなどの）メッセージ内で受信されないことは、そのＷＴＲＵが低減帯域幅ＷＴＲＵではないことの指示の受信と同じであると見なされることができる。例えば、ｅＮＢが、低減帯域幅の指示を含むことができるメッセージをＷＴＲＵから受信し、制限帯域幅の指示が含まれていない場合、ｅＮＢはＷＴＲＵを全帯域幅ＷＴＲＵである（例えば、制限帯域幅ＷＴＲＵではない）と見なすことができる。
【０１１８】
ｅＮＢは、ｅＮＢが制限帯域幅の指示を受信するかどうかに基づいて、ＷＴＲＵの帯域幅能力（例えば、制限されているか制限されていないか）を決定することができる。
【０１１９】
ＲＡ応答および／またはＲＡ−ＲＮＴＩが提供されること、および／または使用されることができる。ＷＴＲＵがＲＡプリアンブルを送信することができた後に、例えば測定ギャップが発生する可能性に関わらず、ＷＴＲＵは、ＲＡ−ＲＮＴＩによって識別されることができ、かつＲＡ応答ウィンドウ内で到着することができるランダムアクセス応答（ＲＡＲ）について、例えばＰＣｅｌｌなどのサービングセルのＰＤＣＣＨを監視することができる。ＲＡ応答ウィンドウは、プリアンブル送信の終了および複数の追加サブフレーム（例えば３つの追加サブフレーム）を含むことができるサブフレームなどの特定のサブフレームで開始することができる。ＲＡ応答ウィンドウは、ブロードキャスト（例えば、システム情報）信号伝達などの信号伝達を介して（例えばｅＮＢによって）構成または提供されることができる、ｒａ−ＲｅｓｐｏｎｓｅＷｉｎｄｏｗＳｉｚｅのサブフレームなどのサブフレームの長さを持つことができる。
【０１２０】
プリアンブルが送信されることができるＰＲＡＣＨに関連付けられたＲＡ−ＲＮＴＩは、例えば次のように計算されることができる。
ＲＡ−ＲＮＴＩ＝１＋ｔ＿ｉｄ＋１０＊ｆ＿ｉｄ
ここで、ｔ＿ｉｄはＰＲＡＣＨの第１のサブフレームのインデックスであることができ（例えば０≦ｔ＿ｉｄ＜１０）、かつ／またはｆ＿ｉｄはそのサブフレーム内の、例えば周波数領域の昇順でのＰＲＡＣＨのインデックスであることができる（例えば０≦ｆ＿ｉｄ＜６）。ＷＴＲＵは、送信されたＲＡプリアンブルに一致することができるＲＡプリアンブル識別子を含むことができるＲＡＲの正常な受信の後に、ＲＡＲの監視を停止することができる。
【０１２１】
カバレッジが制限されたＷＴＲＵの場合、プリアンブルおよび／またはＲＡＲは反復されることができる。カバレッジが制限されたＷＴＲＵのＲＡ−ＲＮＴＩは、カバレッジが制限されていないＷＴＲＵのそれらと衝突する可能性があり、ＲＡ応答ウィンドウの定義は、カバレッジが制限されたＷＴＲＵに関して不十分であることがある。
【０１２２】
ｅＮＢは、例えばカバレッジが制限されることができるＵＥにＲＡＲを送信するときに、カバレッジが拡張される方法でＲＡＲを送信することができる。カバレッジが制限されたＷＴＲＵなどのＷＴＲＵは、カバレッジが拡張される方法でＲＡＲを受信することができる。カバレッジが拡張される方法での送信および／または受信は、以下のうちの少なくとも１または複数を含むことができ、ならびに／または、ＷＴＲＵおよび／もしくはｅＮＢは、以下のうちの少なくとも１もしくは複数に従って、カバレッジが拡張される方法で送信および／もしくは受信を実行することできる。
【０１２３】
カバレッジが拡張される方法での送信および／または受信は、ＲＡＲの反復の送信を含むことができ、そのＲＡＲの反復は、ＲＡＲを運ぶことができるＰＤＳＣＨの反復、ならびに／または関連するＰＤＣＣＨおよび／もしくはＥＰＤＣＣＨの反復を含むことができる。
【０１２４】
カバレッジが拡張される方法での送信および／または受信は、ＲＡＲの反復の受信および／または結合を含むことができ、そのＲＡＲの反復は、ＲＡＲを運ぶことができるＰＤＳＣＨの反復の受信および／もしくは結合、ならびに／または関連するＰＤＣＣＨおよび／もしくはＥＰＤＣＣＨの反復の受信および／もしくは結合を含むことができる。
【０１２５】
カバレッジが拡張される方法での送信および／または受信は、（例えば、カバレッジが制限されないＷＴＲＵまたはカバレッジ拡張（ＣＥ）モードではないことができるＷＴＲＵによって使用されることができる、またはそのようなＷＴＲＵに使用されることができるＲＡ応答ウィンドウに対して）変更および／または拡張されたＲＡ応答ウィンドウの使用を含むことができる。
【０１２６】
カバレッジが拡張される方法での送信および／または受信は、ＲＡＲ  ＰＤＣＣＨまたはＥＰＤＣＣＨのＲＮＴＩ（例えば、カバレッジが制限されたＷＴＲＵに固有であることができる（例えば特定のカバレッジ拡張レベルの）ＣＥ−ＲＡ−ＲＮＴＩ）の送信を含むことができる。
【０１２７】
カバレッジが拡張される方法での送信および／または受信は、ＲＡＲ  ＰＤＣＣＨまたはＥＰＤＣＣＨのＲＮＴＩ（例えば、カバレッジが制限されたＷＴＲＵに固有であることができる（例えば特定のカバレッジ拡張レベルの）ＣＥ−ＲＡ−ＲＮＴＩ）の監視および／または受信を含むことができる。
【０１２８】
ＲＡ−ＲＮＴＩまたは新しいＲＮＴＩは、例えばカバレッジが制限されること、および／または帯域幅が制限されることができるＷＴＲＵが（例えば少なくとも）意図されるＲＡＲのために、ＲＡＲを運ぶことができるＰＤＳＣＨに関連付けられたＰＤＣＣＨおよび／またはＥＰＤＣＣＨに使用されることができる。
【０１２９】
ＲＡＲを運ぶことができるＰＤＳＣＨに関連付けられたＰＤＣＣＨおよび／またはＥＰＤＣＣＨは、例えばカバレッジが制限されること、および／または帯域幅が制限されることができるＷＴＲＵが（例えば少なくとも）意図されるＲＡＲのために、共通検索空間（例えばＰＤＣＣＨ共通検索空間および／またはＥＰＤＣＣＨ共通検索空間）内に配置されることができる。
【０１３０】
ｅＮＢは、例えばカバレッジが制限されたＷＴＲＵによって送信された可能性のあるＰＲＡＣＨプリアンブル、および／またはカバレッジが制限されたＷＴＲＵによって送信されたとｅＮＢによって見なされること、もしくは決定されることができるＰＲＡＣＨプリアンブルの受信に応答するときに、ＲＡＲをカバレッジが拡張される方法で送信することができる。
【０１３１】
ＲＡ応答ウィンドウは、（プリアンブルの最後の反復のサブフレームであることができる）プリアンブル送信の終了および複数のサブフレーム（例えば３つのサブフレーム）であること、またはそれらを含むことができるサブフレームなどのサブフレームで開始することができる。ＲＡ応答ウィンドウの開始および／または長さは、プリアンブル（もしくはＰＲＡＣＨ送信）の反復の数（もしくはＣＥレベル）、ＲＡＲの反復もしくは予測される反復の数、ＲＡＲの制御情報を運ぶことおよび／もしくはＲＡ−ＲＮＴＩ（もしくはＣＥ−ＲＡ−ＲＡＮＴＩ）を使用することができるＰＤＣＣＨおよび／もしくはＥＰＤＣＣＨの反復の数、ＲＡＲの最後のＲＡ−ＲＮＴＩ（もしくはＣＥ−ＲＡ−ＲＡＮＴＩ）ＰＤＣＣＨ（もしくはＥＰＤＣＣＨ）と、最初のＲＡＲとの間にあることができる（例えばサブフレーム単位の）ギャップ、ｒａ−ＲｅｓｐｏｎｓｅＷｉｎｄｏｗＳｉｚｅ、固定された値もしくは（例えば、ブロードキャスト信号伝達および／もしくはシステム情報信号伝達などのｅＮＢ信号伝達によって）構成された値であることができる値（例えばｃｅ−ｒａ−ＲｅｓｐｏｎｓｅＷｉｎｄｏｗＳｉｚｅ）、固定された値もしくは（例えば、ブロードキャスト信号伝達および／もしくはシステム情報信号伝達などのｅＮＢ信号伝達によって）構成された値であることができるウィンドウオフセット値、ならびに／またはＲＡＲの反復に対するサブフレーム割り当てのうちの少なくとも１または複数の関数であることができる。
【０１３２】
プリアンブルおよび／または関連するＰＤＣＣＨ（もしくはＥＰＤＣＣＨ）および／またはＲＡＲの反復および／または予測される反復は、ＷＴＲＵによって示されること、および／またはＷＴＲＵによってランダムアクセスに使用されるＰＲＡＣＨリソースからｅＮＢによって理解されることができるＷＴＲＵのＣＥモードおよび／またはＣＥレベルに基づくことができる。ギャップは、固定された値または（例えば、ブロードキャスト信号伝達および／またはシステム情報信号伝達などのｅＮＢの信号伝達によって）構成された値であることができる。
【０１３３】
例えば、ＷＴＲＵがプリアンブルをＮｒｅｐ回送信できる場合、ウィンドウの長さは、Ｎｒｅｐ（または２などのＮｒｅｐの倍数）に、ｒａ−ＲｅｓｐｏｎｓｅＷｉｎｄｏｗＳｉｚｅまたは値（例えばｃｅ−ｒａ−ＲｅｓｐｏｎｓｅＷｉｎｄｏｗＳｉｚｅ）のサブフレームなどの固定または（ブロードキャスト信号伝達および／またはシステム情報信号伝達などのｅＮＢの信号伝達によって）構成された値を加えた値になることができる。オフセットが追加されることができる。例えば、ＣＥ応答ウィンドウサイズは、２ｘＮｒｅｐ＋ｒａ−ＲｅｓｐｏｎｓｅＷｉｎｄｏｗＳｉｚｅ＋ウィンドウオフセットになることができる。
【０１３４】
ＲＡＲが送信されることができる（または、送信されると予測されることができる）回数がＭｒｅｐである場合、ウィンドウの長さは、Ｍｒｅｐ（または２などのＭｒｅｐの倍数）に、ｒａ−ＲｅｓｐｏｎｓｅＷｉｎｄｏｗＳｉｚｅまたは値（例えばｃｅ−ｒａ−ＲｅｓｐｏｎｓｅＷｉｎｄｏｗＳｉｚｅ）のサブフレームなどの固定または構成された値を加えた値になることができる。オフセットが追加されることができる。例えば、ＣＥ応答ウィンドウサイズは、２ｘＭｒｅｐ＋ｒａ−ＲｅｓｐｏｎｓｅＷｉｎｄｏｗＳｉｚｅ＋ウィンドウオフセットになることができる。ウィンドウオフセットは、ＲＡＲ  ＰＤＳＣＨに対する許可を示すことができる制御チャネルの最後の反復と、ＲＡＲ  ＰＤＳＣＨの最初の反復（例えば最初の送信）の間の、サブフレーム単位の時間のギャップであることができる。制御チャネルの反復の数をＣｒｅｐにすることができ、ＲＡＲの反復の数をＲｒｅｐにすることができる場合、応答ウィンドウサイズは、それら両方の関数であることができ、それらの間にギャップがあれば、そのギャップのサイズの関数であることができる。例えば、ＣＥ応答ウィンドウサイズは、Ｃｒｅｐ＋Ｒｒｅｐ＋ｒａ−ＲｅｓｐｏｎｓｅＷｉｎｄｏｗＳｉｚｅ＋ウィンドウオフセットになることができる。ｒａ−ＲｅｓｐｏｎｓｅＷｉｎｄｏｗＳｉｚｅは、ｃｅ−ｒａ−ＲｅｓｐｏｎｓｅＷｉｎｄｏｗＳｉｚｅまたは別のパラメータもしくは値によって置き換えられることができる。ウィンドウオフセットは、０または正の整数であることができる。
【０１３５】
ＲＡＲの反復に対するサブフレーム割り当ては、ｅＮＢによって、例えばブロードキャスト信号伝達などの信号伝達によって、提供または構成されることができる。サブフレーム割り当ては、ＲＡＲまたは特定のＲＡＲが送信されること、および／または予測されることができるサブフレームを示すことができる。例えば、特定のＣＥモード、ＣＥレベル、ＢＷ制限、またはＰＲＡＣＨリソースに対応することができるＲＡＲは、特定のサブフレーム内で送信されることができ、または特定のサブフレーム内でのみ送信されることができる。サブフレーム（例えば特定のサブフレーム）は、周期性、その周期性が対応できるＳＦＮの指示（例えば、ｘが指定されることができ、周期性がＳＦＮ  ｍｏｄ  ｘ＝０に対応することができる）、および／または（例えば周期の開始からの）オフセットのうちの少なくとも１または複数によって示されることができる。応答ウィンドウの開始および／または長さは、サブフレーム割り当ての関数であることができる。例えば、サブフレーム割り当てが４サブフレームの周期性を持つことができる場合、応答ウィンドウは、１サブフレームの周期性を持つことができる場合よりも約４倍長くなることができる。
【０１３６】
応答ウィンドウサイズは、例えばＴＤＤの場合、各フレーム内のＤＬ（または非ＵＬ）サブフレームの数の関数であることができ、セルのシステム情報ブロック（ＳＩＢ、例えばＳＩＢ１）内でブロードキャストされ得るＴＤＤ  ＵＬ／ＤＬ構成に基づくことができる。例えばＴＤＤの場合に、ＲＡＲのためのサブフレームをカウントする、または考慮する場合、サブフレームは、ＲＡＲが送信されることができるサブフレーム（例えば、ＤＬおよび／または非ＵＬサブフレーム）を指す（またはそれのみを指す）ことができる。
【０１３７】
一部のサブフレームがＲＡＲを含まないことがある場合（例えば、ＵＬサブフレーム、一部の特殊なサブフレーム、および／またはＰＢＣＨを含むことができるサブフレーム）、ＲＡＲウィンドウのためのサブフレームをカウントする、または考慮するとき、それらのサブフレームはカウントまたは考慮から除外されることができ、ウィンドウの時間はカウントよりも長くなることができる。例えば、ＲＡＲ応答ウィンドウが１００サブフレームであり得、フレーム内の各１０サブフレームのうちの２つが除外され得る場合、応答ウィンドウは、カウントされた１００サブフレームに対して、実際は１００／０．８＝１２５サブフレームの範囲を使用することができる。
【０１３８】
ウィンドウの長さは、（例えば、ブロードキャスト信号伝達および／またはシステム情報信号伝達などのｅＮＢの信号伝達によって）構成された新しい値（例えば、ＣＥレベルの関数であることができ、ＣＥレベルのＲＡＲの反復を考慮することができるｃｅ−ｒａ−ＲｅｓｐｏｎｓｅＷｉｎｄｏｗＳｉｚｅのサブフレーム）になること、またはそのような値に基づくことができる。
【０１３９】
ＷＴＲＵは、例えばＷＴＲＵの（例えば現在の）カバレッジ拡張レベルのためであることができるプリアンブルの反復の送信の後に、ＲＡ−ＲＮＴＩおよび／またはＣＥ−ＲＡ−ＲＮＴＩについて、制御チャネル（例えばＰＤＣＣＨおよび／またはＥＰＤＣＣＨ）を監視することができる。ＷＴＲＵは、ＲＡＲを運ぶＰＤＳＣＨを受信することができる。ＷＴＲＵは、応答ウィンドウ内の監視を実行することができる。ＷＴＲＵは、制御チャネルを正常に受信することができるまで、制御チャネルのＣｒｅｐの反復（例えば、Ｃｒｅｐの反復の移動するウィンドウ）を結合することができる。ＷＴＲＵは、例えばＲＡＲを正常に受信することができるまで、Ｒｒｅｐを、またはＲｒｅｐまで（例えば、ＲＡＲのＲｒｅｐの反復またはＲｒｅｐまでの反復の移動するウィンドウ）を結合することができる。ＷＴＲＵは、ＷＴＲＵの特性および／またはＷＴＲＵが送信に使用した可能性があるＰＲＡＣＨリソースに対応することができるサブフレーム割り当てに対応することができるサブフレーム内のＲＡ−ＲＮＴＩおよび／またはＣＥ−ＲＡ−ＲＮＴＩについて、制御チャネルを監視すること、またはそのような制御チャネルのみを監視することができる。ＷＴＲＵの特性は、ＣＥモード、ＣＥレベル、および／または帯域幅制限のうちの１または複数を含むことができる。
【０１４０】
ＷＴＲＵは、例えばＷＴＲＵの現在のカバレッジ拡張レベルのためであることができるプリアンブルの反復の送信の後に、固定された、知られた、かつ／または決定された位置内でＲＡＲを運ぶことができるＰＤＳＣＨを監視すること（例えば、受信すること、または受信しようと試みること）ができる。ＷＴＲＵは、応答ウィンドウ内の監視を実行することができる。ＷＴＲＵは、例えばＷＴＲＵが送信した可能性のあるプリアンブルの指示を含むことができるＲＡＲをＷＴＲＵが正常に受信することができるまで、Ｒｒｅｐの反復を、またはＲｒｅｐまでの反復（例えば、ＲＡＲのＲｒｅｐの反復またはＲｒｅｐまでの反復の移動するウィンドウ）を結合することができる。
【０１４１】
ＷＴＲＵは、ＷＴＲＵの特性および／またはＷＴＲＵが送信に使用した可能性があるＰＲＡＣＨリソースに対応することができるサブフレーム割り当てに対応することができるサブフレーム内のＲＡＲを運ぶことができるＰＤＳＣＨを監視すること、またはそのようなＰＤＳＣＨのみを監視することができる。
【０１４２】
カバレッジが制限されること、および帯域幅が制限されることが両方ともできるＷＴＲＵは、カバレッジが制限されたＷＴＲＵに関して本明細書で開示された少なくとも１または複数の例に従って動作することができる。例えば、カバレッジが制限されること、および帯域幅が制限されることが両方ともできるＷＴＲＵなどのＷＴＲＵは、ＣＥ−ＲＡ−ＲＮＴＩについて制御チャネルを監視すること、反復されるプリアンブルを送信すること、制御チャネルおよび／もしくはＰＤＳＣＨの反復を結合すること、反復されるＰＵＳＣＨおよび／もしくはＰＵＣＣＨを送信すること、ならびに／または同様のことを行うことができる。
【０１４３】
ＲＡＲに使用されることができるＲＡ−ＲＮＴＩ（例えば、（例えば少なくとも）カバレッジが制限されたＷＴＲＵが意図されることができるＣＥ−ＲＡ−ＲＮＴＩ）は、レガシーＷＴＲＵの場合と同じであると決定されることができる、またはその計算とは異なっている、もしくはオフセットされることができる。
【０１４４】
ＣＥ−ＲＡ−ＲＮＴＩは、ＲＡ−ＲＮＴＩと同じであること、または異なることができる。ｅＮＢによってサポートされることができる１または複数のＣＥレベル（例えば各ＣＥレベル）に対して、異なるＣＥ−ＲＡ−ＲＮＴＩまたはＣＥ−ＲＡ−ＲＮＴＩのセットが存在することができる。特定のＷＴＲＵが（例えば少なくとも）意図されること、または特定のＷＴＲＵに関して監視されること、または特定のＷＴＲＵによって予測されることができるＣＥ−ＲＡ−ＲＮＴＩは、例えば、ＣＥモード（例えばＷＴＲＵのＣＥモード）、ＣＥレベル（例えばＷＴＲＵのＣＥレベル）、（例えばＷＴＲＵの）プリアンブル送信の最初もしくは最後のサブフレーム（例えばフレーム内のそのサブフレームのインデックス）、（例えばＷＴＲＵの）プリアンブル送信の最初もしくは最後のサブフレームのフレームのＳＦＮ、（例えばＷＴＲＵによる、またはＷＴＲＵのＣＥモードもしくはＣＥレベルに対応することができる）プリアンブルの反復の数、（例えばＷＴＲＵの）ＰＲＡＣＨもしくはプリアンブル送信の周波数リソースもしくは（例えば、カバレッジが制限されたＷＴＲＵなどの特定のＷＴＲＵによって使用されることができる周波数リソースのセットの）周波数リソースのインデックス、および／またはＲＡ−ＲＮＴＩのセットのうちの１または複数の関数であることができる。
【０１４５】
例えば、第１のＣＥ−ＲＡ−ＲＮＴＩは、最後のＲＡ−ＲＮＴＩの後に使用できる第１のＲＮＴＩであることができる。第１のＣＥ−ＲＡ−ＲＮＴＩ（例えばＣＥ−ＲＡ−ＲＮＴＩ１）は、（１１＋１０＊ｆ＿ｉｄ＿ｍａｘ）であることができ、ここでｆ＿ｉｄ＿ｍａｘは、例えばレガシーＷＴＲＵのためのサブフレーム内の最高のインデックスのＰＲＡＣＨであることができる。例えば、ＦＤＤの場合、サブフレーム内に１つの（例えば１つのレガシー）ＰＲＡＣＨが存在することができ、そのためｆ＿ｉｄ＿ｍａｘは０になることができる。ＴＤＤの場合、ｅＮＢによって（例えばインデックス０〜５を使用して）構成された最大６つの（例えば６つのレガシー）ＰＲＡＣＨが存在することができ、そのためｆ＿ｉｄ＿ｍａｘは構成されたＰＲＡＣＨの数から１を引いた値になることができる。
【０１４６】
ＣＥ−ＲＡ−ＲＮＴＩは、第１のＣＥ−ＲＡ−ＲＮＴＩ、ＣＥ−ＲＡ−ＲＮＴＩ１、およびプリアンブル送信または第１のＰＲＡＣＨ送信の第１のサブフレーム（例えばｔ＿ｉｄ、ここでｔ＿ｉｄは０〜９の整数であることができる）の関数であることができる。例えば、ＣＥ−ＲＡ−ＲＮＴＩはＣＥ−ＲＡ−ＲＮＴＩ１＋ｔ＿ｉｄであることができる。
【０１４７】
ＣＥ−ＲＡ−ＲＮＴＩはＣＥｌｅｖｅｌ  ｘ  ＣＥ−ＲＡ−ＲＮＴＩ１＋ｔ＿ｉｄであることができ、ここでＣＥｌｅｖｅｌは、ＲＡＲが意図されることができるＷＴＲＵのカバレッジ拡張レベル（例えば、３つのカバレッジ拡張レベルが存在することができる場合、０、１、または２の値）に対応することができる値であることができる。カバレッジ拡張がないことは、カバレッジ拡張レベルと見なされること、または見なされないことができる。
【０１４８】
ＣＥ−ＲＡ−ＲＮＴＩは、ＣＥｌｅｖｅｌ  ｘ（１＋ｔ＿ｉｄ＋１０＊ｆ＿ｉｄ）であることができる。
【０１４９】
ＤＣＩ形式は、ＲＡＲに使用されないことができる。ＲＡＲを運ぶことができるＰＤＳＣＨは、ＷＴＲＵに対して、そのＷＴＲＵが（例えば少なくとも）意図されることができる応答をＲＡＲが含むことができるかどうかについて、例えばそれがＲＡＲ内で送信したプリアンブルをＷＴＲＵが検索する必要なしに、（例えばＰＤＳＣＨのコンテンツおよび／または１または複数のヘッダー内で）示すことができる。
【０１５０】
ＲＡＲを運ぶことができるＰＤＳＣＨのＣＲＣは、ＲＡ−ＲＮＴＩもしくはＣＥ−ＲＡ−ＲＮＴＩ、またはＷＴＲＵによって送信された可能性があるＰＲＡＣＨに対応することができるその他の指示を使用してスクランブルされることができる。ＷＴＲＵは、ＲＡ−ＲＮＴＩもしくはＣＥ−ＲＡ−ＲＮＴＩ、またはそのＣＲＣがスクランブルされるのに使用することができるその他の指示が、ＷＴＲＵのＰＲＡＣＨ送信に対応することができる指示に一致しないことがある場合、ＲＡＲを運ぶことができるＰＤＳＣＨを破棄することができる。指示は、本明細書に記載された項目のうちの１または複数の関数であることができ、その内、ＣＥ−ＲＡ−ＲＮＴＩが関数であることができる。
【０１５１】
ＲＡＲは、それが（例えば少なくとも）意図されることができる応答をＲＡＲが含むことができるかどうかの決定においてＷＴＲＵを補助することができるＲＡ−ＲＮＴＩまたはＣＥ−ＲＡ−ＲＮＴＩなどの指示を含むことができる。例えば、指示は、ＭＡＣヘッダー内またはＲＡＲの開始時などの、ＲＡＲ内の固定された位置に含められることができる。指示は、本明細書に記載された項目のうちの１または複数の関数であることができ、その内、ＣＥ−ＲＡ−ＲＮＴＩが関数であることができる。
【０１５２】
ＷＴＲＵは、指示を使用して、ＲＡＲがそれを（例えば少なくとも）意図されることができるかどうかを決定することができる。ＷＴＲＵが、ＲＡＲがそれを（例えば少なくとも）意図されることができると決定できる場合、ＷＴＲＵは、それがＲＡＲ内で送信した可能性があるプリアンブルの指示を検索し、それが（例えば少なくとも）意図されることができる応答を見つけることができる。ＷＴＲＵが、ＲＡＲがそれを（例えば少なくとも）意図されることができないと決定できる場合、ＷＴＲＵはＲＡＲを破棄することができ、かつ／またはそれを（例えば少なくとも）意図されることができる応答を含むことができるＲＡＲを引き続き検索することができる。
【０１５３】
ＷＴＲＵは、ＷＴＲＵによって知られること、または決定されることができる位置内で、かつ／または１または複数のパラメータを使用して、例えば本明細書で開示された１または複数の例に従って、そのＷＴＲＵが（例えば少なくとも）意図されることができるＲＡＲを運ぶことができるＰＤＳＣＨを監視することができる。ＷＴＲＵがＰＤＳＣＨを正常に受信および／またはデコードすることができる場合、ＷＴＲＵは、ＰＤＳＣＨがＲＡＲを含むことができるかどうか（または含むことができること）、ならびに／またはＰＤＳＣＨが、ＷＴＲＵが（例えば少なくとも）意図されることができるＲＡＲおよび／もしくはＷＴＲＵの応答（例えば少なくとも応答）を含むことができるＲＡＲを含むことができるかどうか（または含むことができること）を決定することができる。ＷＴＲＵは、次のうちの少なくとも１または複数に基づいて、決定を行うことができる。それらは、ＲＡＲが、ＷＴＲＵが送信した可能性があるプリアンブルまたはプリアンブルの指示を含むことができるかどうか、ＲＡＲが、特定のＲＡ−ＲＮＴＩもしくはＣＥ−ＲＮＴＩ、またはＲＡＲがＷＴＲＵを意図される（または少なくとも意図される）ことができることを示すことができるその他の指示を含むことができるかどうか、である。ＷＴＲＵは、ＲＡＲが、ＷＴＲＵが送信した可能性があるプリアンブルまたはプリアンブルの指示を含むことができる場合、かつ／またはＲＡＲが、特定のＲＡ−ＲＮＴＩもしくはＣＥ−ＲＮＴＩ、またはＲＡＲがＷＴＲＵを意図される（または少なくとも意図される）ことができることを示すことができるその他の指示を含むことができる場合、ＲＡＲがＷＴＲＵを意図される（または少なくとも意図される）ことができることを決定することができる。
【０１５４】
ＰＲＡＣＨサブフレームが、提供されること、および／または使用されることができる。カバレッジが制限されたＷＴＲＵの場合、ＷＴＲＵは、５０回または１００回などの回数、プリアンブルの送信を反復することができる。（例えば各）サブフレーム内のＰＲＡＣＨリソースのセットおよび多数の反復を仮定した場合、プリアンブル選択のためのいくつかのルールにより、例えば（カバレッジが制限されたＷＴＲＵまたはカバレッジが制限されないＷＴＲＵなどの）他のＷＴＲＵのプリアンブル送信とのより多くの衝突が発生することがある。
【０１５５】
ＰＲＡＣＨリソースは、例えば、すべてのフレームまたは１つおきにすべてのフレームなどのフレームのセット内で定義されることができる。それらのフレーム内の特定のサブフレームは、ＰＲＡＣＨリソースのためのサブフレームとして指定されることができる。ＷＴＲＵは、ＰＲＡＣＨプリアンブルを送信すること、および／またはＰＲＡＣＨのサブフレーム内で送信するためにＰＲＡＣＨプリアンブルを選択することができる。
【０１５６】
ＷＴＲＵ（例えばカバレッジが制限されたＷＴＲＵ）は、プリアンブルおよびＰＲＡＣＨ周波数リソースを、例えば１つのサブフレーム内で、そのようなプリアンブルおよび周波数リソースのセットまたはプールから選択することができ、複数のサブフレーム内でその送信を反復することができる。別のＷＴＲＵが、プリアンブルおよびＰＲＡＣＨ周波数リソースを、１または複数のサブフレーム内で（例えば同じセットまたはプールから）選択することができ、そのサブフレーム内で第１のＷＴＲＵがその選択されたプリアンブルおよび周波数リソースを送信することができる場合、反復の数によって、衝突の機会が増加されることがある。
【０１５７】
ＰＲＡＣＨプリアンブルの送信が開始することができる（例えば、ＷＴＲＵがＰＲＡＣＨプリアンブル送信を開始すること、または反復の前に第１のＰＲＡＣＨプリアンブルの送信を送ることができる）フレームおよび／またはサブフレームは、ＰＲＡＣＨプリアンブルが送信されることができるフレームおよび／またはサブフレームのフルセットから低減されたフレームおよび／またはサブフレームのセット（例えばサブセット）であることができる。
【０１５８】
１または複数のフレームおよび／またはサブフレームは、（例えば、専用もしくはブロードキャスト信号伝達、ならびに／またはシステム情報信号伝達であることができる信号伝達によるなどのｅＮＢによって、）指定されること、割り当てられること、構成されること、ならびに／またはＰＲＡＣＨ開始フレームおよび／もしくは開始サブフレームとして使用されることができる。
【０１５９】
１または複数のＰＲＡＣＨ開始フレームおよび／または開始サブフレームは、（例えば、ブロードキャスト信号伝達および／またはシステム情報などの信号伝達によるなどのｅＮＢによって、）定義され、指定され、構成されることができる。
【０１６０】
開始フレームおよび／または開始サブフレームは、システムフレーム番号（ＳＦＮ：Ｓｙｓｔｅｍ  Ｆｒａｍｅ  Ｎｕｍｂｅｒ）の関数であることができる。
【０１６１】
開始フレームおよび／または開始サブフレームは、ＰＲＡＣＨリソース（例えばＰＲＡＣＨ  ＳＦＮ）が存在できる１または複数（例えば偶数または任意の数）のＳＦＮを決定もしくは識別することができるＰＲＡＣＨ構成インデックス、ＰＲＡＣＨリソースが存在できる各ＰＲＡＣＨ  ＳＦＮ内のサブフレーム、および／または送信に使用されることができるプリアンブル形式のうちの少なくとも１つの関数であることができる。
【０１６２】
開始フレームおよび／または開始サブフレームは、ＣＥレベルの関数であることができる。開始フレームおよび／または開始サブフレームは、ＣＥレベルの関数であることができる、プリアンブルの反復の数の関数であることができる。開始フレームおよび／または開始サブフレームは、オフセット（例えばフレームオフセットまたはサブフレームオフセット）などの構成された（例えばｅＮＢから信号伝達された）値の関数であることができる。
【０１６３】
開始フレームおよび／または開始サブフレームは、ＦＤＤ動作モードもしくはＴＤＤ動作モードおよび／またはＴＤＤ  ＵＬ／ＤＬ構成の関数であることができる。
【０１６４】
ＰＲＡＣＨ開始フレームは、カバレッジが制限されたＷＴＲＵなどのＷＴＲＵが特定のＰＲＡＣＨプリアンブル（または特定のＰＲＡＣＨプリアンブルの最初の部分）を送信することができるフレーム（例えば第１のフレーム）であることができる。特定のプリアンブルは、ＷＴＲＵが送信することができる反復されるプリアンブルのセットの第１のプリアンブルであることができる。
【０１６５】
ＰＲＡＣＨ開始サブフレームは、カバレッジが制限されたＷＴＲＵなどのＷＴＲＵがＰＲＡＣＨプリアンブル（またはＰＲＡＣＨプリアンブルの最初の部分）を送信することができるサブフレーム（例えば第１のサブフレーム）であることができる。プリアンブルは、ＷＴＲＵが送信することができる反復されるプリアンブルのセットの第１のプリアンブルであることができる。ＰＲＡＣＨ開始サブフレームは、ＰＲＡＣＨ開始フレーム内にあることができる。ＰＲＡＣＨ開始サブフレームは、ＰＲＡＣＨ開始フレームの開始（例えばサブフレーム０）からの（例えばサブフレーム内の）オフセットである（またはオフセットによって識別される）ことができる。
【０１６６】
例えば、ＷＴＲＵが、サブフレームＸ１内で開始するプリアンブル（またはそのようなプリアンブルのみ）を送信し、サブフレームＸ２、Ｘ３、Ｘ４、…Ｘｎ内で（またはそれらのサブフレーム内で開始して）そのプリアンブルを反復することができる場合、Ｘ１はＰＲＡＣＨ開始サブフレームであることができる。
【０１６７】
カバレッジが制限されたＷＴＲＵなどのＷＴＲＵは、開始ＰＲＡＣＨサブフレーム内で開始するプリアンブルを送信すること、またはそのようなプリアンブルのみを送信することができる。ＷＴＲＵは、プリアンブルを、特定のＮ個の各サブフレーム内で（または特定のＮ個の各サブフレーム内で開始して）、Ｎ回反復することができ、それらのＮ個のサブフレームは、次のＮ個のサブフレーム、（例えばＷＴＲＵによって）ＰＲＡＣＨ送信に利用または使用することができる次のＮ個のサブフレーム、次のＮ個のＰＲＡＣＨサブフレーム、ＰＲＡＣＨ開始フレームおよび／もしくは開始サブフレームに基づくことができる、指定される、割り当てられる、もしくは構成されるＮ個（例えば次のＮ個）のサブフレームもしくはＰＲＡＣＨサブフレームのセット、ならびに／またはＰＲＡＣＨリソースを含むことができる次のＮ個のフレームのうちの１または複数（例えばそれぞれ）に含まれる開始サブフレームと同じサブフレームのうちの、１または複数であることができる。
【０１６８】
ＣＥモードでのＰＲＡＣＨサブフレームは、非ＣＥモードを使用する場合のＰＲＡＣＨサブフレームと同じであること、または異なることができる。
【０１６９】
特定の開始ＰＲＡＣＨフレームおよび／または開始ＰＲＡＣＨサブフレームで開始するプリアンブルを送信することができるＷＴＲＵは、特定のＮ個の各サブフレーム内で（または特定のＮ個の各サブフレーム内で開始して）、プリアンブルをＮ回反復することができ、それらのＮ個のサブフレームは、特定のＰＲＡＣＨ開始フレームおよび／または開始サブフレーム内で最初に送信された可能性があるプリアンブルの反復のために割り当てられること、指定されること、または構成されることができる次のＮ個のサブフレームまたはＰＲＡＣＨサブフレームであることができる。
【０１７０】
カバレッジが制限されたＷＴＲＵなどのＷＴＲＵは、ＰＲＡＣＨリソースを、ＰＲＡＣＨ開始フレームおよび／または開始サブフレーム内で、またはＰＲＡＣＨ開始フレームおよび／または開始サブフレーム内で送信するために、使用可能なＰＲＡＣＨリソース（例えばプリアンブルおよび／または周波数）から選択すること、またはそのようなＰＲＡＣＨリソースのみから選択することができる。周波数リソースは、１または複数のＲＢまたはＰＲＢで構成されることができる。ＷＴＲＵは、プリアンブル送信のその（例えば、その後のＮ回の）反復のうちの１または複数（例えばそれぞれ）に対して、同じリソース（例えばプリアンブルおよび／または周波数）を使用することができる。ＷＴＲＵは、ＰＲＡＣＨ開始フレームおよび／または開始サブフレームであることができない（または、ＰＲＡＣＨ開始フレームおよび／または開始サブフレームであると見なされることができない）サブフレーム内の（例えば新しい、または別の）ＰＲＡＣＨリソースを選択することができない（または、選択可能でないことがある、もしくは選択が許可されないことがある）。ＰＲＡＣＨの反復（例えば１または複数の反復）は、例えば周波数ダイバーシティのために、異なるリソース（例えばＲＢまたはＰＲＢ）を含むこと、または使用することができる。反復に使用されることができるリソースは、例えば信号伝達によって（例えば明示的に）識別されること、または周波数ホッピングパターンなどのパターンに基づくことができる。
【０１７１】
ＰＲＡＣＨ開始フレームの反復率（例えばＰＦｒｅｐ）は、（例えば、専用信号伝達もしくはブロードキャスト信号伝達および／またはシステム情報などの信号伝達によるなど、ｅＮＢによって、）定義されること、割り当てられること、または構成されることができる。ＰＦｒｅｐは、ＣＥモードに対して、かつ／または１または複数（例えばそれぞれ）のＣＥレベル（例えばＰＦｒｅｐ（ＣＥレベル））に対して、定義されること、割り当てられること、または構成されることができる。ＰＦｒｅｐ（ＣＥレベル）の各値は、同じであること、または異なることができる。ＰＦｒｅｐ（ＣＥレベル）の値は、ＣＥレベルおよび／またはＣＥレベルに関連付けられることができる反復の数（例えばプリアンブルの反復）の関数であることができる。
【０１７２】
ＰＲＡＣＨ開始フレームは、ＳＦＮ  ｍｏｄ  （ＰＦｒｅｐ）  ＝  ０またはＳＦＮ  ｍｏｄ  （ＰＦｒｅｐ）  ＝  フレームオフセットという式を満たすことができる。ＣＥレベルのＰＲＡＣＨ開始フレームは、次の式を満たすことができる：ＳＦＮ  ｍｏｄ  ［ＰＦｒｅｐ（ＣＥレベル）］  ＝  ０またはＳＦＮ  ｍｏｄ  ［ＰＦｒｅｐ（ＣＥレベル）］  ＝  フレームオフセット。
【０１７３】
ＰＦｒｅｐは、例えばＣＥレベルの場合、送信されることができるＰＲＡＣＨの反復の数の関数であることができる。ＰＦｒｅｐは、例えばＣＥレベルの場合、送信されることができるＰＲＡＣＨの反復の数の次に大きい２の累乗であることができる。例えば、５０回の反復を使用することができるＣＥレベルの場合、ＰＦｒｅｐは６４になることができる。ＰＲｒｅｐは、サブフレーム内の、かつ／またはその（任意の数または偶数の）フレームがＰＲＡＣＨリソースを含むことができる、ＰＲＡＣＨリソース（または使用可能なＰＲＡＣＨリソース）の数の関数であることができる。反復の数が２の累乗であることができる場合、ＰＦｒｅｐは、送信されることができるＰＲＡＣＨの反復の数であることができる。
【０１７４】
開始フレームが与えられると、開始サブフレームは、開始フレームの開始（例えばサブフレーム０）からオフセットされた、開始フレームおよび／または開始サブフレーム（例えば特定のサブフレーム）内のサブフレーム（例えば特定のサブフレーム）であることができる。開始フレームに関連付けられた複数の開始サブフレームが存在することができる。開始フレーム内に、または開始フレームに関連付けられた、複数の開始サブフレームが存在することができる場合、ＷＴＲＵは、ｅＮＢによって（例えばコンテンションフリーＲＡに対して）指定または構成されることができる開始サブフレームを選択すること、またはランダムに選択することができる。開始フレーム内から選択するための、または開始フレームに関連付けられた、複数の開始サブフレームが存在することができる場合、複数の開始サブフレーム内のＰＲＡＣＨリソースは、プリアンブルおよび／または周波数リソースなどによる何らかの方法で、異なることができる。
【０１７５】
例では、開始サブフレームは６４フレームごとに反復することができ、４フレーム分オフセットされることができ、例えばそれらはＳＦＮ  ｍｏｄ  ６４  ＝  ４を満たすことができる。各フレーム内で使用可能なＰＲＡＣＨサブフレームは、（例えばＰＲＡＣＨ構成に従って）サブフレーム１および３であることができる。ＳＦＮ  ｍｏｄ  ６４  ＝  ４を満たすことができるフレーム内で、ＷＴＲＵはサブフレーム１または３を開始サブフレームとして（例えばランダムに）選択することができる。
【０１７６】
Ｒ回の反復（例えばプリアンブルの反復）を伴うＣＥレベルの場合、ＰＲＡＣＨ開始サブフレームは、少なくともＲ個のサブフレーム分離れることができる。
【０１７７】
ＰＲＡＣＨフレームは、ＰＲＡＣＨリソースを含むことができるフレームであることができる。例では、反復（例えばプリアンブルの反復）の数は、例えばＣＥレベルの場合、Ｒであることができ、ＰＲＡＣＨフレームはＦ個のフレームごとに発生することができ、ＰＲＡＣＨを含むことができるＰＲＡＣＨフレームごとにＰ個のサブフレームを使用することができる。ＰＲＡＣＨ開始サブフレームは、例えばＣＥレベルの場合、Ｒ、Ｆ、およびＰのうちの少なくとも１つに基づくこと、またはそれらの関数であることができる。ＰＲＡＣＨ開始サブフレームは、少なくともＣＥＩＬ  ［（Ｒ  ｘ  Ｆ）／Ｐ］個のサブフレーム分離れることができる。例えば、Ｒ  ＝  １００、Ｐ  ＝  ３、およびＦ  ＝  ２の場合、ＰＲＡＣＨ開始サブフレームは、少なくともＣＥＩＬ  ［（Ｒ  ｘ  Ｆ）／Ｐ］  ＝  ＣＥＩＬ  ［（１００  ｘ  ２）／３］  ＝  ６７個のサブフレーム分離れることができる。ＰＲＡＣＨ開始サブフレームは、ＣＥＩＬ  ［（Ｒ  ｘ  Ｆ）／Ｐ］の関数の値分離れることができる。例えば、ＰＲＡＣＨ開始サブフレームは、次の１０の倍数のサブフレーム分離れる（例えば、ＣＥＩＬ  ［（Ｒ  ｘ  Ｆ）／Ｐ］以上の最も近い１０の倍数分離れる）（例えば、Ｒ＝１００、Ｐ＝３、およびＦ＝２の場合、７０サブフレーム分離れる）ことができる。別の例では、ＰＲＡＣＨサブフレームは、次の２の累乗のサブフレーム分離れる（例えば、ＣＥＩＬ  ［（Ｒ  ｘ  Ｆ）／Ｐ］以上の最も近い２の累乗分離れる）（例えば、Ｒ＝１００、Ｐ＝３、およびＦ＝２の場合、１２８サブフレーム分離れる）ことができる。別の例では、ＰＲＡＣＨサブフレームは、特定のフレーム数の次の倍数分離れる（例えば、ＣＥＩＬ  ［（Ｒ  ｘ  Ｆ）／Ｐ］以上の最も近い特定の数の倍数分離れる）ことができる。例えば、特定のフレーム数が４フレームまたは４０ｍｓであり、Ｒ＝１００、Ｐ＝３、およびＦ＝２の場合、ＣＥＩＬ  ［（Ｒ  ｘ  Ｆ）／Ｐ］  ＝  ６７であり、ＰＲＡＣＨサブフレームは、６７より大きい４０ｍｓの次の倍数分離れる（例えば８０ｍｓ離れる）ことができる。
【０１７８】
ＰＲＡＣＨ構成インデックスは、ＰＲＡＣＨリソースを含むこと、および／または含まないことができるフレームおよび／またはサブフレームを示すことができる。１または複数のＰＲＡＣＨ構成インデックスは、ＣＥモードに提供されることができ、例えばＣＥレベルごとに提供されること、またはすべてのＣＥレベルに使用されることができる。レガシーＰＲＡＣＨ構成インデックスは、ＣＥモードに使用されること、またはＣＥ固有の値が提供されることができない場合に、デフォルトになることができる。
【０１７９】
特定のプリアンブルまたはプリアンブルのセットは、特定のサブフレームまたはサブフレームのセット内で、例えばＰＲＡＣＨ送信のために（例えばＰＲＡＣＨ送信のためのみに）構成されること、および／または使用されることができる。特定の周波数リソースまたは周波数リソースのセットは、特定のサブフレームまたはサブフレームのセット内で、例えばＰＲＡＣＨ送信のために（例えばＰＲＡＣＨ送信のためのみに）構成されること、および／または使用されることができる。それらなどの割り当ておよび／または使用によって、同じフレーム内の複数の開始サブフレームを有効にすること、または容易にすることができる。
【０１８０】
ＲＡＲは、例えば少なくとも帯域幅が制限されたＷＴＲＵに、低減帯域幅内で提供されることができる。帯域幅が制限されたＷＴＲＵが意図される（または、少なくとも意図される）ことができるＲＡＲの場合、そのＲＡＲを運ぶことができるＰＤＳＣＨが、帯域の中央の６ＲＢなどのＲＢ内に配置されることができるのであれば、一部のサブフレーム（例えば、同期チャネル（例えばＰＳＳおよび／またはＳＳＳ）および／または物理ブロードキャストチャネル（ＰＢＣＨ）を運ぶことができるサブフレーム）内で特殊な処理が使用されることができる。
【０１８１】
ＰＳＳおよび／またはＳＳＳを運ぶことができるサブフレーム内で、ＰＳＳおよび／またはＳＳＳを含むことができるＲＢ内に配置されることができるチャネル（例えばＥＰＤＣＣＨおよび／またはＰＤＳＣＨ、例えば、ＲＡＲを運ぶことができるＰＤＳＣＨ）の（例えばｅＮＢによる）送信は、ＰＳＳ信号および／またはＳＳＳ信号を含むことができるリソース要素（ＲＥ）を使用しないことができる。特定のＲＥを使用しないことは、それらのＲＥ内の送信を省略することを含むことができる。特定のＲＥを使用しないことは、それらのＲＥの前後でのレートマッチングを含むことができる。
【０１８２】
チャネル（例えば、ＲＡＲを運ぶことができるＰＤＳＣＨ）の送信レートが、ＰＳＳおよび／またはＳＳＳを含むことができるＲＥなどの特定のＲＥの前後で一致することができる場合、そのチャネルを受信すること、または受信しようと試みることができるＷＴＲＵは、そのチャネルの受信および／またはデコーディングにおいてレートマッチングを考慮することができる。
【０１８３】
ＰＢＣＨを運ぶことができるサブフレームは、制限帯域幅ＷＴＲＵおよび／またはカバレッジが制限されたＷＴＲＵなどの特定のＷＴＲＵのＲＡＲを運ぶことができるＰＤＳＣＨの送信および／または受信に使用されないことができる。ｅＮＢは、ＰＢＣＨを運ぶことができるサブフレーム内のＷＴＲＵ（例えば、制限帯域幅ＷＴＲＵおよび／またはカバレッジが制限されたＷＴＲＵなどの特定のＷＴＲＵ）が意図されるＲＡＲ（および／または反復されるＲＡＲ）を送信しないことができる。ＷＴＲＵ（例えば、帯域幅が制限されることおよび／またはカバレッジが制限されることができるＷＴＲＵ）は、ＥＰＤＣＣＨのＰＢＣＨを運ぶことができるサブフレームを監視しないことができる。ＲＡＲウィンドウサイズは、カウントまたは考慮からＰＢＣＨサブフレームを除外することができる。ＰＢＣＨサブフレームは、帯域幅が制限されることおよび／またはカバレッジが制限されることができるＷＴＲＵなどの、少なくとも一部のＷＴＲＵのＲＡＲに使用されないことがあるサブフレームであることができる。
【０１８４】
ＲＡＲメッセージサイズは、例えば、帯域幅が制限されたＷＴＲＵおよび／またはカバレッジが制限されたＷＴＲＵなどの特定のＷＴＲＵが意図されることができるＲＡＲの場合、サイズが低減されること、および／または制限される（例えばコンパクトＲＡＲ）ことができる。
【０１８５】
このサイズは、ＲＡ手順のメッセージ３に対するＵＬ許可に関連することができるＲＡＲ内の要素を低減すること、または除去することによって低減されることができる。
【０１８６】
制限帯域幅ＷＴＲＵおよび／またはカバレッジが制限されたＷＴＲＵは、特定のＲＦ帯域幅および／または特定の数のＲＢを含むことができる帯域幅内（または以内）で、またはそのような帯域幅内でのみ、送信可能であることができる。ＲＡＲに応答すること、および／またはＲＲＣ接続要求メッセージを含むことができるＲＡメッセージ３は、リソースが割り当てられること、および／またはその帯域幅（ＢＷ）内（または以内）で送信されることができるか、またはそのようなことを必要とすることができる。
【０１８７】
例えば、メッセージ３の送信に可能な位置は（例えば６ＲＢに）制限されることができるため、１または複数のＵＬ許可パラメータは、（例えば数ビットに）低減されること、または除去されることができる。
【０１８８】
例では、１または複数のＵＬリソースは、事前に定義されること、および／または構成されることができる。それらのＵＬリソースのうちの１または複数は、（例えばメッセージ３の）ＵＬ送信に使用するために、例えばＲＡＲによって（例えばインデックスによって）動的に選択されることができる。これにより、ＵＬ許可のサイズを低減することができる。ＷＴＲＵは、この選択されたリソースを（例えばメッセージ３の）ＵＬ送信に使用することができる。
【０１８９】
ＷＴＲＵは、例えばランダムアクセス（ＲＡ）手順の後に、そのＵＬ電力を設定することができる。ＵＬチャネル（例えばＰＵＳＣＨ）用のＷＴＲＵ送信電力は、開ループ成分（open loop component）および／または閉ループ成分（closed loop component）を含むことができる。ＵＬチャネル用のＷＴＲＵ送信電力は、（例えばＷＴＲＵによって）ＷＴＲＵの最大電力（例えば、ＷＴＲＵによって構成される最大出力電力）に制限されることができる。開ループ成分は、少なくとも次のうちの１または複数の関数であることができる：送信帯域幅もしくは送信されるリソースブロックの数、経路損失、および／または１または複数の構成された値。閉ループ成分は、ＷＴＲＵによって（例えばｅＮＢから）受信されることができる送信電力制御コマンドの関数であることができる。ＵＬチャネル（例えばＰＵＳＣＨ）用のＷＴＲＵ送信電力は、（例えばＲＲＣ接続確立のための）初期ＲＡ手順および／またはコンテンションベースのＲＡ手順などのランダムアクセス（ＲＡ）手順中にＷＴＲＵによって実行される電力ランピングの関数であることができるか、または、そのような関数であることもできる。
【０１９０】
ＰＵＳＣＨ送信などのＵＬチャネル用のＷＴＲＵ送信電力のための設定の例は、サブフレームｉおよびサービングセルｃの場合、次のようになることができる。
【０１９１】
【数１】
2017530605.tif 000003
【０１９２】
この値は、ｄＢｍ単位であることができる。
【０１９３】
ＰCMAX,cは、ＷＴＲＵによって構成される最大出力電力であることができる。ＭPUSCH,cは、送信に対して許可または許容されるリソースブロックの数であることができる。ＰO_PUSCH,cは、構成された値または構成された値の合計であることができる。αは、構成された値であることができる。ＰＬは経路損失であることができる。ΔTF,cは、ＭＩＭＯの使用または１または複数のアンテナの使用に関連することができる調整係数であることができる。ｆcは補正値（例えば、開始補正値、ｆc（０）、およびＷＴＲＵが（例えばｅＮＢから）受信することができる、または受信した可能性がある送信電力制御（ＴＰＣ）コマンドに対応することができる１または複数のその他の補正値、の合計）であることができる。開始補正値は、ＲＡ手順の電力ランピングの関数であることができる。電力ランピングの影響を、ＴＰＣコマンドを累積する補正値に含めることは、説明のためであり、制限するものでなくてよい。電力設定に対するＲＡ電力ランピングの影響は、ＴＰＣコマンドから分離することができる。ＴＰＣコマンドの調整は、電力設定から省略されることができる。
【０１９４】
ＲＡ手順の間にＷＴＲＵが電力ランピングを実行しない場合（例えば、ＷＴＲＵが最大電力（例えば、ＰＲＡＣＨ電力の場合はＰCMAX,c）で送信すること、または常に送信することができる場合）、ｆc（０）および／または（ＰＵＳＣＨなどの）ＵＬチャネル用の初期電力に使用する値は、定義されないことができる。ＵＬ送信は、ＰＵＳＣＨ、ＰＵＣＣＨ、およびＳＲＳのうちの１または複数であること、またはそれらを含むことができる。ＰＵＳＣＨは、ＵＬチャネルまたはＵＬ送信の非限定的な例であることができる。ＰＵＣＣＨまたはＳＲＳなどの別のＵＬチャネルまたはＵＬ送信が、本明細書で開示された対象に一致するように使用されることができる。
【０１９５】
ランダムアクセス応答（ＲＡＲ）は、ＷＴＲＵがｆc（０）の値および／または１または複数のチャネル（例えばＰＵＳＣＨ）のためのそのＵＬ電力設定を決定するために使用することができる１または複数のパラメータを含むことができる。ＰＲＡＣＨプリアンブル送信の後にＷＴＲＵが（例えばＰＵＳＣＨ上で）実行することができるＵＬ送信（例えば第１のＵＬ送信）は、ＲＲＣ接続（例えばＲＲＣ接続確立）要求であること、またはＲＲＣ接続要求を含むことができるＲＡ手順のメッセージ３であることができる。ＲＡＲ（例えば、ＷＴＲＵがメッセージ３用のリソースに対する許可を受信することができるＲＡＲ）は、ＰＵＳＣＨ送信に使用するための初期電力の指示を含むことができる。ＲＡＲは、１または複数のパラメータを含むことができ、それらのパラメータから、ＰＵＳＣＨ送信に使用するための初期電力が決定されることができる。ＲＡＲは、ＰＵＳＣＨ送信のための開始補正値ｆc（０）を含むことができる。ＲＡＲは、ＷＴＲＵの、ＰＵＳＣＨおよび／または１または複数のその他の以降のＵＬ送信および／またはＤＬ送信のためのカバレッジ拡張（ＣＥ）レベルを含むことができる。ＲＡＲは、ＷＴＲＵの、ＰＵＳＣＨならびに／または１または複数のその他の以降のＵＬ送信および／もしくはＤＬ送信に使用するための反復の数、または反復の数に対応する値もしくはインデックスを含むことができる。ＲＡＲは、例えば最大電力から差し引いてＰＵＳＣＨ電力を決定するために、電力のオフセットまたは差分を含むことができる。
【０１９６】
ＷＴＲＵは、ＲＡＲに含まれる１または複数のパラメータまたは値に従って、そのＵＬ電力および／またはＵＬの反復（例えばＰＵＳＣＨ電力および／またはＰＵＳＣＨの反復）を決定することができ、決定された電力および／または反復に従って送信することができる。
【０１９７】
例えば、ＷＴＲＵは、ＲＡＲに含まれることができる開始補正値ｆc（０）または電力オフセットに基づいて、その初期および／または以降のＰＵＳＣＨ電力を決定することができ、決定された電力を使用してＰＵＳＣＨを送信することができる。
【０１９８】
ＷＴＲＵは、例えば次式に従ってＵＬ電力を決定することができる。
ＰPUSCH,c（ｉ）  ＝  ｍｉｎ［ＰCMAX,c（ｉ），ｏｐｅｎｌｏｏｐｐｏｗｅｒ（ｉ）  ＋  ｆc（ｉ）］
【０１９９】
ＷＴＲＵは、ＲＡＲ内で受信した可能性のあるｆc（０）の値を使用することができる。開ループ電力は、ＣＥレベルの関数であることができ、このＣＥレベルは、ＷＴＲＵがＲＡＲを正常に受信したＲＡ手順のＣＥレベル、またはＷＴＲＵがＲＡＲ内で受信したＣＥレベルに対応することができる。開ループ電力は、ＷＴＲＵがＲＡＲを正常に受信したＰＲＡＣＨ反復の数、またはＷＴＲＵがＲＡＲ内で受信した反復の数の関数であることができる。閉ループ成分は存在しないことができ、例えば、ｉ＞０またはｉ＞＝０である場合に、ｆc（ｉ）は０であること、または存在しないことができる。閉ループ成分は、存在する場合、例えば動的に更新されることができるＣＥレベルまたは反復の関数であることができる。
【０２００】
ＷＴＲＵは、ＰＵＳＣＨを最大電力（例えばＰCMAX,cまたはＰCMAX,c(i)）で送信すること、または常に送信することができる。ＷＴＲＵは、ＰＵＳＣＨなどのチャネルの送信用のＲＡＲ内で提供されることができる反復の数またはＣＥレベルを使用することができ、例えば、反復がレシーバにおいて結合される場合に、最大電力の使用を考慮するため、または補償するために使用することができる。例えば、電力制御計算の開ループ部分および／または閉ループ部分は、ＲＡＲに含まれること、またはＲＡＲにおいて示されることができる、ＵＬチャネルの送信のためのＣＥレベルまたは反復の数の関数であることができる。
【０２０１】
ＷＴＲＵは、そのＰＵＳＣＨ電力（例えば初期ＰＵＳＣＨ電力）を、ＲＡＲに含まれている初期値に従って設定することができる。ＷＴＲＵは、その電力を、ＲＡＲ内で提供される差分またはオフセットだけ、最大値から低減することができる。ＷＴＲＵは、ＵＬ電力を、例えば次式に従って決定することができる：
ＰPUSCH,c（ｉ）＝ｍｉｎ［ＰCMAX,c（ｉ），ＰＵＳＣＨinitial＋ｃｌｏｓｅｄｌｏｏｐｐｏｗｅｒ（ｉ）］
または
ＰPUSCH,c（ｉ）＝ｍｉｎ［ＰCMAX,c（ｉ），ＰPCMAX,c（ｉ）−Δ＋ｃｌｏｓｅｄｌｏｏｐｐｏｗｅｒ（ｉ）］
【０２０２】
閉ループ成分は存在しないことができ、例えばｃｌｏｓｅｄｌｏｏｐｐｏｗｅｒ（ｉ）は０であることができる。初期閉ループ値はゼロであることができ、または差分が閉ループ値に含まれることができる。閉ループ成分は、ＴＰＣコマンド（例えば累積されたＴＰＣコマンド）の関数であることができる。閉ループ成分は、ＲＡ手順（例えば正常なＲＡ手順）に使用されるＣＥレベルもしくは反復であることができるＣＥレベルもしくは反復、および／またはＲＡＲに含まれているＣＥレベルもしくは反復の関数であることができる。閉ループ成分、および／または閉ループ成分に影響を与えることができるＣＥレベルもしくは反復は、例えば動的に更新されることができる。
【０２０３】
サブフレームまたはＴＴＩの関数として示されていない１または複数の値（例えばｉ）は、サブフレームまたはＴＴＩの関数であることができ、本明細書で開示された対象に一致することができる。例えば、ＰCMAX,cおよびＰCMAX,c（ｉ）は交換可能なように使用されることができる。
【０２０４】
サブフレームまたはＴＴＩの関数として示されている１または複数の値（例えばｉ）は、サブフレームまたはＴＴＩの関数でないことができ、本明細書で開示された対象に一致することができる。
【０２０５】
初期ＰＵＳＣＨ電力設定は、ＰCMAX,cであることができる。ＷＴＲＵは、ＰＵＳＣＨの値をＰCMAX,cと同じにすることができる値になるように、初期閉ループ値または調整値（例えばｆc（０））を決定することができる。
【０２０６】
例えば、ＰPUSCH,c（ｉ）は、次式によって決定されることができる。
ＰPUSCH,c（ｉ）＝ｏｐｅｎｌｏｏｐｐｏｗｅｒ（ｉ）＋ｆc（ｉ）
または
ＰPUSCH,c（ｉ）＝ｍｉｎ［ＰCMAX,c（ｉ），ｏｐｅｎｌｏｏｐｐｏｗｅｒ（ｉ）＋ｆc（ｉ）］
【０２０７】
ＷＴＲＵは、電力ランプアップがないこと（例えばＰPUSCH-noramp）に基づいて初期ＰＵＳＣＨ電力を決定することができる（例えば、最初に決定することができる）。ＰPUSCH-norampは、ｏｐｅｎｌｏｏｐｐｏｗｅｒ（０）の値であることができる。ｏｐｅｎｌｏｏｐｐｏｗｅｒ（０）の値は、ＰPUSCH-norampであること、またはＰPUSCH-norampに設定されることができる。ＷＴＲＵは、ｆc（０）を、次式に従って決定することができる：ｆc（０）＝ｍａｘ（０，ＰCMAX,c−ＰPUSCH-noramp）。
【０２０８】
このｆcの開始値を使用して、ＰＵＳＣＨ電力の開始値は、ＰCMAX,cであることができる。ｆcの値は、ＴＰＣコマンドおよび／またはＣＥレベルもしくは反復に対する調整によって、調整されることができる。ｆc（０）の値は、ＲＡＲ内で示されるＴＰＣコマンド（例えばｄｅｌｔａ＿ｍｓｇ２）などの、ＲＡＲ内で提供されるパラメータによって調整されることができるか、または調整されることもできる。ＰPUSCH-norampは、ＲＡＲ内で示されるＴＰＣコマンドの影響を含むことができる。
【０２０９】
ｆc（０）は、次式に従って決定されることができる。
ｆc（０）＝ｄｅｌｔａ  Ｐrampup,c＋ｄｅｌｔａ＿ｍｓｇ２，ｃ
ここで、ｄｅｌｔａ＿ｍｓｇ２，ｃはＲＡＲ内で示されるＴＰＣコマンドであることができる。
【０２１０】
ｄｅｌｔａ  Ｐrampup,cの値は、次式に従って決定されることができる。
ｄｅｌｔａ  Ｐrampup,c＝ｍａｘ［０，ＰCMAX,c−（１０・ｌｏｇ10（ＭPUSCH,c（０）＋Ｐ０PUSCH,c（２）＋ｄｅｌｔａmsg2,c＋ａｌｐｈａ，ｃ（２）・ＰＬ＋ｄｅｌｔａＴＦ，ｃ（０）＋ＣＬ）］
ここで、ＭPUSCH,c（０）は、サービングセルｃにおける第１のＰＵＳＣＨ送信のサブフレームに対して有効なリソースブロックの数として表されるＰＵＳＣＨリソース割り当ての帯域幅であることができ、ｄｅｌｔａＴＦ，ｃ（０）は、サービングセルｃにおける第１のＰＵＳＣＨ送信の電力調整であることができる。Ｐ０PUSCH,c（２）は、初期プリアンブル電力（例えばｐｒｅａｍｂｌｅＩｎｔｉａｌＲｅｃｅｉｖｅｄＴａｒｇｅｔＰｏｗｅｒ）に等しくなることができ、初期プリアンブル電力は、上位層によって構成されることができる値に、上位層によって構成されることができるメッセージ３の差分電力値を足した値であることができる。ＣＬは、ＰＵＳＣＨ送信のために、ＣＥレベルまたは反復の数を補償するための調整であることができ、ＲＡＲに含まれること、またはＲＡＲ内で示されることができる。上記式の１または複数の要素は、０であること、または含まれないことができる。メッセージ３の差分電力は、０であること、または存在しないことができる。
【０２１１】
上記式は、初期電力を最大電力にすることができるｄｅｌｔａ  Ｐrampup,cの値に（例えば実質的に）対応することができる。ｆc（０）および／またはｄｅｌｔａ  Ｐrampup,cは、ゼロであることができる。
【０２１２】
ＷＴＲＵは、正常なＰＲＡＣＨプリアンブル送信に使用するＣＥレベルおよび／または反復の数（例えば、ＷＴＲＵがＲＡＲを正常に受信するＣＥレベルおよび／または反復の数）を、ＰＵＳＣＨ送信（例えば、ＲＡ手順のメッセージ３に対応することができる第１のＰＵＳＣＨ送信）のためのＣＥレベルおよび／または反復の数として使用することができる。
【０２１３】
初期電力などの送信電力は、ＣＥレベルまたは反復の数に関連付けられることができる。この送信電力は、例えばブロードキャスト信号伝達または上位層の信号伝達などの信号伝達によって、構成されることができる。ＷＴＲＵは、ＰＵＳＣＨ電力（例えば初期ＰＵＳＣＨ電力またはメッセージ３のＰＵＳＣＨ電力）をこの値に設定することができ、かつ／またはこの電力を使用して、もしくはこの電力にＰＵＳＣＨを設定することができる。この電力は、ＣＥレベルの最小電力であることができる。
【０２１４】
ＣＥレベルまたは反復の数は、更新されることができる。ＵＬ許可および／またはＴＰＣコマンドは、将来のＵＬ送信および／または将来のＵＬ送信電力の決定に適用されることができる調整を含むことができる。例えば、ＵＬ許可またはＴＰＣコマンドは、次回のＵＬ送信に使用するためのＣＥレベルまたは反復の数を含むことができる。ＷＴＲＵは、ＰＵＳＣＨを（例えば常に）最大電力で送信することができ、または開ループ成分および／もしくは閉ループ成分に基づいて送信電力を調整することができる。ＷＴＲＵは、ＵＬ許可またはＴＰＣコマンドと共に、または別に提供されることができる反復の数を使用してＰＵＳＣＨを送信することができる。ＷＴＲＵは、ＵＬ許可またはＴＰＣコマンドと共に、または別に提供されることができるＣＥレベルに対応することができる反復の数を使用してＰＵＳＣＨを送信することができる。
【０２１５】
許可またはＴＰＣコマンドが、サブフレームＸ内のＵＬ送信、またはサブフレームＸ内で開始することができるＵＬ送信に対応する場合、ＷＴＲＵは、示されたＣＥレベル、反復、または（例えば電力を増加または減少するための）電力調整を、サブフレームＸ内のＵＬ送信、またはサブフレームＸ内で開始することができるＵＬ送信に使用することができる。ＴＰＣコマンドまたはＵＬ許可は、サブフレームＸ内のＷＴＲＵによるＵＬ送信、またはサブフレームＸ内で開始することができるＵＬ送信に対応することができるサブフレームのセット内で、（例えばｅＮＢによって）反復されること、および／または（例えばＷＴＲＵによって）受信されることができる。
【０２１６】
ＰＵＳＣＨ電力は、上昇されることができる。例えばＷＴＲＵは、複数のＰＵＳＣＨ送信の間、ｅＮＢからＡＣＫを受信しなかった場合、そのＰＵＳＣＨ電力を上昇させることができる。この数は、例えばｅＮＢによって構成されることができる。ＷＴＲＵは、複数回の失敗した送信に基づいて、その電力を特定の差分値だけ増やすことができ、これは送信に対するＡＣＫの受信の欠如に基づいて決定され得る。この差分値は、例えばｅＮＢによって構成されることができる。失敗した送信の数および／または差分値は、ＣＥレベルおよび／または反復の数の関数であることができる。電力は、１または複数の再送信（例えば各再送信）に対して増やされることができる。送信電力は、最大電力を超えて増やされないことができる。電力の増加は、最大電力が達せられたとき、または増加によって電力が最大電力を超えたときに、停止されることができる。
【０２１７】
ＵＬチャネルまたはＵＬ送信に関して本明細書で開示された１または複数の例は、ダウンリンク（ＤＬ）チャネルまたはダウンリンク（ＤＬ）送信に適用可能であることができる。例えば、ＵＬ許可との関連で本明細書で開示された例は、本明細書で開示された主題に一致して、ＤＬ許可に適用可能であることができる。例えば、ＰＤＳＣＨ受信またはＰＵＣＣＨ送信に使用するためのＣＥレベルまたは反復の数は、ＤＬ許可に含められることができる。
【０２１８】
ＲＡＲの正常な受信は、ＷＴＲＵが意図されることができるＲＡＲの受信であること、またはそのような受信を含むことができる。ＰＲＡＣＨまたはプリアンブルの送信は、ＰＲＡＣＨまたはプリアンブルの反復の送信を含むことができる。例示および説明の目的で、ＰＲＡＣＨおよびプリアンブルは、交換可能なように使用されることができる。
【０２１９】
ランダムアクセス（ＲＡ）またはＲＡ手順は、例えばＰＤＣＣＨ指令によって要求されること、または初期化されることができる。例えば、ＷＴＲＵは、要求または指示を（例えばｅＮＢから）受信して、ＲＡまたはＲＡ手順を実行または開始することができる。要求または指示は、ＰＤＣＣＨ領域内（例えばダウンリンク制御情報（ＤＣＩ：Ｄｏｗｎｌｉｎｋ  Ｃｏｎｔｒｏｌ  Ｉｎｆｏｒｍａｔｉｏｎ）内）で送信されることができるＰＤＣＣＨ指令であること、またはそのようなＰＤＣＣＨ指令に含まれることができる。低コストＷＴＲＵまたは低減能力ＷＴＲＵなどのＷＴＲＵは、例えば制限された能力（例えば、低減帯域幅および／または制限されたカバレッジ）のために、ＰＤＣＣＨ領域内のＰＤＣＣＨを受信できないことがある。ＰＤＣＣＨ領域内のＰＤＣＣＨ指令は、ＰＤＣＣＨ領域内のＰＤＣＣＨを受信できない可能性がある低コストＷＴＲＵまたは低減能力ＷＴＲＵなどの一部のＷＴＲＵでは、または一部のＷＴＲＵによってサポートされないことがある。
【０２２０】
ＰＤＣＣＨ指令は、例としてのみ開示され、制限になることはない。ＲＡまたはＲＡ手順を実行または開始するための別の要求が使用されることができ、その場合でも、本開示に一致することができる。例えば、ＲＡ要求はＰＤＣＣＨ指令に対して代替されることができ、その場合でも、本開示に一致することができる。
【０２２１】
ＰＤＣＣＨ指令、ＰＤＣＣＨ指令を運ぶＭ−ＰＤＣＣＨ、コンテンションフリー（またはコンテンションベース）ＲＡを要求または開始することができるＤＣＩ、１または複数のＰＤＣＣＨ指令を運ぶＤＣＩ、およびＲＡを要求または開始することができるＤＣＩは、本明細書では交換可能なように使用されることができる。
【０２２２】
ＣＥレベル、反復の数、および反復数は、互いに代替されることができ、その場合でも、本開示に一致することができる。
【０２２３】
ＲＡ手順は、個別に、またはグループごとに開始されることができる。ＲＡ（例えばコンテンションフリーＲＡまたはコンテンションベースＲＡ）を示す（または開始する）ことができるＤＣＩまたはＰＤＣＣＨ指令またはＲＡ要求は、Ｍ−ＰＤＣＣＨを介して送信されることができる。Ｍ−ＰＤＣＣＨは、低コストＷＴＲＵまたは低減能力ＷＴＲＵなどのＷＴＲＵによって監視されること、および／または受信されることができるダウンリンク制御チャネルであることができる。
【０２２４】
説明の目的で、ＲＡは、ＲＡ手順に置き換えられること、およびその逆に置き換えられることができ、その場合でも、本明細書で開示された例に一致することができる。
【０２２５】
グループＤＣＩなどのＤＣＩは、１または複数のＷＴＲＵでＲＡを開始するために使用されることができる。ＤＣＩは、１または複数のＷＴＲＵでＲＡまたはＲＡ手順を要求または開始することができる１または複数のＰＤＣＣＨ指令を含むことができる。ＰＤＣＣＨ指令は、ＷＴＲＵに関連付けられることができる。ＰＤＣＣＨ指令は、複数のＷＴＲＵに関連付けられることができる。ＰＤＣＣＨ指令がＲＡを要求または開始した場合、ＰＤＣＣＨ指令に関連付けられたＷＴＲＵ（例えば、そのＰＤＣＣＨ指令を受信するＷＴＲＵ）は、ＰＲＡＣＨプリアンブル（例えば選択された、または割り当てられたＰＲＡＣＨプリアンブル）を送信することができる。割り当てられたＰＲＡＣＨプリアンブルは、例えばｅＮＢによって、上位層の信号伝達などによって構成されることができる。例えば、ＷＴＲＵは、上位層の信号伝達を介して、コンテンションフリーＲＡのためのＰＲＡＣＨプリアンブルを使用して構成されることができる。上位層の信号伝達を介して構成されるＰＲＡＣＨプリアンブルは、コンテンションフリーＲＡのための、ＷＴＲＵ固有のＰＲＡＣＨプリアンブルと見なされることができる。割り当てられるＰＲＡＣＨプリアンブルは、ＰＤＣＣＨ指令内で、またはＰＤＣＣＨ指令と共に示されることができる。単独のＰＲＡＣＨプリアンブルが、ＰＤＣＣＨ指令が意図される（または意図されることができる）ＷＴＲＵに対して（例えば各ＷＴＲＵに対して）示されることができる。
【０２２６】
ＰＤＣＣＨ指令は、複数のＷＴＲＵに対するランダムアクセスを（例えば個別に）開始するために使用されることができる。ｅＮＢは、同じＰＤＣＣＨ指令を監視することができるＷＴＲＵグループ内のＷＴＲＵに対して、ランダムアクセスの開始を示すことができる。例えば、ビットフィールドは、例えばグループ内の、Ｎ個のＷＴＲＵに関連付けられることができるＮビットを含むことができる。ビット（例えば各ビット）は、ランダムアクセス（例えばランダムアクセスを開始するための要求）であるかどうかを示すことができる（例えば、ＲＡの開始でない場合は０、ＲＡの開始である場合は１）。ＷＴＲＵ（例えば各ＷＴＲＵ）は、ＰＤＣＣＨ指令に関連付けられた（例えばビットフィールド内の）ビット位置、またはＰＤＣＣＨ指令内のビット位置を使用して示されること、または構成されることができる。ＰＤＣＣＨ指令のためのＰＲＡＣＨプリアンブルは、ＷＴＲＵ（例えば各ＷＴＲＵ）のための上位層の信号伝達を介して構成されることができる。ＲＡ開始のためのビットフィールド内の各ビットに対応するＰＲＡＣＨプリアンブルインデックスは、ＰＤＣＣＨ指令内で送信されることができる。
【０２２７】
２つ以上のＰＤＣＣＨ指令は、ＤＣＩ内で送信されることができる。（例えば各）ＰＤＣＣＨ指令は、ＷＴＲＵに関連付けられることができる。
【０２２８】
ＤＣＩまたはＰＤＣＣＨは、１または複数のＷＴＲＵでＲＡ手順を開始するための情報を含むことができる。少なくとも一部の情報は、ＰＤＣＣＨ指令が対象にすることができるＷＴＲＵ（例えば各ＷＴＲＵ）のために単独で含まれることができる。少なくとも一部の情報は、ＰＤＣＣＨ指令が意図されることができる１または複数のＷＴＲＵ（例えばすべてのＷＴＲＵ）に共通であることができる。
【０２２９】
ＲＡ手順を開始することができるＤＣＩまたはＰＤＣＣＨ指令は、ＰＲＡＣＨプリアンブルインデックスを含むことができる。ＲＡ手順を開始することができるＤＣＩまたはＰＤＣＣＨ指令は、ＰＲＡＣＨ送信のためのＰＲＡＣＨマスクインデックスおよび／または時間リソースを含むことができる。ＲＡ手順を開始することができるＤＣＩまたはＰＤＣＣＨ指令は、ＣＥレベルおよび／または反復数を含むことができる。ＲＡ手順を開始することができるＤＣＩまたはＰＤＣＣＨ指令は、送信（例えば電力）レベルおよび／または電力レベルタイプ（例えば最大電力、またはＤＬ測定に基づく）を含むことができる。ＲＡ手順を開始することができるＤＣＩまたはＰＤＣＣＨ指令は、ＰＲＡＣＨ送信のための周波数リソース（例えばＰＲＢのセット）を含むことができる。ＲＡ手順を開始することができるＤＣＩまたはＰＤＣＣＨ指令は、オン／オフインジケータ（例えば、ＲＡを開始する場合はオン、ＲＡを開始しない場合はオフ）を含むことができる。
【０２３０】
１または複数のＰＤＣＣＨ指令を運ぶことができるＤＣＩは、ＲＮＴＩを使用してスクランブルされることができる（例えば、そのＣＲＣはＲＮＴＩを使用してスクランブルされることができる）。ＷＴＲＵは、ＷＴＲＵ固有のＲＮＴＩ（例えばＣ−ＲＮＴＩ）などの１または複数のＲＮＴＩを使用して構成されること、および／または使用することができる。ＷＴＲＵは、１または複数のＲＮＴＩを使用して、ＤＣＩがそれを意図されるかどうかを決定することができる。
【０２３１】
ＲＮＴＩは、１または複数のＰＤＣＣＨ指令を運ぶＤＣＩに使用されることができる。ＲＮＴＩは、ＷＴＲＵ固有であることができる。ＲＮＴＩは、複数のＷＴＲＵによって使用されることができるＲＮＴＩなどの、グループＲＮＴＩまたは共通ＲＮＴＩであることができる。ＲＮＴＩは、ＰＤＣＣＨ指令ＲＮＴＩと呼ばれることができる。ＲＮＴＩは、１または複数のＰＤＣＣＨ指令を運ぶＤＣＩに固有であること、または固有でないことがある。
【０２３２】
ＷＴＲＵの場合、ＰＤＣＣＨ指令ＲＮＴＩは、ＷＴＲＵのＣ−ＲＮＴＩであることができる。ＰＤＣＣＨ指令は、Ｃ−ＲＮＴＩを使用することができる、ＷＴＲＵ固有のＤＣＩ内で送信されることができる。
【０２３３】
ＰＤＣＣＨ指令ＲＮＴＩは、ＷＴＲＵ−ＩＤ（例えばＣ−ＲＮＴＩ）、ＣＥレベル、および／またはＰＲＡＣＨプリアンブルインデックスのうちの少なくとも１つの関数であること、またはそのような関数として決定されることができる。Ｃ−ＲＮＴＩ、ＣＥレベル、および／またはＰＲＡＣＨプリアンブルインデックスのうちの１または複数は、上位層を介して構成されることができる。
【０２３４】
ＰＤＣＣＨ指令ＲＮＴＩは、コンテンションベースＲＡ手順に使用されることができるＰＲＡＣＨプリアンブルおよび／またはリソースの関数であること、またはそのような関数として決定されることができる。例えば、ＰＤＣＣＨ指令ＲＮＴＩは、ＷＴＲＵがＲＲＣ接続の確立に（例えば正常に）使用した最近の（例えば最新の）ＰＲＡＣＨプリアンブルおよび／またはＰＲＡＣＨリソースの関数であることができる。ＰＤＣＣＨ指令ＲＮＴＩは、ＷＴＲＵがＰＤＣＣＨによって開始されたＲＡ手順（例えばコンテンションベースＲＡ手順）に（例えば正常に）使用した最近の（例えば最新の）ＰＲＡＣＨプリアンブルおよび／またはＰＲＡＣＨリソースの関数であることができる。
【０２３５】
ＰＤＣＣＨ指令ＲＮＴＩは、ＷＴＲＵが（例えばＲＲＣ接続の確立のための、またはＰＤＣＣＨ指令によって開始された）コンテンションベースＲＡ手順に（例えば正常に）使用した最近の（例えば最新の）ＰＲＡＣＨプリアンブルおよび／またはＰＲＡＣＨリソースに関連付けられたＲＡＲの時間位置および／または周波数位置の関数であること、またはそのような関数として決定されることができる。ＰＤＣＣＨ指令ＲＮＴＩは、上位層を介して示されることができる。
【０２３６】
ＷＴＲＵがＰＤＣＣＨ指令を監視することができる時間位置および／または周波数位置は、ＰＤＣＣＨ指令ＲＮＴＩの関数として決定されることができる。
【０２３７】
指示は、ＤＣＩが、ユニキャストトラフィック（例えばＰＵＳＣＨ／ＰＤＳＣＨ）のスケジューリングに使用されることが意図されているかどうか、またはＤＣＩが、ＰＤＣＣＨ指令に使用されることが意図されているかどうかを決定するために使用されることができる。指示は、ＤＣＩ内のビットフィールドであることができる。指示は、ＤＣＩに使用されるＲＮＴＩに基づくことができる。２つ以上のビットフィールドの状態の組合せが、指示として使用されることができる。Ｍ−ＰＤＣＣＨの検索空間が、指示として使用されることができる。
【０２３８】
ＷＴＲＵは、ＲＡ手順の開始に応答して、例えばＰＤＣＣＨ指令によって、ＰＲＡＣＨを送信することができる。
【０２３９】
ＷＴＲＵは、ＰＤＣＣＨ指令ＲＮＴＩを使用してスクランブルされたＤＣＩ（例えば、スクランブルされたＣＲＣを含むＤＣＩ）について、Ｍ−ＰＤＣＣＨ検索空間などの検索空間を監視することができる。ＷＴＲＵは、ＰＤＣＣＨ指令ＲＮＴＩを使用してスクランブルされたＤＣＩを受信すること、および／または正常にデコードすることができる。
【０２４０】
ＲＮＴＩを使用してスクランブルされたＤＣＩは、ＲＮＴＩを使用してスクランブルされたＣＲＣを含むＤＣＩと同じであること、またはそのようなＤＣＩを表すために使用されることができる。
【０２４１】
ＤＣＩの受信時に、またはＤＣＩの受信に応答して、ＷＴＲＵはＲＡまたはＲＡ手順を開始することができる。
【０２４２】
ＷＴＲＵは、ＤＣＩおよび／または構成された情報によって運ばれるＰＤＣＣＨ指令に含まれる情報に基づいて、ＰＲＡＣＨを送信することができる。
【０２４３】
ＷＴＲＵは、例えばこの情報から、（ｉ）ＰＲＡＣＨプリアンブル、（ｉｉ）プリアンブル送信および／もしくはＲＡ手順に使用するためのＣＥレベルおよび／もしくは反復の数、ならびに／または（ｉｉｉ）プリアンブル送信のための時間リソースおよび／もしくは周波数リソースのうちの１または複数を決定することができる。
【０２４４】
ＷＴＲＵは、決定されたＣＥレベルまたは反復の数と共に、決定された時間リソースおよび／または周波数リソース内の決定されたプリアンブルを送信することができる。例えば、ＷＴＲＵは、ＰＤＣＣＨ指令内で、またはＰＤＣＣＨ指令によって示されるＣＥレベルまたは反復の数と共に、またはそのようなＣＥレベルまたは反復の数を使用してＰＲＡＣＨ（またはプリアンブル）を送信することができる。ＷＴＲＵは、（例えば、コンテンションフリーＲＡまたはＰＤＣＣＨ指令によって開始されたＲＡのための）上位層の信号伝達を介して構成されたＣＥレベルまたは反復の数と共に、またはそのようなＣＥレベルまたは反復の数を使用してＰＲＡＣＨ（またはプリアンブル）を送信することができる。
【０２４５】
ＷＴＲＵは、その現在のＣＥレベルと共に、またはその現在のＣＥレベルを使用してＰＲＡＣＨ（またはプリアンブル）を送信することができ、その現在のＣＥレベルは、最近の（例えばその最新の）正常なＲＡ手順のＣＥレベルであることができる。
【０２４６】
ＷＴＲＵは、以前の（例えば以前の正常な）ＲＡ手順のＣＥレベルまたは反復の数に対応する（または、そのようなＣＥレベルまたは反復の数から決定された、もしくそのようなＣＥレベルまたは反復の数に従って決定された）ＣＥレベルまたは反復の数と共に、またはそのようなＣＥレベルまたは反復の数を使用して、ＰＲＡＣＨ（またはプリアンブル）を送信することができる。以前のＲＡ手順は、最新の（例えば最新の正常な）コンテンションベース（コンテンションフリー）ＲＡ手順であることができる。以前のＲＡ手順は、ＲＲＣ接続の確立のための、またはＰＤＣＣＨ指令によって開始された、最新の（例えば最新の正常な）コンテンションベース（またはコンテンションフリー）ＲＡ手順であることができる。
【０２４７】
正常なＲＡ手順は、ＷＴＲＵがＲＡＲを正常に受信した（例えば、それが、それが意図されていたと決定したＲＡＲを正常に受信した）ＲＡ手順であることができる。
【０２４８】
ＷＴＲＵが、ＰＤＣＣＨ指令によって示されたＲＡ手順に使用することができるＣＥレベルは、前のＲＡ（例えば、前のコンテンションベースＲＡ）に基づいて、（例えばＷＴＲＵによって）決定されることができる。例えば、ＣＥレベルは、ＷＴＲＵが正常に受信した最後の（例えば最新の）ＲＡＲに関連付けられたＰＲＡＣＨリソースに基づいて決定されることができる。
【０２４９】
ＷＴＲＵは、ＰＤＣＣＨ指令内で示されたプリアンブルを送信することができる。ＷＴＲＵは、コンテンションフリーＲＡまたはＰＤＣＣＨ指令によって要求されたＲＡのために、上位層によって構成されたプリアンブルを送信することができる。
【０２５０】
ＷＴＲＵは、ＰＤＣＣＨ指令内で、またはＰＤＣＣＨ指令によって示された電力レベルまたは電力タイプ（例えば最大電力、またはＤＬ測定に基づく）を使用して、ＰＲＡＣＨを送信することができる。ＷＴＲＵは、上位層によって構成された電力レベルまたは電力タイプを使用してＰＲＡＣＨを送信することができる。測定に基づく電力が使用される場合、ＷＴＲＵは、ＲＡＲが正常に受信されなかった場合に、電力を上昇させて再試行することができる。
【０２５１】
ＷＴＲＵは、ＰＤＣＣＨ指令内でもしくはＰＤＣＣＨ指令によって示されたＰＲＡＣＨマスクインデックス、および／または上位層によって構成されたＰＲＡＣＨマスクインデックスに従って、時間リソースおよび／または周波数リソース内で、ＰＲＡＣＨを送信することができる。
【０２５２】
ＷＴＲＵは、ＰＤＣＣＨ指令内で、またはＰＤＣＣＨ指令によって示された時間リソースおよび／または周波数リソース（例えばＰＲＢ）内で、ＰＲＡＣＨを送信することができる。
【０２５３】
ＷＴＲＵは、例えばＷＴＲＵがＰＲＡＣＨ送信に使用している可能性があるＣＥレベルの場合、ＲＡＣＨまたはコンテンションフリーＲＡＣＨの上位層によって構成された時間リソースおよび／または周波数リソース内で、ＰＲＡＣＨを送信することができる。
【０２５４】
ＰＤＣＣＨ指令によって示された、または開始されたＲＡまたはＲＡ手順は、ＤＣＩおよび／またはＰＤＣＣＨ指令によって（例えばｅＮＢによって）示された、要求された、かつ／または開始されたＲＡまたはＲＡ手順であることができる。
【０２５５】
ＷＴＲＵが、ＰＤＣＣＨ指令が示したＲＡ手順に使用することができるＣＥレベル（または反復の数）は、ＰＤＣＣＨ指令を運ぶＭ−ＰＤＣＣＨに使用されるＣＥレベル（または反復の数）であること、またはそのようなＣＥレベルに基づくことができる。例えば、ＣＥレベル（または反復の数）は、Ｍ−ＰＤＣＣＨに使用される反復の数に基づく（例えば等しい）ことができる。ＣＥレベル（または反復の数）は、Ｍ−ＰＤＣＣＨに使用される合計集約レベルの数に基づくことができ、その数は反復のために複数のサブフレームにわたって使用される（Ｅ）ＣＣＥの数と呼ばれることができる。
【０２５６】
ＷＴＲＵが、それが送信したプリアンブルに応答するＲＡＲを正常に受信しない場合、ＷＴＲＵは、例えばＲＡＲが正常に受信されるまで、または試行の最大数が達せられるかもしくは超えられるまで、再試行することができる。
【０２５７】
ＷＴＲＵは、例えばＰＤＣＣＨ指令によって開始されたＲＡで、１または複数（例えばすべて）のプリアンブル送信試行に対して、同じＣＥレベルを使用することができる。ＷＴＲＵは、異なるＣＥレベル（例えば連続的に高くなるＣＥレベル）を試行することができ、ＲＡ手順のための開始ＣＥレベルは、ＰＤＣＣＨ指令を運ぶＭ−ＰＤＣＣＨに使用されるＣＥレベルであること、またはそのようなＣＥレベルに基づくことができる。
【０２５８】
開始ＣＥレベルおよびＣＥレベルは、互いに代替されることができ、その場合でも、本開示に一致することができる。
【０２５９】
カバレッジ拡張を伴う、例えばＰＤＣＣＨ指令を運ぶＤＣＩ形式を処理するための手法が提供されること、および／または使用されることができる。
【０２６０】
ＰＤＣＣＨ指令（例えば１または複数のＰＤＣＣＨ指令を運ぶＤＣＩ）は、反復的に送信されることができる。例えば、ＰＤＣＣＨ指令は、（例えば、Ｎｒｅｐ個のサブフレームまたはＴＴＩ内で、またはそれらのそれぞれにおいて）Ｎｒｅｐ回送信されることができ、Ｎｒｅｐは反復の数であることができる。Ｎｒｅｐは、ＰＤＣＣＨ指令が意図されるＷＴＲＵのＣＥレベルに基づいて決定されることができる。例えば、Ｎｒｅｐは、（例えば、ＰＤＣＣＨ指令が意図され得るＷＴＲＵの中で）最も多くのカバレッジ拡張を必要としているＷＴＲＵのＣＥレベルに対応することができる。Ｎｒｅｐは、１または複数のＰＤＣＣＨ指令を運ぶＤＣＩに使用されるグループＲＮＴＩの関数として決定されることができる。Ｎｒｅｐは、上位層によって構成または提供された値であることができ、かつＰＤＣＣＨ指令を運ぶＤＣＩに固有であることができ、またはすべてのＤＣＩなどの他のＤＣＩの反復数と共通であることができる。
【０２６１】
１または複数（たとえばすべて）のＤＣＩ形式は、反復数（例えば、それまたはそれらに関連付けられた反復の数）を有することができる。反復数は、例えばＷＴＲＵに固有の方法またはセルに固有の方法（例えばシステム情報内などのブロードキャスト）で構成されることができる。ＷＴＲＵは、ＤＣＩ形式の反復数（例えば構成された反復数）を使用して、例えばＷＴＲＵによって他の目的（例えばデータの送信および／または受信）に使用されているＣＥレベルに関わらず、そのＤＣＩ形式を受信すること、もしくは受信しようと試みること、および／またはデコードすることができる。ＤＣＩおよびＤＣＩ形式は、互いに代替されることができ、その場合でも、本開示に一致することができる。
【０２６２】
ＤＣＩ形式の反復の数は、ＤＣＩ形式が運ぶことができるビットの最大数の関数であることができる。
【０２６３】
ＤＣＩ形式の反復の数は、ＤＣＩ形式を送信することができるｅＮＢまたはセルによってサポートされる最大ＣＥレベルの関数であることができる。
【０２６４】
ＤＣＩ形式の反復の数は、ＤＣＩ形式を送信することができるｅＮＢまたはセルによってＤＣＩ形式でサポートされる最大ＣＥレベルの関数であることができる。
【０２６５】
ＣＥレベルの使用および／またはサポートは、異なるＤＣＩ形式では（例えばｅＮＢまたはセルでは）、異なることができる。最大ＣＥレベルの使用および／またはサポートは、異なるＤＣＩ形式では（例えばｅＮＢまたはセルでは）、異なることができる。
【０２６６】
ＷＴＲＵが反復を伴うＰＤＣＣＨ指令を受信し、反復の最後の（または最初の）サブフレームがサブフレームｎである場合、ＷＴＲＵは、サブフレームｎ＋ｋ３以降において第１のＰＲＡＣＨリソース（または、示されたＰＲＡＣＨプリアンブル送信に使用できる第１のＰＲＡＣＨリソース）内でＰＲＡＣＨプリアンブルを送信することができ、ｋ３は、少なくとも次のうちの１つであることができる。（ｉ）６などの固定された正の整数、（ｉｉ）反復の数に固定された整数を足した値などのＣＥレベル（またはＮｒｅｐ）の関数として決定される正の整数、および／または（ｉｉｉ）上位層の信号伝達を介して提供される構成された値。
【０２６７】
Ｎｒｅｐ回の反復を使用して送信されるＰＤＣＣＨ指令の場合、ＷＴＲＵは、Ｎｒｅｐ回の反復よりも少ない反復（例えばＮｕｅ回の反復）を使用してＰＤＣＣＨ指令を正常に受信することができる。プリアンブル送信の開始を決定するための基準サブフレームｎは、Ｎｒｅｐ回の反復またはＮｕｅ回の反復の最後のサブフレーム（または、最後のサブフレームを基準にするサブフレーム）であることができる。
【０２６８】
ＲＡ手順を開始するためのＰＤＣＣＨ指令は、ＣＥレベルのサブセット内で（または、ＣＥレベルのサブセット内のみで）サポートされることができる。ＷＴＲＵおよび／またはｅＮＢは、例えばデータの送信および受信のために、通常のカバレッジレベル（例えばＣＥレベル−０）および１または複数の拡張カバレッジレベル（例えばＣＥレベル−１、２、３）を含むことができる２つ以上のＣＥレベルをサポートすることができる。ＰＤＣＣＨ指令は、ＣＥレベルのサブセットに（または、ＣＥレベルのサブセットのみに）使用されることができる。例示の目的で、小さい数のＣＥレベルは、低いカバレッジ拡張（例えば、少ない反復）に対応することができる。
【０２６９】
ＰＤＣＣＨ指令は、通常のカバレッジ（例えばＣＥレベル−０）内のＷＴＲＵに（または、そのようなＷＴＲＵのみに）対しておよび／またはよって使用されることができる。ＰＤＣＣＨ指令は、帯域幅制限なしで、通常のカバレッジ内のＷＴＲＵに（または、そのようなＷＴＲＵのみに）対しておよび／またはよって使用されることができる。
【０２７０】
例えばＲＡ手順を開始するためのＰＤＣＣＨ指令は、一部のカバレッジ拡張レベル内のＷＴＲＵに使用されること、またはそのようなＷＴＲＵによって使用されることができるが、その他のカバレッジ拡張レベル内では使用されないことができる。
【０２７１】
例えば、ＰＤＣＣＨ指令は、低いカバレッジ拡張レベル（例えば、ＣＥレベル−１またはＣＥレベル−１およびＣＥレベル−２）内のＷＴＲＵに使用されることができる。ＰＤＣＣＨ指令は、ＷＴＲＵが高いカバレッジ拡張レベル（例えば、ＣＥレベル−３またはＣＥレベル−２およびＣＥレベル−３）内にある場合に使用されないことができる。低いカバレッジ拡張レベル内のＷＴＲＵは、ＰＤＣＣＨ指令を監視すること、および／またはＰＤＣＣＨ指令に応答することができる。高いカバレッジ拡張レベル内のＷＴＲＵは、ＰＤＣＣＨ指令を監視しないこと、および／またはＰＤＣＣＨ指令に応答しないことができる。低いカバレッジ拡張は高いカバレッジ拡張に対して代替されること、およびその逆が行われることができ、その場合でも本開示に一致することができる。
【０２７２】
（例えばｅＮＢおよび／またはＷＴＲＵによって）ＰＤＣＣＨ指令でサポートされるＣＥレベルは、事前に定義されること、構成されること、または知られることができる。例えば、ＰＤＣＣＨ指令でｅＮＢによってサポートされる、および／またはＷＴＲＵによってサポートされることが予測されるＣＥレベルまたは最高のＣＥレベルの構成は、ブロードキャストされ得るシステム情報などを介して、上位層の信号伝達を介して（例えばｅＮＢによって）提供されることができる。ＷＴＲＵは、ＰＤＣＣＨ指令でサポートされる、またはサポートされることが予測されるＣＥレベル内で、またそのようなＣＥレベルを使用して、ＰＤＣＣＨ指令を監視すること、および／またはＰＤＣＣＨ指令に応答することができる。ＷＴＲＵは、ＰＤＣＣＨ指令でサポートされない、またはサポートされることが予測されないＣＥレベル内で、またそのようなＣＥレベルを使用して、ＰＤＣＣＨ指令を監視しないこと、および／またはＰＤＣＣＨ指令に応答しないことができる。
【０２７３】
ＣＥレベルのサブセットに対するＰＤＣＣＨ指令の制限は、コンテンションフリーＲＡを開始するＰＤＣＣＨ指令のため（またはそのようなＰＤＣＣＨ指令のためのみ）であることができる。コンテンションベースＲＡを開始するＰＤＣＣＨ指令は、（例えばｅＮＢによって）サポートされるより大きい（例えばすべての）ＣＥレベルのセットで適用可能であることができる。
【０２７４】
ＷＴＲＵが、コンテンションフリーＲＡに対して（例えばｅＮＢまたはＷＴＲＵによって）サポートされていないＣＥレベルでコンテンションフリーＲＡ手順を示すＰＤＣＣＨ指令を受信した場合、ＷＴＲＵはコンテンションベースＲＡ手順を開始することができる。
【０２７５】
ＲＡ手順は、ＣＥレベルの変更に使用されることができる。
【０２７６】
コンテンションベースＲＡ手順またはコンテンションフリーＲＡ手順であることができるＲＡ手順を開始するための指示が送信されることができる。この指示は、ＰＤＣＣＨ指令内で送信されることができる。ＰＤＣＣＨ指令は、ＷＴＲＵのＣＥレベルの変更（例えば、より少ない反復を必要とすること、もしくは使用することがあるさらに低いレベル、またはより多くの反復を必要とすること、もしくは使用することがあるさらに高いレベルなどのレベルへの変更）に使用されることができる。
【０２７７】
例では、ＷＴＲＵは、コンテンションベース（またはコンテンションフリー）ＲＡ手順を開始することができるＰＤＣＣＨ指令を受信することができる。それに応答して、ＷＴＲＵはコンテンションベース（またはコンテンションフリー）ＲＡ手順を実行することができる。
【０２７８】
ＷＴＲＵは、例えば初期アクセスのために、ＲＲＣ接続確立の場合と同じ（または同様の）ＲＡ手順を実行することができる。
【０２７９】
ＷＴＲＵは、例えば初期アクセスのために、開始ＣＥレベルの決定などの１または複数の態様を除き、ＲＲＣ接続確立（例えば初期アクセス）の場合と同じ（または同様の）ＲＡ手順を実行することができる。
【０２８０】
ＰＤＣＣＨ指令によって開始されることができるＲＡ手順（例えばコンテンションベースＲＡ手順）のための開始ＣＥレベルは、ＰＤＣＣＨ指令内で示されることができる。
【０２８１】
ＷＴＲＵは、開始ＣＥレベルから開始することができ、そのレベルを使用して（例えば、そのレベルに対応する反復を伴って）プリアンブルを送信することができる。ＷＴＲＵがＲＡＲを正常に受信しなかった場合、ＷＴＲＵは、さらに高い（例えば次に高い）ＣＥレベルを使用して再試行することができる。ＷＴＲＵは、ＲＡＲが正常に受信されるまで、またはＲＡ手順がセルおよび／またはＷＴＲＵによってサポートされている最高のＣＥレベルで失敗するまで、連続的に高くなる各ＣＥレベルを試行することができる。次に高いレベルに移動する前に、各レベルで複数回の試行が実行されることができる。同じレベルでの試行は、次第に高くなる電力で実行されることができる。
【０２８２】
開始ＣＥレベルの場合、ＷＴＲＵは、ＰＤＣＣＨ指令内で提供された開始ＣＥレベルを使用すること、またはＤＬ測定（例えばＲＳＲＰ）などに基づいて、自律的に開始ＣＥレベルを選択することができる。
【０２８３】
ＷＴＲＵは、通常モードまたは非カバレッジ拡張に対応する開始ＣＥレベルから開始することができ、例えばＰＤＣＣＨ指令（例えば、ＣＥレベルまたは０などの特定の値に設定された開始ＣＥレベル）またはＰＤＣＣＨ指令の特性（使用されるＤＣＩ形式または使用されるＲＮＴＩなど）に含まれているそのように実行するための指示に基づいて開始することができる。ＷＴＲＵは、ＰＤＣＣＨ指令によって開始されるコンテンションベースＲＡの場合、例えば常に、通常モードまたは非カバレッジ拡張に対応する開始ＣＥレベルから開始することができる。
【０２８４】
例えばカバレッジを拡張するための反復などの手法を使用することができない通常のカバレッジは、ＣＥレベル−０などのＣＥレベルと見なされることができる。
【０２８５】
ＲＡ手順の開始において使用されることができるＰＤＣＣＨ指令は、次の情報のうちの少なくとも１つを含むことができる。（ｉ）ＣＥレベルもしくは開始ＣＥレベル、（ｉｉ）ＰＲＡＣＨプリアンブルインデックス、（ｉｉｉ）ＰＲＡＣＨプリアンブルグループインデックス（例えばこれは、上位層の信号伝達によって提供されるプリアンブルの事前に構成されたグループを選択することができる）、（ｉｖ）タイミング前進、（ｖ）プリアンブル送信のための時間リソースおよび／もしくは周波数リソース（例えばサブフレームおよび／もしくはＰＲＢ）、ならびに／または（ｖｉ）プリアンブル送信のための時間リソースおよび／もしくは周波数リソース（例えばサブフレームおよび／もしくはＰＲＢ）のグループ（例えば、上位層の信号伝達によって構成されたグループ）の指示。
【０２８６】
コンテンションベースＲＡの場合、ＰＲＡＣＨプリアンブルインデックスは、０またはすべてゼロなどの固定された、知られた値であることができる。この値は、コンテンションベースＲＡが要求されたこと、または実行されることをＷＴＲＵに示すことができる。この値は、ＷＴＲＵがプリアンブルを選択する必要があることを示すことができる。
【０２８７】
ＷＴＲＵは、例えばコンテンションベースＲＡの場合に、使用するためのプリアンブルを、ＷＴＲＵがプリアンブル送信に使用するＣＥレベルに使用できるプリアンブルのセットから選択することができる。
【０２８８】
プリアンブルまたはプリアンブルグループは、ＰＤＣＣＨ指令内で示されることができる。ＷＴＲＵは、例えばコンテンションフリーＲＡの場合に、示されたプリアンブルを使用すること、または示されたグループからプリアンブルを（例えばランダムに）選択することができる。
【０２８９】
ＷＴＲＵは、ＷＴＲＵがプリアンブル送信に使用するＣＥレベルに使用できる、かつ／またはそのようなＣＥレベルに対応している時間リソースおよび／または周波数リソースに基づいて、プリアンブル送信のための時間リソースおよび／または周波数リソースを選択することができる。対応は、上位層の信号伝達において構成されること、および／または示されることができる。ＷＴＲＵは、ＰＤＣＣＨ指令内で示されたリソースを使用すること、またはＰＤＣＣＨ指令内で示されたリソースのグループから選択することができる。
【０２９０】
（例えば、試行のＣＥレベルに対応する反復を伴って）プリアンブルを送信する１回または複数回の試行の後に、ＷＴＲＵはＲＡＲを正常に受信することができる。ＷＴＲＵは、例えば１つの特定のプリアンブルがＰＤＣＣＨ指令内で示されなかった場合に、試行ごとにプリアンブルを変更することができる。
【０２９１】
ＷＴＲＵは、例えばＲＡＲ内でＵＬ許可を受信し、メッセージをｅＮＢに送信することができる。ＷＴＲＵは、許可されたリソース上（例えばＰＵＳＣＨ上）でメッセージを送ることができる。このメッセージは、ＷＴＲＵがＲＡＲを正常に受信したことを示すことができる。このメッセージは、例えばコンテンションベースＲＡの場合に、コンテンション解決の実行に使用されることができる。初期アクセスの場合、このメッセージは、ｍｓｇ３であること、またはｍｓｇ３と呼ばれることができ、ｍｓｇ３はＲＲＣ接続確立要求であること、またはＲＲＣ接続確立要求を含むことができる。ＰＤＣＣＨ指令によって開始されたＲＡの場合、ＷＴＲＵは既に接続されていることがある。
【０２９２】
ＷＴＲＵは、例えば許可されたリソース上で、メッセージまたは指示を送ることができ、それらのメッセージまたは指示は、正常なＲＡ手順、ＲＡ手順の完了、ＲＡＲの正常な受信、および／または（少なくともＷＴＲＵによるＲＡＲ受信を通じた）ＲＡ手順が正常だったこと、もしくは完了されたことをｅＮＢに示すことができる（もしくはｅＮＢによって解釈されることができる）その他の情報を示すことができる。ＲＡ手順のｍｓｇ３またはｍｓｇ３の変更されたバージョンが、例えば新しい確立の原因と共に使用されることができる。新しいメッセージが使用されることができる。メッセージおよびｍｓｇは、交換可能なように使用されることができる。
【０２９３】
ＷＴＲＵがＰＲＡＣＨ送信に使用することができるリソースは、ＣＥレベルに対して一意であることができ、かつ／またはｅＮＢは、ＲＡ手順が成功したことを認識すること、または通知されることができる。ｅＮＢは、例えばＷＴＲＵによって使用されるＰＲＡＣＨリソース、および／またはＲＡ手順の成功に基づいて、ＷＴＲＵがＲＡ手順の成功を達成するために使用した、または必要としたＣＥレベルを知ることができる。
【０２９４】
正常なＲＡ手順のＣＥレベル（例えば新しいＣＥレベル）は、ＷＴＲＵがＲＡ手順の前に使用していたＣＥレベルよりも低くする（または高くする）ことができる。
【０２９５】
ＷＴＲＵは、その現在のＣＥレベルを、正常なＲＡ手順に対応するＣＥレベル（例えば新しいＣＥレベル）に変更することができる。この新しいＣＥレベルは、通常のカバレッジに対応することができる。
【０２９６】
ＷＴＲＵは、ＰＤＣＣＨ指令に含まれているタイミング前進を、例えば正常なＲＡＲの受信の後のＵＬメッセージ（例えば、ＲＡＲ内でリソースが許可されたＵＬメッセージ）の送信時に、または送信時に開始して、適用することができる。
【０２９７】
ＷＴＲＵは、その現在のＣＥレベルを、ＲＡ手順を完了させるまで使用し続けることができる。ＲＡ手順の結果ＣＥレベルが変更された場合、ＷＴＲＵは、ＲＡ手順を完了させたときに、その新しいＣＥレベルの使用を開始することができる。
【０２９８】
ＲＡ手順の完了は、ＷＴＲＵがＲＡ手順の成功の指示を送信するタイミングに対応することができる。ＷＴＲＵは、指示を送信するときに、新しいＣＥレベルを使用することができる。
【０２９９】
別の例では、ＰＤＣＣＨ指令が、コンテンションフリーＲＡまたはコンテンションベースＲＡのいずれかを開始するために使用されることができる。ＰＤＣＣＨ指令に関連付けられたＤＣＩ内のビットフィールドなどの指示は、ＰＤＣＣＨ指令がコンテンションベースＲＡ用であるか、またはコンテンションフリーＲＡ用であるかを示すために使用されることができる。異なるＲＮＴＩが、コンテンションベースＲＡ用のＰＤＣＣＨ指令およびコンテンションフリーＲＡ用のＰＤＣＣＨ指令を示すために使用されることができる。異なる検索空間（例えば異なるフォールバックＭ−ＰＤＣＣＨ検索空間）が、ＰＤＣＣＨ指令によって示されたＲＡの種類を示すために使用されることができる。
【０３００】
フォールバック検索空間であることができる検索空間が提供されること、および／または使用されることができる。
【０３０１】
検索空間（例えばセルの検索空間）は、特定のＣＥレベルを持つこと、使用すること、または特定のＣＥレベルで定義されることができ、この特定のＣＥレベルは、セルによってサポートされることができる最高のＣＥレベルであることができる。指示は、ＲＡ手順を開始するために、この検索空間内でＷＴＲＵに送信されることができる。検索空間は、例えば上位層の信号伝達によって、知られること、または構成されることができる。ブロードキャストされ得るシステム情報内などの、より高いレベルの信号伝達がｅＮＢから来ることができる。
【０３０２】
検索空間は、フォールバック制御チャネルであること、またはフォールバック制御チャネルに使用されることができる。検索空間は、フォールバック検索空間と呼ばれることができる。フォールバック制御チャネル、フォールバック検索空間、共通検索空間、およびフォールバックＭ−ＰＤＣＣＨは、交換可能なように使用されることができる。
【０３０３】
フォールバックＭ−ＰＤＣＣＨは、次のうちの少なくとも１つを使用して構成されることができる：サブバンドまたは周波数位置、時間位置のセット、ＣＥレベル、および反復の数。
【０３０４】
特定のサブバンド（例えば、セルのＤＬシステム帯域幅などのシステム帯域幅の範囲内にあることができる連続するＰＲＢのサブセット）および／または特定の時間位置または時間位置のセット（例えばサブフレームおよび／または無線フレームのサブセット）が、フォールバックＭ−ＰＤＣＣＨに使用されることができる。
【０３０５】
サブバンドの周波数位置および／または時間位置は、ブロードキャスト信号伝達などの上位層の信号伝達において、または物理ブロードキャストチャネル（例えばＭＩＢ）を介して示されることができる。サブバンドの周波数位置および／または時間位置は、１または複数のシステムパラメータの関数として（例えばＷＴＲＵによって）決定されることができる。システムパラメータは、ＤＬシステム帯域幅、物理セルＩＤ、サブフレーム番号、ＳＦＮ番号、およびＭＢＳＦＮ構成を含むことができる。サブバンドの周波数位置および／または時間位置は、時間と共に変化することができる。例えば、（例えば事前に定義される、または構成される）周波数ホッピングパターンが使用されることができる。
【０３０６】
フォールバックＭ−ＰＤＣＣＨの反復の数は、セル内で構成されたＭ−ＰＤＣＣＨの反復の最大数と同じであることができる。反復の数は、ブロードキャスト信号伝達などの上位層の信号伝達を介して、または物理ブロードキャストチャネル（例えばＭＩＢ）を介して示されることができる。
【０３０７】
Ｍ−ＰＤＣＣＨ  ＷＴＲＵ固有の検索空間の一部は、フォールバックＭ−ＰＤＣＣＨとして使用されることができる。例えば、Ｍ−ＰＤＣＣＨ  ＷＴＲＵ固有の検索空間は、１または複数のＣＥレベル（例えば反復数）を含むことができる。最高のＣＥレベルを含むＭ−ＰＤＣＣＨ  ＷＴＲＵ固有の検索空間内の１または複数のＭ−ＰＤＣＣＨの候補は、フォールバックＭ−ＰＤＣＣＨとして使用されることができる。
【０３０８】
ＷＴＲＵは、フォールバックＭ−ＰＤＣＣＨ用の１または複数のパラメータ（例えば送信および／または受信パラメータ）を決定することができ、それらのパラメータは、サブバンドまたは周波数位置、時間位置のセット、ＣＥレベル、および反復の数のうちの１または複数を含むことができる。ＷＴＲＵは、受信された構成、システムパラメータ、およびその他の知られた情報のうちの少なくとも１つに基づいて１または複数のパラメータを決定することができる。
【０３０９】
ＷＴＲＵは、少なくとも決定されたパラメータに従って、フォールバックＭ−ＰＤＣＣＨを監視することができる。ＷＴＲＵは、ＲＡ手順を示すこと、開始すること、または要求することができる少なくともＰＤＣＣＨ指令（またはＷＴＲＵのためのＰＤＣＣＨ指令を含んでいるＤＣＩ形式）について、フォールバックＭ−ＰＤＣＣＨを監視することができる。ＰＤＣＣＨ指令の正常な受信時または正常な受信に応答して、ＷＴＲＵはＲＡ手順を開始することができる。
【０３１０】
フォールバックＭ−ＰＤＣＣＨは、例えばＷＴＲＵとの通信が現在使用されているＣＥレベルよりも高い（または低い）ＣＥレベルを必要とすることがある場合に、セルによってサポートされている最高のＣＥレベルなどの特定のＣＥレベルでＷＴＲＵと通信するために、ｅＮＢによって使用されることができる。ｅＮＢは、ＣＥレベルの変更を、フォールバックＭ−ＰＤＣＣＨ内のＷＴＲＵ、またはフォールバックＭ−ＰＤＣＣＨを使用しているＷＴＲＵに示すことができる。ｅＮＢは、ＲＡ手順を開始するためのＰＤＣＣＨ指令および／または要求を、例えば、より適切なＣＥレベルまたはより高い（もしくはより低い）ＣＥレベルなどにＷＴＲＵのＣＥレベルを変更可能にするために、ＷＴＲＵに送信することができる。
【０３１１】
ページングが提供されること、および／または使用されることができる。ＣＥ情報は、ページングに使用されることができる。ｅＮＢが、アイドルモードになることができるＷＴＲＵをページングすることができる、またはページングすることになる場合、ｅＮＢは、ＷＴＲＵがカバレッジ拡張（ＣＥ）モードになることができるかどうか、および／またはそれがＣＥモードになることができる場合に、ＣＥレベルが何であるかが、わからないことがある。ｅＮＢが、通常のページング手順を使用してＣＥモードのＷＴＲＵをページングすることができる場合、ＷＴＲＵはこのページングを受信しないことができる。
【０３１２】
アイドルモードは、ＲＲＣアイドル、ＥＣＭアイドル、登録されたＥＭＭ、および／または登録解除されたＥＭＭ（例えば、これらのモードまたは状態）のうちの１または複数であること、またはこれらを含むことができる。
【０３１３】
ＷＴＲＵは、ＷＴＲＵのためであること、またはＷＴＲＵに関するものであることができるＣＥ情報を、ｅＮＢおよび／またはＭＭＥに提供することができる。ｅＮＢは、ＷＴＲＵのためであること、またはＷＴＲＵに関するものであることができるＣＥ情報を、（例えばハンドオーバ手順の一部として）別のｅＮＢおよび／またはＭＭＥに提供することができる。ＭＭＥは、別のネットワークエンティティによって置き換えられることができ、その場合でも、本開示に一致することができる。ＷＴＲＵおよびデバイス（例えば、ＭＴＣデバイスまたはＬＣ−ＭＴＣデバイスであることができるデバイス）は、交換可能なように使用されることができる。
【０３１４】
ＭＭＥは、ＷＴＲＵのためであること、またはＷＴＲＵに関するものであることができるＣＥ情報を格納することができる。ＭＭＥは、例えばＷＴＲＵがアイドルモードになることができる場合など、ＷＴＲＵをページングするようにｅＮＢに対して要求する場合に、ＷＴＲＵのためであること、またはＷＴＲＵに関するものであることができるＣＥ情報を、ｅＮＢへのメッセージに含めることができる。
【０３１５】
ＷＴＲＵのためであること、またはＷＴＲＵに関するものであることができるＣＥ情報は、カバレッジ拡張に関するＷＴＲＵのモード（例えばＣＥモードもしくは非ＣＥモード、ＷＴＲＵのＣＥレベル、および／またはＣＥモードをサポートするためのＷＴＲＵの能力）のうちの１または複数を含むことができる。ＣＥ情報に含まれている情報は、異なるメッセージおよび／または目的によって異なることができる。
【０３１６】
カバレッジ拡張に関するＷＴＲＵのモードは、ＷＴＲＵの現在および／または最後（または最新）の知られた、または格納されたモードであることができる。ＷＴＲＵのＣＥレベルは、ＷＴＲＵの現在および／または最後（または最新）の知られた、または格納されたＣＥレベルであることができる。
【０３１７】
ＣＥレベルはＣＥモードの指示を含むことができる。ＵＥがＣＥモードになることができないことを示すために、０などの特定の値またはレベルが使用されることができる。例えば、ＣＥモードではないことを示すために０が使用され、ＣＥモードのレベル１、２、および３を示すために１、２、および３がそれぞれ使用されることができる。
【０３１８】
例では、ＷＴＲＵは、ＣＥ情報を、アタッチ（例えばＡＴＴＡＣＨ  ＲＥＱＵＥＳＴ）メッセージおよび／または追跡領域更新（ＴＡＵ：Ｔｒａｃｋｉｎｇ  Ａｒｅａ  Ｕｐｄａｔｅ）メッセージなどのＮＡＳメッセージ内でＭＭＥに提供することができる。
【０３１９】
ＷＴＲＵは、ＣＥ情報を、（例えば「ＡＴＴＡＣＨ  ＲＥＱＵＥＳＴ」メッセージ内の）アタッチなどの１または複数のネットワーク登録アクションの間、または（例えば「ＴＲＡＣＫＩＮＧ  ＡＲＥＡ  ＵＰＤＡＴＥ  ＲＥＱＵＥＳＴ」メッセージ内の）追跡領域更新（ＴＡＵ）などのデバイスもしくはＷＴＲＵモビリティ管理アクションの間に、ＭＭＥに提供することができる。例えば、ＷＴＲＵは、そのようなＣＥ情報を、前述のメッセージ自体のうちの１もしくは複数、またはそのＷＴＲＵもしくはデバイスの、「ＷＴＲＵネットワーク能力」、「ＭＳネットワーク能力」、「ＭＳクラスマーク２」、「ＭＳクラスマーク３」、「ＭＳネットワーク機能サポート」などの能力もしくはネットワークサポート特徴属性ＩＥのうちの１もしくは複数に含めることができる。
【０３２０】
ｅＮＢは、ＣＥ情報（例えば一部のＣＥ情報）をＷＴＲＵから受信すること、および／または１もしくは複数のその他の方法で（例えば、ＷＴＲＵが使用した可能性がある、特定のＣＥ情報を示すことができるＰＲＡＣＨリソースから）ＣＥ情報（例えば一部または一部のその他のＣＥ情報）を決定することができる。ＷＴＲＵは、１または複数の能力情報要素（ＩＥ）またはメッセージ（例えば、ＷＴＲＵ能力ＩＥもしくはメッセージ、ならびに／または、ＣＥ情報および／もしくはページングもしくはページング能力に関する情報に固有であることができるＩＥもしくはメッセージ）内のＣＥ情報を（例えばｅＮＢに）提供することができる。ＷＴＲＵは、メッセージを自律的に送信することができる。ｅＮＢは、Ｓ１（例えばＳ１ＡＰ）メッセージ内で、ＣＥ情報をＭＭＥに提供することができる。
【０３２１】
ｅＮＢは、ＷＴＲＵのため、またはＷＴＲＵに関するＣＥ情報を、この情報の決定および／または受信の後に、ＭＭＥに提供することができる。ｅＮＢは、ＷＴＲＵのため、またはＷＴＲＵに関するＣＥ情報を、この情報の変更または更新の後に、ＭＭＥに提供することができる。ｅＮＢは、ＷＴＲＵのため、またはＷＴＲＵに関するＣＥ情報を、ｅＮＢがＷＴＲＵを（例えば、ｅＮＢとのＲＲＣ接続などのその接続から）解放することができたとき、および／またはＷＴＲＵがアイドルモードに移行することができたときに、ＭＭＥに提供することができる。
【０３２２】
ＭＭＥは、ＣＥ情報（例えば、それがＷＴＲＵのために格納した可能性のあるＣＥ情報）を、例えば特定の手順（例えば、ｅＮＢがこの情報を持たないことがある特定の手順）のサポートにおいて、ｅＮＢに提供することができる。例えば、ＭＭＥは、ＣＥ情報（例えば、個別に、または１または複数のＩＥなどの組み合わせで提供されることができる、情報の１または複数の項目を含むことができるＣＥ情報）を、アイドルモードであるかアタッチされているが接続されないことができるか、またはデタッチされているかアタッチされていないがページング領域内に配置されていることが知られることができる所与のＷＴＲＵまたはデバイスのためのページングに関連して、ｅＮＢに（例えばＳ１  ＰＡＧＩＮＧメッセージと共にまたはＳ１  ＰＡＧＩＮＧメッセージ内で）提供することができる。ｅＮＢは、それが（例えばＭＭＥから）受信することができるＣＥ情報に一致する方法でＷＴＲＵをページングすることができる。
【０３２３】
ＷＴＲＵは、更新されたＣＥ情報を、例えばそのＣＥ情報の構成要素のうちの１または複数が変化し得るとき、またはその他の状況で、ｅＮＢおよび／またはＭＭＥに提供することができる。
【０３２４】
特定の状況では（例えばＷＴＲＵがアイドルモードになることができる場合）、ＷＴＲＵは、ＣＥ情報または更新されたＣＥ情報を提供するために、ＲＡ手順を実行してｅＮＢに接続することができる。ＷＴＲＵは、ＲＲＣ接続要求を送ることができ、その理由が、ＷＴＲＵによってモバイル発信信号伝達（ｍｏ信号伝達）として示されることができる。
【０３２５】
（例えばアイドルモードおよび／または接続モードにおける）ＣＥモードおよび／またはＣＥレベルの変更は、ＷＴＲＵがＴＡＵを実行する（例えばトリガする）ための理由になることができる。（例えばアイドルモードおよび／または接続モードにおける）ＣＥモードおよび／またはＣＥレベルの変更は、ＷＴＲＵがＲＡ手順を実行するため、および／または接続確立を実行する（もしくは要求する）ため、および／または能力メッセージをｅＮＢに（もしくはｅＮＢと共に）送るための理由になることができる。
【０３２６】
ＷＴＲＵが、例えばアイドルモード（または接続モード）にある間、ＣＥモードに、もしくはＣＥモードから変化することができ、かつ／またはそのＣＥレベルを変更することができる場合、ＷＴＲＵは、ｅＮＢに接続し（例えばＲＲＣ接続）、例えばＲＡ手順を実行してｅＮＢとのＲＲＣ接続を要求および／または確立することができ、この確立の原因はモバイル発信信号伝達（ｍｏ信号伝達）であることができる。
【０３２７】
ＷＴＲＵが、例えばアイドルモード（または接続モード）にある間、ＣＥモードに、もしくはＣＥモードから変化することができ、かつ／またはそのＣＥレベルを変更することができる場合、ＷＴＲＵはｅＮＢと共にＲＡ手順を実行することができ（このＲＡ手順は、接続を確立するための手順と同じまたは同様の手順であることができる）、それによってｅＮＢは、ＷＴＲＵがＣＥモードになることができるかどうか、および／またはＷＴＲＵが必要とすること、もしくは使用することができるＣＥのレベルを決定することができる。
【０３２８】
ＷＴＲＵが、例えばアイドルモード（または接続モード）にある間、かつ／またはその他の理由で、ＣＥモードに、もしくはＣＥモードから変化することができ、かつ／またはそのＣＥレベルを変更することができる場合、ＷＴＲＵは、ＷＴＲＵに関するＣＥ情報（例えば更新されたＣＥ情報）を、例えばｅＮＢへのＷＴＲＵメッセージおよび／または（例えばｅＮＢを介した）ＭＭＥへのＷＴＲＵメッセージ（例えばＮＡＳメッセージ）の一部として、ｅＮＢおよび／またはＭＭＥに提供することができる。ＷＴＲＵは、１または複数のメッセージを使用して、ＣＥ情報をｅＮＢおよび／またはＭＭＥに伝達することができる。ＷＴＲＵは、ＮＡＳ手順および／または（例えば「ＴＲＡＣＫＩＮＧ  ＡＲＥＡ  ＵＰＤＡＴＥ  ＲＥＱＵＥＳＴ」メッセージ内の）ＴＡＵなどのメッセージを使用して、ＣＥ情報または更新されたＣＥ情報をＭＭＥに提供することができる。ＷＴＲＵは、能力メッセージを使用して、ＣＥ情報または更新されたＣＥ情報をｅＮＢに提供することができる。
【０３２９】
ＷＴＲＵは、ＲＡ手順を実行して、ｅＮＢとの接続を確立することができる。
【０３３０】
接続確立の後に、ＷＴＲＵはＴＡＵメッセージであることができるＮＡＳメッセージをＭＭＥに送ることができる。このメッセージは、ＷＴＲＵのモード（ＣＥモードまたは非ＣＥモード）および／またはＣＥレベルの指示を含むことができる。ＷＴＲＵは、ＣＥモードをサポートするＷＴＲＵ能力をＴＡＵメッセージに含めることができる。ＣＥモードサポート能力は、ＭＭＥへのＡＴＴＡＣＨメッセージに（例えば、ＭＭＥへのＡＴＴＡＣＨメッセージのみに）含められることができる。
【０３３１】
ＷＴＲＵは、ＴＡＵメッセージ内（例えば「ＴＲＡＣＫＩＮＧ  ＡＲＥＡ  ＵＰＤＡＴＥ  ＲＥＱＵＥＳＴ」メッセージ内）のＣＥ情報を、ＭＭＥに送信することができる。ＷＴＲＵが、そのようなメッセージを、例えばＣＥ情報の変更以外の理由で送ることができる場合、ＷＴＲＵはそのＣＥ情報の全部または特定の部分を含むことができ、例えばＷＴＲＵは、最後にＷＴＲＵがＣＥ情報をＭＭＥに送信した可能性のあるときから変化した可能性のあるＣＥ情報を含むこと、またはそのようなＣＥ情報のみを含むことができる。
【０３３２】
ＷＴＲＵに関するＣＥ情報が変化することがある場合、ｅＮＢは、メッセージ（例えばＳ１ＡＰメッセージ）を送って、ＣＥ情報の特定の部分（例えば一部もしくは全部）または少なくとも変更された情報（もしくは変更された情報のみ）を、ＭＭＥに提供することができる。
【０３３３】
無線リンク故障（ＲＬＦ）中もしくはＲＬＦからの回復中、またはそれらの後に、ＷＴＲＵは、例えばＣＥモードおよび／またはＣＥレベルを変更した可能性のあるアイドルモードにあるＷＴＲＵに関するＣＥ情報を、本明細書に記載された解決策または例のうちの１または複数に従うことなどによって、ｅＮＢおよび／またはＭＭＥに提供することができる。ＷＴＲＵは、例えばＲＬＦまたはＲＬＦをもたらした可能性のある状態が発生した可能性がある前から、ＣＥモードおよび／またはＣＥレベルが（例えば、それまたはそれらが変化しなかった場合でも）変化した可能性があるかのように動作することができる。
【０３３４】
ページングは、ＣＥモードであることができるＷＴＲＵに提供されること、および／またはそのようなＷＴＲＵによって使用されることができる。ｅＮＢが、ＣＥモードをサポートすることができるＷＴＲＵをページングすること、またはページングしようとすることができる場合、ｅＮＢは、そのＷＴＲＵが現在ＣＥモードであるかどうかわからないことがあり、かつ／またはｅＮＢは、そのＷＴＲＵの現在のＣＥレベルがわからないことがある。これは、例えばＭＭＥによって格納されることができるＣＥ情報がＣＥモードまたはＣＥレベルの情報を含むことができない場合、またはそのような情報が古いことがある場合に、発生することがある。
【０３３５】
ｅＮＢは、非ＣＥページングを使用して、または非ＣＥページングとＣＥページングの両方を（例えば同時に、または順番に）使用して、ＣＥモードをサポートすることができるＷＴＲＵなどのＷＴＲＵをページングすることができる。ｅＮＢは、最初に非ＣＥページングを使用し、失敗した場合は次にＣＥページングを使用して、ＣＥモードをサポートすることができるＷＴＲＵなどのＷＴＲＵをページングすることができる。ｅＮＢは、ＣＥページングを使用して、またはＣＥページングのみを使用して、ＣＥモードをサポートすることができるＷＴＲＵなどのＷＴＲＵをページングすることができる。ｅＮＢは、最悪のＣＥレベル（例えば、最も多くの反復を使用することができるレベル）に（例えば、最悪のＣＥレベルのみに）ＣＥページングを使用して、ＣＥモードをサポートすることができるＷＴＲＵなどのＷＴＲＵをページングすることができる。ｅＮＢは、１つのＣＥレベルにＣＥページングを使用し、失敗した場合に別の（例えば別のさらに高い）レベルまたは次の（例えば次に高い）レベルにＣＥページングを使用して、ＣＥモードをサポートすることができるＷＴＲＵなどのＷＴＲＵをページングすることができる。ｅＮＢは、１または複数の（例えばそれぞれの）ＣＥレベルに（例えば１つずつ、または同時に）ＣＥページングを、例えば成功するまで、または最悪のレベルが失敗するまで使用して、ＣＥモードをサポートすることができるＷＴＲＵなどのＷＴＲＵをページングすることができる。ｅＮＢは、メッセージ（例えばＳ１ページングメッセージ）内で例えばＭＭＥからｅＮＢに提供されることができる、ＷＴＲＵの最後に知られた、または格納されたＣＥモードおよび／またはＣＥレベルにＣＥページングを使用して、ＣＥモードをサポートすることができるＷＴＲＵなどのＷＴＲＵをページングすることができる。ｅＮＢは、メッセージ（例えばＳ１ページングメッセージ）内で例えばＭＭＥからｅＮＢに提供されることができる、ＷＴＲＵのＣＥモードおよび／またはＣＥレベルにＣＥページングを使用して、ＣＥモードをサポートすることができるＷＴＲＵなどのＷＴＲＵをページングすることができる。非ＣＥページングを使用することは、従来技術のページング手法、またはカバレッジ拡張を必要とすること、もしくは使用することができないＷＴＲＵに使用されることができるページング手法を使用することを含むことができる。ＣＥページングを使用することは、反復などのカバレッジ拡張手法を使用したページングを含むことができる。反復の数は、固定されること、構成されること、またはＣＥレベルの関数であることができる。ＣＥページングを使用することは、ＰＣＨを運ぶ、またはＤＣＩ形式を使用せずにページングするＰＤＳＣＨを提供することを含むことができる。
【０３３６】
非ＣＥページングとＣＥページングの両方を使用してＷＴＲＵをページングすることができるｅＮＢは、それがＷＴＲＵから非ＣＥページングへの応答を受信（例えば正常に受信）した場合および／または受信したときに、ＣＥページング（例えばＣＥページングの反復）を中止することができる。ＷＴＲＵからページングへの応答は、ＰＲＡＣＨプリアンブルおよび／またはＲＡ手順の少なくとも一部の送信であること、またはそのような送信を含むことができる。ｅＮＢによる応答の正常な受信は、応答がそれがページングした可能性があるＷＴＲＵから来たことを決定できることを、含むことができる。
【０３３７】
非ＣＥページングとＣＥページングの両方を使用してＷＴＲＵをページングすることができるｅＮＢは、ｅＮＢが例えばページングが成功したＭＭＥから指示を受信した場合および／または受信したときに、ＣＥページング（例えばＣＥページングの反復）を中止することができる。ページングが成功したことの指示は、ＷＴＲＵに対して、ベアラの設定などの処理を実行させるための要求を含むことができる。
【０３３８】
ＷＴＲＵ（例えば、ＣＥモードをサポートすることができるＷＴＲＵ、またはＣＥモードをサポートすることができるとｅＮＢが知ることができるＷＴＲＵ）をページングすることができる、またはページングしようとすることができるｅＮＢであって、ＷＴＲＵの例えば（例えば現在の）ＣＥモードおよび／またはＣＥレベルを知ることができない、またはそれが不確かであることがあるｅＮＢは、（例えば最初に）非ＣＥページングを使用してＷＴＲＵのページングを試行することができる。ｅＮＢがＷＴＲＵからの応答またはＭＭＥからの（例えばページングの成功に関する）指示を、例えば特定の時間以内に受信（または正常に受信）することができない場合、ｅＮＢは、ＣＥページングを使用してＷＴＲＵのページングを試行することができる。
【０３３９】
ｅＮＢは、成功するかすべて失敗するまで、１または複数のＣＥレベルについてＣＥページングを試行することができ、または最悪のＣＥレベル（例えば最悪のＣＥレベルのみ）を試行することができる。例えばＣＥレベル（例えば特定のＣＥレベル）と共に非ＣＥモードまたはＣＥモードを使用した、ｅＮＢによるページングの試行は、ＭＭＥからのページング要求に応答したものであることができる。ページング要求は、Ｓ１ページングメッセージ内で提供されることができる。ＭＭＥは、成功の指示の代わりに、ページング試行の成功の欠如の指示を提供することができる。
【０３４０】
ｅＮＢは、例えばＣＥモードのページングを使用して、接続モードのＣＥモードのＷＴＲＵをページングし、それに対してシステム情報変更を通知することができる。ｅＮＢは、専用信号伝達を使用して、それらのＷＴＲＵに対して変更を直接通知することができる。
【０３４１】
ＣＥページングが提供されること、および／または使用されることができる。ＷＴＲＵは、ＰＤＣＣＨおよび／またはＥＰＤＣＣＨを監視して、それを対象にすることができるＰＣＨ（またはページングメッセージ）を運ぶＰＤＳＣＨが存在することができるかどうかを決定することができる。ＷＴＲＵは、ＰＣＨまたはページングメッセージを運ぶことができるＰＤＳＣＨを示すことができる、ページングＲＮＴＩ（例えばＰ−ＲＮＴＩ）、またはページングＲＮＴＩ（例えばＰ−ＲＮＴＩ）を使用して（例えばページングＲＮＴＩを使用してスクランブルされたＣＲＣを使用して）マスクされたＤＣＩ形式を検索することができる。ＰＣＨおよびページングメッセージは、交換可能なように使用されることができる。ＲＮＴＩを使用すること（例えばＲＮＴＩを使用するＤＣＩ形式）は、ＲＮＴＩを使用してマスクされること（例えばＲＮＴＩを使用してマスクされているＤＣＩ形式）、またはＲＮＴＩを使用してスクランブルされたＣＲＣ（またはそのＣＲＣ）を有すること（例えばそのようなＣＲＣを有するＤＣＩ形式）と同じであることができる。
【０３４２】
カバレッジが制限されたＷＴＲＵなどのＷＴＲＵは、送信を正常に受信すること、および／またはデコードすることを可能にするための送信（例えばＰＤＣＣＨ、ＥＰＤＣＣＨ、ＰＤＳＣＨなど）の反復を、使用すること、必要とすること、および／または結合することができる。ルールおよび／または手順は、ＰＣＨもしくはページングメッセージを運ぶことができるＰＤＳＣＨ、ならびに／またはＰＣＨもしくはページングメッセージを運ぶことができるＰＤＳＣＨの存在（または次回の存在）を示すことができるＤＣＩ形式を運ぶことができるＰＤＣＣＨ（および／またはＥＰＤＣＣＨ）に使用されることができる。
【０３４３】
ＣＥページングは、ＰＣＨもしくはページングメッセージを運ぶことができるＰＤＳＣＨの存在（または次回の存在）を示すことができるＤＣＩ形式を運ぶことができるＰＤＣＣＨおよび／もしくはＥＰＤＣＣＨの反復、ならびに／またはＰＣＨもしくはページングメッセージを運ぶことができるＰＤＳＣＨの反復などのカバレッジ拡張手法を使用することができる。
【０３４４】
ＣＥページングを使用することができるｅＮＢなどのｅＮＢは、例えばカバレッジが制限されることができるＷＴＲＵにＰＣＨを送信するときに、カバレッジ拡張の方法でＰＣＨを送信することができる。ＣＥページングを使用すること、またはＣＥページングに応答することができるカバレッジが制限されたＷＴＲＵなどのＷＴＲＵは、カバレッジ拡張の方法でＰＣＨを受信することができる。ＣＥページングは、カバレッジ拡張の方法で、ＰＣＨの送信および／または受信を含むことができる。
【０３４５】
カバレッジ拡張の方法でのＰＣＨのＣＥページングおよび／または送信および／または受信は、ＰＣＨの反復の送信を含むことができ、その反復の送信は、ＰＣＨを運ぶことができるＰＤＳＣＨの反復の送信ならびに／または関連するＰＤＣＣＨおよび／もしくはＥＰＤＣＣＨの反復の送信を含むことができる。カバレッジ拡張の方法でのＰＣＨのＣＥページングおよび／または送信および／または受信は、ＰＣＨの反復の受信および／または結合を含むことができ、その反復の受信および／または結合は、ＰＣＨを運ぶことができるＰＤＳＣＨの反復の受信および／もしくは結合ならびに／または関連するＰＤＣＣＨおよび／もしくはＥＰＤＣＣＨの反復の受信および／もしくは結合を含むことができる。カバレッジ拡張の方法でのＰＣＨのＣＥページングおよび／または送信および／または受信は、ＰＣＨ  ＰＤＣＣＨおよび／もしくはＥＰＤＣＣＨのためのＲＮＴＩ（例えばレガシーＰ−ＲＮＴＩ）、または例えばカバレッジ拡張レベル（例えば特定のＣＥレベル）の、カバレッジが制限されたＷＴＲＵに固有であることができるＲＮＴＩ（例えばＰＣＥ−ＲＮＴＩ）の送信を含むことができる。カバレッジ拡張の方法でのＰＣＨのＣＥページングおよび／または送信および／または受信は、ＰＣＨ  ＰＤＣＣＨおよび／もしくはＥＰＤＣＣＨのためのＲＮＴＩ（例えばレガシーＰ−ＲＮＴＩ）、または例えばカバレッジ拡張レベル（例えば特定のＣＥレベル）の、カバレッジが制限されたＷＴＲＵに固有であることができるＲＮＴＩ（例えばＰＣＥ−ＲＮＴＩ）の監視および／または受信を含むことができる。
【０３４６】
ＷＴＲＵおよび／またはｅＮＢ（ＣＥページングを使用することができるＷＴＲＵおよび／またはｅＮＢなど）は、ＰＣＨの反復を送信することができ、この送信は、ＰＣＨを運ぶことができるＰＤＳＣＨの反復の送信、ならびに／または関連するＰＤＣＣＨおよび／もしくはＥＰＤＣＣＨの反復の送信を含むことができる。ＷＴＲＵおよび／またはｅＮＢ（ＣＥページングを使用することができるＷＴＲＵおよび／またはｅＮＢなど）は、ＰＣＨの反復を受信および／または結合することができ、この受信および／または結合は、ＰＣＨを運ぶことができるＰＤＳＣＨの反復の受信および／もしくは結合、ならびに／または関連するＰＤＣＣＨおよび／もしくはＥＰＤＣＣＨの反復の受信および／もしくは結合を含むことができる。ＷＴＲＵおよび／またはｅＮＢ（ＣＥページングを使用することができるＷＴＲＵおよび／またはｅＮＢなど）は、ＰＣＨ  ＰＤＣＣＨおよび／またはＥＰＤＣＣＨのためのＲＮＴＩ（例えばレガシーＰ−ＲＮＴＩ）、または例えばカバレッジ拡張レベル（例えば特定のＣＥレベル）の、カバレッジが制限されたＷＴＲＵに固有であることができるＲＮＴＩ（例えばＰＣＥ−ＲＮＴＩ）を送信することができる。ＷＴＲＵおよび／またはｅＮＢ（ＣＥページングを使用することができるＷＴＲＵおよび／またはｅＮＢなど）は、ＰＣＨ  ＰＤＣＣＨおよび／またはＥＰＤＣＣＨのためのＲＮＴＩ（例えばレガシーＰ−ＲＮＴＩ）、または例えばカバレッジ拡張レベル（例えば特定のＣＥレベル）の、カバレッジが制限されたＷＴＲＵに固有であることができるＲＮＴＩ（例えばＰＣＥ−ＲＮＴＩ）を監視および／または受信することができる。
【０３４７】
Ｐ−ＲＮＴＩまたは別のＲＮＴＩは、例えばカバレッジが制限されること、および／または帯域幅が制限されることができるＷＴＲＵが意図されるＰＣＨの場合、ＰＣＨを運ぶことができるＰＤＳＣＨに関連付けられたＰＤＣＣＨおよび／またはＥＰＤＣＣＨに使用されることができる。
【０３４８】
ＰＣＨを運ぶことができるＰＤＳＣＨに関連付けられたＰＤＣＣＨおよび／またはＥＰＤＣＣＨは、例えばカバレッジが制限されること、および／または帯域幅が制限されることができるＷＴＲＵが意図されることができるＰＣＨの場合、共通検索空間（例えば、ＰＤＣＣＨ共通検索空間および／またはＥＰＤＣＣＨ共通検索空間）内に配置されることができる。
【０３４９】
カバレッジが制限されることができるＷＴＲＵなどのＷＴＲＵは、ＤＲＸサイクル（例えばそのＤＲＸサイクルの最初のサブフレーム）の開始時に、ＰＣＨを運ぶことができるＰＤＳＣＨに関連付けられたＰＤＣＣＨおよび／またはＥＰＤＣＣＨの監視を開始することができる。ＷＴＲＵは、そのＣＥレベル（例えば現在のＣＥレベル）で、Ｐ−ＲＮＴＩまたはＰＣＥ−ＲＮＴＩまたはＰＣＥ−ＲＮＴＩを使用して、ＰＤＣＣＨおよび／またはＥＰＤＣＣＨを監視することができる。
【０３５０】
ｅＮＢは、固定された、知られた、もしくは決定された位置で、かつ／または１もしくは複数の固定された、知られた、もしくは決定されたパラメータ（例えばＭＣＳなどの送信パラメータ）と共にＰＣＨ  ＰＤＳＣＨを送信することができ、それによって、例えば帯域幅が制限されることおよび／またはカバレッジが制限されることができるＷＴＲＵが意図される（または少なくとも意図される）ことができるＰＣＨ  ＰＤＳＣＨに、ＤＣＩ形式が必要とされないこと、または使用されないことができるようにする。固定された、知られた、または決定された位置および／またはパラメータは、ブロードキャスト信号伝達などの信号伝達において、（例えばシステム情報内で）ｅＮＢによって提供されることができる。ＰＣＨ  ＰＤＳＣＨは、ＰＣＨを運ぶことができるＰＤＳＣＨを表すために使用されることができる。
【０３５１】
帯域幅が制限されること、および／またはカバレッジが制限されことができるＷＴＲＵが意図される（または少なくとも意図される）ことができるＰＣＨ  ＰＤＳＣＨの位置および／または１または複数の送信パラメータは、ＷＴＲＵの能力（または、低減能力）の関数であることができる。例えば、ＰＣＨ  ＰＤＳＣＨの位置および／または１または複数のＰＣＨ  ＰＤＳＣＨ送信パラメータは、ＣＥモード、ＣＥレベル、および／またはＢＷ制限のうちの１または複数の関数であることができる。ＷＴＲＵのＣＥモードおよび／またはＣＥレベルおよび／またはＢＷ制限などのＷＴＲＵの能力（または低減能力）は、帯域幅が制限されることおよび／またはカバレッジが制限されることができるＷＴＲＵが意図される（または少なくとも意図される）ことができるＰＣＨ  ＰＤＳＣＨのための、位置（例えばサブフレームおよび／またはＲＢ）および／または１もしくは複数の送信パラメータ（例えばＭＣＳ）を決定する（または、決定するためにＷＴＲＵおよび／もしくはｅＮＢによって使用される）ことができる。ｅＮＢは、決定された位置内のＰＣＨ  ＰＤＳＣＨを送信することができ、かつ／またはＷＴＲＵは、そのＰＣＨ  ＰＤＳＣＨを受信すること、もしくは受信しようと試みることができる。
【０３５２】
例えばＷＴＲＵおよび／またはｅＮＢによる、帯域幅が制限されることおよび／またはカバレッジが制限されることができるＷＴＲＵが意図される（または少なくとも意図される）ことができるＰＣＨ  ＰＤＳＣＨの位置および／または送信パラメータの決定は、少なくとも部分的に、１もしくは複数の能力（または、ＣＥモードもしくはＣＥレベルなどの低減能力）に対する（例えばＰＣＨ  ＰＤＳＣＨの位置および／または送信パラメータの）構成に基づくことができ、その構成は、ブロードキャスト信号伝達などの信号伝達を介してｅＮＢによって提供されることができる。例えばＷＴＲＵおよび／またはｅＮＢによる、帯域幅が制限されることおよび／またはカバレッジが制限されることができるＷＴＲＵが意図される（または少なくとも意図される）ことができるＰＣＨ  ＰＤＳＣＨの位置および／または送信パラメータの決定は、少なくとも部分的に、ＷＴＲＵ  ＩＭＳＩまたはＷＴＲＵ  ＩＤなどのＷＴＲＵパラメータまたは識別子に基づくことができる。
【０３５３】
位置（例えばＰＣＨ  ＰＤＳＣＨの位置）は、時間（例えばサブフレーム、サブフレームのセット、またはサブフレームのパターン）および／または周波数（例えば１または複数のＲＢ）であること、またはそれらを含むことができる。
【０３５４】
ＰＣＨまたはＰＣＨ  ＰＤＳＣＨは、ＰＣＨもしくはＰＣＨ  ＰＤＳＣＨのインスタンスもしくは反復であること、またはそのようなインスタンスもしくは反復を表現することができる。カバレッジが制限されることができるＷＴＲＵなどのＷＴＲＵによって結合されることができるＰＣＨまたはＰＣＨ  ＰＤＳＣＨの反復は、同じ位置内または異なる位置内にあることができ（例えば、各サブフレームは異なることができ、各ＲＢは同じであること、または異なることができる）、かつ／または同じパラメータもしくは異なるパラメータを使用することができる。
【０３５５】
帯域幅が制限されたＷＴＲＵおよび／またはカバレッジが制限されたＷＴＲＵなどのＷＴＲＵは、（例えばｅＮＢからの）ＰＣＨ  ＰＤＳＣＨを監視すること、受信すること、または受信しようと試みることができる。ＷＴＲＵおよび／またはｅＮＢは、例えばＰＣＨ  ＰＤＳＣＨの位置および／またはパラメータと、ＷＴＲＵの能力または低減能力との間の関係または対応の構成に少なくとも部分的に基づいて、ＷＴＲＵが意図される（または少なくとも意図される）ことができるＰＣＨ  ＰＤＳＣＨの位置を決定することができ、その構成は、ブロードキャスト信号伝達などの信号伝達を介してｅＮＢによって提供されることができる。
【０３５６】
１または複数のＰＣＨ（またはＰＣＨ  ＰＤＳＣＨ）トランスポートブロックサイズは、特定のページング数（例えばＷＴＲＵの特定の数）に構成されること、または固定されることができ、かつ対応することができる。例えばページング数（例えば実際のページングの数）が、固定または構成されたトランスポートブロックサイズ（ＴＢＳ）に対応することができるページング数（例えばページングの特定の数）よりも少ない場合、パディングが使用されることができる。ＴＢＳ構成は、ｅＮＢから来ることができるブロードキャスト信号伝達などの信号伝達によるものであることができる。１または複数のＣＥレベルに対して、（例えば固定または構成された）別々のＰＣＨ（またはＰＣＨ  ＰＤＳＣＨ）ＴＢＳの値が存在することができる。カバレッジが制限されたＷＴＲＵおよび／または帯域幅が制限されたＷＴＲＵが（例えば少なくとも）意図されることができるＰＣＨ（またはＰＣＨ  ＰＤＳＣＨ）に対して、１または複数のＰＣＨ（またはＰＣＨ  ＰＤＳＣＨ）ＴＢＳの値が存在することができる。カバレッジが制限されること、および／または帯域幅が制限されることができるＷＴＲＵなどのＷＴＲＵは、固定または構成されたＴＢＳを持つＰＣＨ（またはＰＣＨ  ＰＤＳＣＨ）を受信すること、または受信を予測することができる。ｅＮＢは、固定または構成されたＴＢＳを持つ、カバレッジが制限されること、および／または帯域幅が制限されることができるＷＴＲＵが（例えば少なくとも）意図されることができるＰＣＨ（またはＰＣＨ  ＰＤＳＣＨ）を送信することができる。
【０３５７】
Ｎ個のＣＥレベルが存在することができ、かつＮ個のＣＥレベルごとに、ＰＣＨ  ＰＤＳＣＨリソース（例えば別々のＰＣＨ  ＰＤＳＣＨリソース）が存在することができる。ｅＮＢは、ＷＴＲＵのＣＥモードもしくはＣＥレベルに対応することができる特定の時間リソースおよび／もしくは周波数リソース（例えばサブフレームおよび／またはＲＢ）内で、ＰＣＨ  ＰＤＳＣＨを送信することができ、かつ／またはＷＴＲＵは、そのＰＣＨ  ＰＤＳＣＨを受信すること、もしくは受信を予測することができる。
【０３５８】
ＰＣＨ（またはＰＣＨ  ＰＤＳＣＨ）の１または複数（例えばセット）のトランスポートブロック（ＴＢ）サイズ（例えば可能な、または候補となるＴＢサイズ）は、（例えばｅＮＢによって）固定もしくは構成されること、および／または（例えばＷＴＲＵによって）決定されることができる。ＷＴＲＵは、例えば、ＰＣＨ（またはＰＣＨ  ＰＤＳＣＨ）を監視する、かつ／または受信しようと試みる場合に、（例えばＴＢサイズのセット内の）ＴＢサイズのうちの１または複数を試行して、ＰＣＨ（またはＰＣＨ  ＰＤＳＣＨ）を正常に受信しようと試みることができる。
【０３５９】
ＰＣＨ（またはＰＣＨ  ＰＤＳＣＨ）の候補の１または複数（例えばセット）は、（例えばｅＮＢによって）固定もしくは構成されること、および／または（例えばＷＴＲＵによって）決定されることができる。ＰＣＨ（またはＰＣＨ  ＰＤＳＣＨ）の候補は、時間（例えばサブフレーム）、周波数（例えばＲＢ）、ＴＢサイズ、およびＭＣＳなどの１または複数の送信パラメータを含むことができる１または複数の特性において異なることができる。ＷＴＲＵは、例えば、ＰＣＨ（またはＰＣＨ  ＰＤＳＣＨ）を監視する、かつ／または受信しようと試みる場合に、１または複数のＰＣＨ（またはＰＣＨ  ＰＤＳＣＨ）の候補を試行して、ＰＣＨ（またはＰＣＨ  ＰＤＳＣＨ）を正常に受信しようと試みることができる。
【０３６０】
ＰＣＨ（および／またはＥＰＤＣＣＨ）は、例えばＣＥページングのために、複数回（例えばＭ回）反復されることができる。同じＰＤＣＣＨが（例えばＭ回のうちの１または複数（例えばそれぞれ）の回数）反復されることができ、１または複数（例えばそれぞれ）の反復が、共通検索空間（ＣＳＳ）（例えばＰＤＣＣＨおよび／またはＥＰＤＣＣＨ  ＣＳＳ）などの検索空間内の同じ場所に配置されることができる。
【０３６１】
ＰＤＣＣＨ（および／またはＥＰＤＣＣＨ）の反復の後に続くことができるギャップＧ（例えば０以上）が存在することができる。Ｇは、複数のサブフレーム（もしくはＰＯなどの特定のサブフレーム）および／もしくはフレーム（もしくはＰＦなどの特定のフレーム）であること、またはそのようなサブフレームおよび／もしくはフレームを含むことができる。対応するＰＤＳＣＨ（例えばＰＣＨ  ＰＤＳＣＨ）は、ギャップの後に続くことができ、かつ／またはＰ回反復されることができる。Ｍは、Ｐに等しいこと、または等しくないことができる。Ｍ、Ｇ、およびＰのうちの１または複数は、ＣＥレベル（例えば、ページングされるＷＴＲＵに対して決定されるＣＥレベルまたはワーストケースのＣＥレベル）の関数であることができる。例えばページング（例えばＣＥページング）でＤＣＩ形式が使用されること、または必要とされることがない場合、Ｍおよび／またはＧはゼロであることができる。
【０３６２】
ｅＮＢは、ＰＯおよび／またはＰＦなどの特定のサブフレームおよび／またはフレーム内で、ＰＤＣＣＨ（および／またはＥＰＤＣＣＨ）および／またはＰＤＳＣＨの反復を送信することができる。
【０３６３】
ｅＮＢは、指定または構成されたサブフレームなどの特定のサブフレーム、および／またはＤＬ（例えば任意のＤＬ）サブフレームであることができるサブフレーム、および／または特定の（例えばすべての）特殊なサブフレーム（例えばＴＤＤ用）内で、ＰＤＣＣＨ（および／またはＥＰＤＣＣＨ）および／またはＰＤＳＣＨの反復を送信することができる。
【０３６４】
ＣＥモードのＷＴＲＵなどのＷＴＲＵのページング（例えばＰＣＨ）を運ぶことができる（例えばＰＤＳＣＨのＰ回の反復のセットのうちの）第１のＰＤＳＣＨのサブフレームは、ＰＯおよび／またはＰＦと一致することができ、かつ／またはＰＤＣＣＨのタイミングに関連付けられることができる。
【０３６５】
ＷＴＲＵをページングするために、ｅＮＢは、レガシーＷＴＲＵによって、もしくはレガシーＷＴＲＵに対して、または別のルールもしくは計算に従ってＰＯが決定されることができる方法と同じまたは同様の方法で決定されることができるＷＴＲＵの開始ＰＯに従って、ＰＤＣＣＨ（および／またはＥＰＤＣＣＨ）および／またはＰＤＳＣＨ（例えばＰＣＨ  ＰＤＳＣＨ）の最初の送信（または反復）を送信することができる。
【０３６６】
（例えば特定の）ＰＯ（例えば開始ＰＯ）および／または（例えば特定の）ＰＦ（例えば開始ＰＦ）内にあることができるＰＤＣＣＨ（および／またはＥＰＤＣＣＨ）および／またはＰＤＳＣＨ（例えばＰＣＨ  ＰＤＳＣＨ）の最初の送信の後に、次のＭ回またはＰ回の反復のうちの１または複数（例えばそれぞれ）が、次のＰＯ（例えば、次のＭ、Ｍ−１、Ｐ、またはＰ−１個のＰＯそれぞれ）においてｅＮＢによって送信されることができる。次のＰＯは、前のＰＯと同じＰＦ内または次のＰＦ内にあることができる。
【０３６７】
（例えば特定の）ＰＯ（例えば開始ＰＯ）および／または（例えば特定の）ＰＦ（例えば開始ＰＦ）内にあることができるＰＤＣＣＨ（および／またはＥＰＤＣＣＨ）および／またはＰＤＳＣＨ（例えばＰＣＨ  ＰＤＳＣＨ）の最初の送信の後に、次のＭ回またはＰ回の反復のうちの１または複数（例えばそれぞれ）が、次のＰＦにおいて前の送信と同じＰＯ内でｅＮＢによって送信されることができる。
【０３６８】
（例えば特定の）ＰＯ（例えば開始ＰＯ）および／または（例えば特定の）ＰＦ（例えば開始ＰＦ）内にあることができるＰＤＣＣＨ（および／またはＥＰＤＣＣＨ）および／またはＰＤＳＣＨ（例えばＰＣＨ  ＰＤＳＣＨ）の最初の送信の後に、次のＭ回またはＰ回の反復のうちの１または複数（例えばそれぞれ）が、ＤＬであることができる次のサブフレーム（例えば、次のＭ、Ｍ−１、Ｐ、またはＰ−１個のサブフレームそれぞれ）においてｅＮＢによって送信されることができる。
【０３６９】
（例えば特定の）ＰＯ（例えば開始ＰＯ）および／または（例えば特定の）ＰＦ（例えば開始ＰＦ）内にあることができるＰＤＣＣＨ（および／またはＥＰＤＣＣＨ）および／またはＰＤＳＣＨ（例えばＰＣＨ  ＰＤＳＣＨ）の最初の送信の後に、次のＭ回またはＰ回の反復のうちの１または複数（例えばそれぞれ）が、ＤＬまたは特殊なサブフレームのいずれかであることができる次のサブフレーム（例えば、次のＭ、Ｍ−１、Ｐ、またはＰ−１個のサブフレームそれぞれ）においてｅＮＢによって送信されることができ、この特殊なサブフレームはＴＤＤに（例えばＴＤＤのみに）適用することができる。
【０３７０】
（例えば特定の）ＰＯ（例えば開始ＰＯ）および／または（例えば特定の）ＰＦ（例えば開始ＰＦ）内にあることができるＰＤＣＣＨ（および／またはＥＰＤＣＣＨ）および／またはＰＤＳＣＨ（例えばＰＣＨ  ＰＤＳＣＨ）の最初の送信の後に、次のＭ回またはＰ回の反復のうちの１または複数（例えばそれぞれ）が、この目的のためであることができる次の指定または構成されたサブフレームにおいてｅＮＢによって送信されることができる。サブフレーム構成は、ブロードキャスト信号伝達などの信号伝達を介して、例えばシステム情報内で提供されることができる。システム情報は、１または複数のＳＩＢ内で提供されることができる。
【０３７１】
サブフレームがＤＬサブフレームまたは特殊なサブフレームであるかどうかは、システム情報内（例えばＳＩＢ１内）でセルによってブロードキャストされることができる、セルのセル固有のＴＤＤ  ＵＬ／ＤＬ構成に従って決定されることができる。
【０３７２】
ＣＥページングおよび（例えば少なくとも）非ＣＥページング（例えばレガシーページング）に使用されることができるＰＯおよび／またはＰＦは、同じまたは異なることができる。ＣＥページングに使用されることができるＰＯおよび／またはＰＦは、（例えば少なくとも）非ＣＥ（例えばレガシー）ページングに使用されることができるＰＯおよび／またはＰＦとは別に構成されること、および／または決定されることができる。
【０３７３】
カバレッジが制限されることができるＷＴＲＵなどのＷＴＲＵは、非ＣＥページングを使用してページングを検索することができ、非ＣＥページングが失敗した場合は、ＣＥページングを使用することができる。例えば、ＷＴＲＵは、従来技術の計算に従って決定されることができるＰＯ内でＰ−ＲＮＴＩによってマスクされることができるＰＤＣＣＨを監視することができる。ＷＴＲＵがこの方法で、および／またはＰＯサブフレーム内の対応するＰＤＳＣＨにおいてＰ−ＲＮＴＩを正常に受信した場合、ＷＴＲＵは、ＣＥページングを使用しないことができ、例えばそれは、反復されたＰＤＣＣＨおよび／またはＥＰＤＣＣＨおよび／またはＰＤＳＣＨを監視しないことができる。ＷＴＲＵは、それがＰＯ内で受信することができたＰＣＨがそれを意図されることができるかどうかを決定することができ、意図されることができる場合、それに応じてページングに応答することができる。
【０３７４】
カバレッジが制限されることができるＷＴＲＵなどのＷＴＲＵは、例えばそのページングサイクルに対して、開始サブフレーム、開始ＰＦ、および／または開始ＰＯのうちの１または複数を決定することができる。そのような決定は、ＰＯがレガシーＷＴＲＵによって、もしくはレガシーＷＴＲＵに対して決定されることができる、または新しいルールもしくは計算に従って決定されることができるのと同じまたは同様の方法であることができる。
【０３７５】
ＣＥモードのＷＴＲＵの場合のページングまたはページングサイクルの開始サブフレームまたは開始ＰＯは、チャネルのＭ回の反復のＰＤＣＣＨ（および／またはＥＰＤＣＣＨ）の最初の送信のための、または最初の送信のサブフレームまたはＰＯであることができる。ＣＥモードのＷＴＲＵの場合のページングまたはページングサイクルの開始サブフレームまたは開始ＰＯは、チャネルのＰ回の反復のＰＣＨ  ＰＤＳＣＨの最初の送信のための、または最初の送信のサブフレームまたはＰＯであることができる。
【０３７６】
カバレッジが制限されることができるＷＴＲＵなどのＷＴＲＵは、ＣＥページングを使用してページングを検索することができる。ＰＤＣＣＨ（および／またはＥＰＤＣＣＨ）の開始ＰＯおよびＭ回の反復が存在することができるサブフレームに従って（例えば、ｅＮＢの送信に関して説明されているように）、ＷＴＲＵは、それらのサブフレーム内のＰＤＣＣＨ（および／またはＥＰＤＣＣＨ）を監視することができ、それらのサブフレームまたはそれらのサブフレームのサブセットからの信号を１つのＰＤＣＣＨ（および／またはＥＰＤＣＣＨ）に結合することができ、それは、そのようなＰＤＣＣＨをデコードしようと試みることができ、かつ／またはそれは、そのようなＰＤＣＣＨに関して、それがＰ−ＲＮＴＩまたはＰＣＥ−ＲＮＴＩなどのページングＲＮＴＩを使用してマスクされることができるかどうかを決定することができる。
【０３７７】
ＷＴＲＵが、ＷＴＲＵに関するページングが存在することを決定することができる場合、例えばＰＤＣＣＨ（および／またはＥＰＤＣＣＨ）がページングＲＮＴＩ（例えばＰ−ＲＮＴＩまたはＰＣＥ−ＲＮＴＩ）を使用してマスクされていた、またはマスクされていることがＷＴＲＵによって決定された場合、ＷＴＲＵは対応するＰＤＳＣＨのＰ回の反復の受信を開始することができる。
【０３７８】
ＷＴＲＵは、Ｍ回の反復の最後からＰ回の反復の最初まで、サブフレームおよび／またはフレームの特定の数をスキップすることができ、その数はＧに従うことができる。
【０３７９】
ＷＴＲＵは、ＰＣＨ  ＰＤＳＣＨを受信するために、ＰＤＣＣＨおよび／またはＥＰＤＣＣＨを監視しないことができる。ＰＣＨ  ＰＤＳＣＨの開始ＰＯおよびＰ回の反復が存在することができるサブフレームに従って（例えば、ｅＮＢの送信に関して説明されているように）、ＷＴＲＵは、それらのサブフレーム内のＰＤＳＣＨ（例えばＰＣＨ  ＰＤＳＣＨ）を監視することができ、それらのサブフレームからまたはそれらのサブフレームのサブセットからの信号を１つのＰＤＳＣＨに結合することができ、それは、そのＰＤＳＣＨをデコードおよび／または受信しようと試みることができる。ＷＴＲＵは、知られた、もしくは決定された位置内で、かつ／または、ＰＣＨ  ＰＤＳＣＨの１または複数の知られたかつ／もしくは決定されたパラメータを使用して、ＰＣＨ  ＰＤＳＣＨを監視することができる。ＷＴＲＵは、１または複数のＰＣＨ  ＰＤＳＣＨの候補を監視することができる。
【０３８０】
ＷＴＲＵはＰＤＳＣＨまたはＰＤＳＣＨの候補のＰ回の反復またはＰ回の反復のサブセットを受信することができ、それら（または、反復の１もしくは複数（例えばそれぞれ）のセット）を１つのＰＤＳＣＨに結合することができ、それは、そのＰＤＳＣＨからＰＣＨを（例えば正常に）受信および／またはデコードしようと試みることができる。ＷＴＲＵがＰＣＨを（例えば正常に）受信および／またはデコードすることができる場合、ＷＴＲＵは、ＰＣＨがＷＴＲＵを意図されていたかどうかを決定することができ、意図されていた場合、ＷＴＲＵはページングに応答することができる。
【０３８１】
Ｍ、Ｇ、およびＰのうちの１または複数は、ＣＥレベル（例えばＷＴＲＵのＣＥレベルまたはワーストケースのＣＥレベル）の関数であることができる。
【０３８２】
ワーストケースのＣＥレベルは、セルまたはｅＮＢによってサポートされる最低または最高のＣＥレベル（例えば、最高の反復の数を伴うＣＥレベル）であることができ、そのＣＥレベルは、セル固有の信号伝達（例えば、物理ブロードキャストチャネル（例えばＭＩＢ）または上位層によって信号伝達されるシステム情報（例えばＳＩＢ）などを介するブロードキャスト信号伝達）において示されることができる。
【０３８３】
Ｇおよび／またはＰは、ＰＤＣＣＨ（および／またはＥＰＤＣＣＨ）内で示されることができ、そのＰＤＣＣＨは、Ｐ−ＲＮＴＩまたはＰＣＥ−ＲＮＴＩなどのページングＲＮＴＩによってマスクされることができる。Ｇおよび／またはＰは、ＰＤＣＣＨ（および／またはＥＰＤＣＣＨ）内で示されることができ、そのＰＤＣＣＨは、Ｐ回反復されることができるページングＰＤＳＣＨに対応することができる。
【０３８４】
反復および／またはギャップのサブフレームは、連続するサブフレームではないことができる。反復および／またはギャップのサブフレームは、ＰＯサブフレームまたはその他の特定のもしくは指定されたサブフレームであることができる。ＰＯサブフレームは、任意のＷＴＲＵまたは特定のＷＴＲＵ（ページングが意図されることができるＷＴＲＵなど）などのＷＴＲＵのＰＯサブフレームであることができる。
【０３８５】
例えば、ＣＥモードのＷＴＲＵ（および／またはＣＥページングのためのｅＮＢ）によって使用されることができる反復されるＰＤＣＣＨ（および／またはＥＰＤＣＣＨ）および／またはＰＤＳＣＨは、可能なページング機会（ＰＯ）であることができるサブフレーム内で発生することができる。ＦＤＤの場合、ＰＯサブフレームは、例えばサブフレーム０、４、５、および９などの特定のサブフレームであることができる。（例えばｅＮＢによる）構成に応じて、ＰＯのサブフレームのサブセットは、例えば［９］、［４，９］、［０，４，５，９］などの特定のサブセットであることができる。ＴＤＤの場合、ＰＯサブフレームは、例えばサブフレーム０、１、５、および６などの特定のサブフレームであることができる。（例えばｅＮＢによる）構成に応じて、ＰＯのサブフレームのサブセットは、例えば［０］、［０，５］、［０，１，５，９］などの特定のサブセットであることができる。
【０３８６】
ＰＯまたは開始ＰＯの開始サブフレームは、ＰＦ内にあることができる。ページングのためのＥＰＤＣＣＨおよび／またはＰＤＳＣＨの１または複数の反復は、ＰＦ内にないことができる。ページングに使用されることができるＰＤＣＣＨ、ＥＰＤＣＣＨ、および／またはＰＤＳＣＨのうちの１または複数は、ページングに使用されることができるサブフレームとして構成によって識別されることができるサブフレーム内で送信および／または受信されることができる。この構成は、ブロードキャスト信号伝達などの信号伝達を介して、例えばシステム情報内で提供されることができる。システム情報が、例えば１または複数のシステム情報ブロック（ＳＩＢ）内で提供されることができる。
【０３８７】
ダウンリンク（ＤＬ）制御チャネルが、ページングに使用されることができる。例えば、（Ｅ）ＰＤＣＣＨ共通検索空間（ＣＳＳ）が、１または複数の（Ｅ）ＰＤＣＣＨの候補を含むことができ、ページング用に構成されることができる。帯域幅が制限されることおよび／またはカバレッジが制限されることができるＷＴＲＵなどのＷＴＲＵは、（Ｅ）ＰＤＣＣＨ  ＣＳＳ内の１または複数の（Ｅ）ＰＤＣＣＨの候補をデコードおよび／または監視し、Ｐ−ＲＮＴＩまたはＰＣＥ−ＲＮＴＩなどのページングＲＮＴＩによってマスクされることができるＤＣＩを受信することができる。１または複数の（Ｅ）ＰＤＣＣＨの候補は、（Ｅ）ＰＤＣＣＨの候補を監視すること、または（Ｅ）ＰＤＣＣＨの候補の監視もしくは受信を必要とすることができるＷＴＲＵに知られた時間位置および／もしくは周波数位置内で送信されることができる。ＣＳＳは、検索空間の非限定的な例として使用されることができる。（Ｅ）ＰＤＣＣＨ  ＣＳＳおよび／もしくは（Ｅ）ＰＤＣＣＨの候補の時間位置および／もしくは周波数位置、ならびに／または（Ｅ）ＰＤＣＣＨ  ＣＳＳおよび／もしくは（Ｅ）ＰＤＣＣＨの候補の監視および／もしくはデコードを有効にすることができる１または複数のパラメータが、ＷＴＲＵによって受信および／または使用されることができるブロードキャスト信号伝達などの信号伝達を介して提供または構成されることができる。別の検索空間が使用されることができ、開示された主題に一致することができる。
【０３８８】
（Ｅ）ＰＤＣＣＨの候補、（Ｅ）ＰＤＣＣＨリソース、および（Ｅ）ＰＤＣＣＨ  ＰＲＢなどの候補、リソース、およびＰＲＢは、互いに交換可能なように使用されること、または置き換えられることができ、その場合でも、本開示に一致することができる。ＰＲＢおよびＲＢは、交換可能なように使用されることができる。
【０３８９】
（Ｅ）ＰＤＣＣＨという用語は、ＥＰＤＣＣＨおよび／またはＰＤＣＣＨを表すことができる。（Ｅ）ＣＣＥという用語は、制御チャネル要素（ＣＣＥ）および／または拡張制御チャネル要素（ＥＣＣＥ）を表すことができる。
【０３９０】
（Ｅ）ＰＤＣＣＨ候補は、（Ｅ）ＣＣＥ集約レベルおよび反復の数の組み合わせであること、組み合わせを持つこと、および／または含むことができる。例えば、（Ｅ）ＰＤＣＣＨの候補は、（Ｅ）ＣＣＥ集約レベルＮALおよび反復の数ＮREPを含むことができる。合計集約レベル（ＴＡＬ）は、（Ｅ）ＰＤＣＣＨの候補に属することができる（Ｅ）ＣＣＥの合計数に対応することができる。合計集約レベルＮTALの（Ｅ）ＣＣＥの数は、ＮALおよびＮREPの関数として決定されることができる。例えば、ＮTALはＮALとＮREPの積であることができる。
【０３９１】
大きい合計集約レベル（ＮTAL）を持つことができる（Ｅ）ＰＤＣＣＨの候補は、小さい合計集約レベルを持つことができる（Ｅ）ＰＤＣＣＨの候補よりも高いＣＥレベルをサポートすることができる。高いＣＥレベルは、低いＣＥレベルよりも多くの、または優れたカバレッジ拡張を提供することができる。例えば、高いＣＥレベルは、低いＣＥレベルよりも優れた信号強度をレシーバで提供することができる。
【０３９２】
２つ以上の（Ｅ）ＰＤＣＣＨの候補が、例えば２つ以上のＣＥレベルをサポートするために、異なる合計集約レベルを使用して構成されることができる。ＷＴＲＵは、構成されることができる（Ｅ）ＰＤＣＣＨの候補のサブセットを、監視および／またはデコードすることができる。このサブセットは、構成されることができる１または複数（例えばすべて）の（Ｅ）ＰＤＣＣＨの候補を含むことができる。ＷＴＲＵは、（Ｅ）ＰＤＣＣＨの候補を監視および／またはデコードし、ページングＲＮＴＩなどのＲＮＴＩを使用してマスクされることができるＤＣＩを受信することができる。
【０３９３】
ＷＴＲＵは、ＷＴＲＵのために、またはＷＴＲＵによって使用、構成および／または決定されるＣＥレベルに関わらず、構成されることができる１または複数（例えばすべて）の（Ｅ）ＰＤＣＣＨの候補を監視および／またはデコードすることができる。
【０３９４】
（Ｅ）ＰＤＣＣＨの候補を監視する場合、ＷＴＲＵは、第１の（例えば最小の）合計集約レベルを持つ（Ｅ）ＰＤＣＣＨの候補から開始することができる。ＷＴＲＵは、第１の合計集約レベル内でページングＲＮＴＩを使用してマスクされることができるＤＣＩをＷＴＲＵが受信しない場合に、第２の（例えばより大きい）合計集約レベルを持つ（Ｅ）ＰＤＣＣＨの候補に移動することができる。ＷＴＲＵは、合計集約レベル（例えば特定の合計集約レベル）内でページングＲＮＴＩを使用してマスクされることができるＤＣＩをＷＴＲＵが受信しない場合、最大合計集約レベルに達するまで、別の（例えばより大きい）合計集約レベルに移動すること、または移動し続けることができる。ＷＴＲＵは、合計集約レベル（例えば特定の合計集約レベル）内でページングＲＮＴＩを使用してマスクされることができるＤＣＩをＷＴＲＵが受信した場合、（Ｅ）ＰＤＣＣＨの候補の監視を停止することができ、次の、または別の合計集約レベルに移動しないことができる。
【０３９５】
ＷＴＲＵは、ＷＴＲＵのために、またはＷＴＲＵによって使用、構成、および／または決定されるＣＥレベルに基づいて構成される（Ｅ）ＰＤＣＣＨの候補のサブセットを監視することができる。（Ｅ）ＰＤＣＣＨの候補の特定のサブセットに関連付けられることができるページングＲＮＴＩは、ＣＥレベルに基づいて決定されることができる。ＷＴＲＵは、（Ｅ）ＰＤＣＣＨの候補のサブセット内の１または複数の（Ｅ）ＰＤＣＣＨの候補を監視および／またはデコードして、ＷＴＲＵのために、またはＷＴＲＵによって使用、構成、および／または決定されるＣＥレベルに関連付けられたページングＲＮＴＩを使用してマスクされることができるＤＣＩを受信することができる。
【０３９６】
ＷＴＲＵは、（Ｅ）ＰＤＣＣＨの候補を監視および／またはデコードするために、第１のＣＥレベルまたは反復の数を決定および／または使用して、例えば、ページングＤＣＩであることができるＤＣＩ、またはページングＲＮＴＩによってマスクされることができるＤＣＩを受信することができる。ＷＴＲＵは、ページングチャネルまたはページングメッセージまたはページング情報を運ぶことができるＰＤＳＣＨの受信のために、第２のＣＥレベルまたは反復の数を決定および／または使用することができる。ＣＥレベルは、例えばブロードキャスト信号伝達を介するなどのｅＮＢからの信号伝達を介して、反復の数に関連付けられること、または反復の数に対応するように構成されることができる。ＣＥレベルおよび反復の数は、交換可能なように使用されることができる。第１および第２のＣＥレベルは、同じであること、または異なることができる。第１および／または第２のＣＥレベルは、ＷＴＲＵによって決定されることができる。
【０３９７】
ＷＴＲＵはＣＥレベル（例えば第１および／または第２のＣＥレベル）を決定することができ、このＣＥレベルは、例えばページング受信の１または複数の態様に関して、ＷＴＲＵのために、またはＷＴＲＵによって使用または構成されることができる。例えば、ＷＴＲＵは、ＷＴＲＵによって使用される、またはＷＴＲＵに知られている最後または最新のＣＥレベルに基づいて、ならびに／または１もしくは複数の知られている、測定される、かつ／もしくは信号伝達される値もしくは情報に基づいて、（例えばページング受信の１または複数の態様に関して）１または複数のＣＥレベルを決定することができる。決定されたＣＥレベルは、ページング（例えばページング受信の１または複数の態様）に固有であることができ、または、ページング（もしくはページング受信）ではなく、もしくはページング（もしくはページング受信）に加えて、その他の手順または目的に適用可能であることができる。ページング受信の態様は、１または複数の（Ｅ）ＰＤＣＣＨの候補の監視および／もしくはデコーディング、ページングＤＣＩの受信、ならびに／またはページングチャネルもしくはページングメッセージもしくはページング情報を運ぶＰＤＳＣＨの受信のうちの１または複数を含むことができるが、これらに限定されない。
【０３９８】
（例えば、ページング受信の少なくとも１または複数の態様に関して）ＷＴＲＵによって決定および／または使用されることができるＣＥレベルは、ＷＴＲＵのためのＭＭＥに格納された最後のＣＥレベルであること、またはそのようなＣＥレベルに基づくことができる。ＷＴＲＵのＣＥレベルは、ＷＴＲＵのサービングｅＮＢなどのｅＮＢからＭＭＥに信号伝達されることができる。ＷＴＲＵによって決定および／または使用されることができるＣＥレベルは、ページングＲＮＴＩ、システム情報のＲＮＴＩ、および／またはＲＡ−ＲＮＴＩなどのうちの１または複数を使用してマスクされることができるＤＣＩの正常な受信に（例えばＷＴＲＵによって）使用された最後のＣＥレベルであること（または、そのようなＣＥレベルに基づくこと）ができる。ＷＴＲＵによって決定および／または使用されることができるＣＥレベルは、ブロードキャスト情報（例えばＳＩＢ）を運ぶＰＤＳＣＨ、ページングチャネルもしくはページングメッセージもしくはページング情報を運ぶＰＤＳＣＨ、ＲＡＲを運ぶＰＤＳＣＨ、ならびに／またはＰＢＣＨなどの（例えばそのサービングセル、またはそれがキャンプされているセルからの）ＤＬチャネルの正常な受信に（例えばＷＴＲＵによって）使用された最後のＣＥレベルであること（または、そのようなＣＥレベルに基づくこと）ができる。
【０３９９】
（例えば、ページング受信の少なくとも１または複数の態様に関して）ＷＴＲＵによって決定および／または使用されることができるＣＥレベルは、例えばＷＴＲＵによって行われたダウンリンク測定（例えばＲＳＲＰおよび／またはＲＳＲＱ）に関連付けられたＣＥレベルであること（またはそのようなＣＥレベルに基づくこと）ができる。ダウンリンク測定は、現在または最新のダウンリンク測定であること、またはそのようなダウンリンク測定に対応することができる。測定は、フィルタ処理された測定であることができる。
【０４００】
（例えば、ページング受信の少なくとも１または複数の態様に関して）ＷＴＲＵによって決定および／または使用されることができるＣＥレベルは、ブロードキャスト信号伝達および／またはブロードキャストチャネル（例えばＳＩＢ、ＭＴＣ−ＳＩＢ、ＬＣ−ＳＩＢ、ＭＩＢ、および／またはＰＢＣＨ）から示されることができるＣＥレベルであること（またはそのようなＣＥレベルに基づくこと）ができる。例えば、ＷＴＲＵによって決定および／または使用されることができるＣＥレベルは、例えばブロードキャスト信号伝達および／またはブロードキャストチャネル（例えばＳＩＢ、ＭＴＣ−ＳＩＢ、ＬＣ−ＳＩＢ、ＭＩＢ、および／またはＰＢＣＨ）から示されることができるページングＣＥレベル（例えばページングのためのＣＥレベル）であること（またはそのようなページングＣＥレベルに基づくこと）ができる。ブロードキャストＣＥレベルは、（例えばページングのために）一部または全部のＷＴＲＵに使用されること、および／またはそのようなＷＴＲＵによって使用されることができる。例えば、ブロードキャストＣＥレベルは、ＣＥモードにある１もしくは複数（例えばすべて）のＷＴＲＵ、ＣＥモードをサポートする１もしくは複数（例えばすべて）のＷＴＲＵ、特定のＷＴＲＵタイプもしくはカテゴリー（例えば低コストＷＴＲＵ）の１もしくは複数（例えばすべて）のＷＴＲＵ、および／または特定の能力もしくは低減能力を持つ１もしくは複数（例えばすべて）のＷＴＲＵ（例えば低減帯域幅ＷＴＲＵ）のうちの１または複数に（例えばページングのために）使用されること、および／またはそのようなＷＴＲＵによって使用されることができる。
【０４０１】
（例えば、ページング受信の少なくとも１または複数の態様に関して）ＷＴＲＵによって決定および／または使用されることができるＣＥレベルは、そこからＷＴＲＵがページングを受信することができるセル（例えば、ＷＴＲＵがアイドルモードでキャンプされることができるセル）によってサポートされる最大ＣＥレベルであること（またはそのような最大ＣＥレベルに基づくこと）ができる。セルによってサポートされる最大ＣＥレベルは、ブロードキャスト信号伝達（例えばＳＩＢ、ＭＩＢ、および／またはＰＢＣＨ）などの信号伝達において提供されることができる。ＷＴＲＵは、信号伝達を受信および／または使用して、ページングのための最大ＣＥレベルおよび／またはＣＥレベルを決定することができる。
【０４０２】
ＷＴＲＵは、決定されたＣＥレベルを使用して、集約レベルの数および／または反復の数を決定することができ、その決定を、ＷＴＲＵが監視および／またはデコードしてページングＤＣＩを受信することができる１または複数の（Ｅ）ＰＤＣＣＨの候補に使用することができる。ＷＴＲＵは、例えばページングＤＣＩを受信するために、決定された集約レベルの数、および／または反復の数に従って１または複数の（Ｅ）ＰＤＣＣＨの候補を監視および／またはデコードすることができる。
【０４０３】
１または複数の（Ｅ）ＰＤＣＣＨの候補が、合計集約レベル（例えば同じ合計集約レベル）を使用して構成されることができる。合計集約レベルは、ページングのためにセル内でサポートされている最大ＣＥレベルなどの、セル内でサポートされているＣＥレベル（例えば最大ＣＥレベル）に対応することができる。
【０４０４】
（Ｅ）ＰＤＣＣＨの候補の時間位置および／または周波数位置は、拡張カバレッジモードをサポートすることができるＷＴＲＵ、および／または拡張カバレッジモードであることができるＷＴＲＵなどのＷＴＲＵに知られることができる。例えば、（Ｅ）ＰＤＣＣＨの候補の構成は、ブロードキャスト信号伝達および／またはブロードキャストチャネル（例えばＭＩＢおよび／またはＭＴＣ−ＳＩＢ）から信号伝達されることができる。
【０４０５】
拡張カバレッジおよびカバレッジ拡張は、交換可能なように使用されることができる。拡張カバレッジモードおよびカバレッジ拡張モードは、交換可能なように使用されることができる。拡張カバレッジレベルおよびカバレッジ拡張レベルモードは、交換可能なように使用されることができる。
【０４０６】
Ｍ回の反復を伴う（Ｅ）ＰＤＣＣＨの候補の場合、（Ｅ）ＰＤＣＣＨの候補は、Ｍ個のサブフレーム内で送信および／または受信されることができる。Ｍ個のサブフレームは、Ｍ個の連続するサブフレームまたはＭ個の連続するＤＬサブフレームであることができる。Ｍ個のサブフレームは、ページングに使用されることができるサブフレームのセット内のＭ個の連続するサブフレームであることができる。ページングに使用されることができるサブフレームは、（例えば、ＳＩＢを介するなどのブロードキャスト信号伝達を介して）信号伝達されること、または知られることができる。ＷＴＲＵの場合、Ｍ個のサブフレームの１番目は、ＷＴＲＵ−ＩＤの関数であることができるＷＴＲＵのページング機会に対応することができる。ＷＴＲＵは、Ｍ回の反復を結合して、（Ｅ）ＰＤＣＣＨの候補をデコードすることができる。ＷＴＲＵは、Ｍ回の反復のサブセット（例えばＭ回の反復のうちのＳ回の反復または最初のＳ個）を結合して、（Ｅ）ＰＤＣＣＨの候補をデコードすることができる。ＷＴＲＵは、（Ｅ）ＰＤＣＣＨの候補を正常にデコードするまで、またはＭ回の反復をすべて結合するまで、反復を結合することができる。ＷＴＲＵがＭ回の反復をすべて結合し、（例えばページングのために）ＤＣＩを正常に受信しなかった場合、ＷＴＲＵは、ページングまたはＷＴＲＵのための（例えば現在のページングサイクルのための）ページングが存在しないことを決定することができる。ＷＴＲＵがＤＣＩを正常に受信した場合、ＷＴＲＵは、ページングメッセージを運ぶことができる対応するＰＤＳＣＨを受信すること、または受信しようと試みることができる。ＰＤＳＣＨの受信は、ＰＤＳＣＨを受信すること、および／またはＰＤＳＣＨの受信を結合することを含むことができる。
【０４０７】
ページングのための（Ｅ）ＰＤＣＣＨの候補の周波数位置は、ＷＴＲＵ−ＩＤ（例えばＩＭＳＩ）および／または物理セルＩＤ（ＰＣＩ）のうちの１または複数の関数として決定されることができる。
【０４０８】
ページングのための（Ｅ）ＰＤＣＣＨの候補の周波数位置は、ＬＣ−ＭＴＣおよび／または拡張カバレッジに対して構成されることができる１または複数のダウンリンクサブバンドの構成の関数として決定されることができる。サブバンドは、システム帯域幅内に配置された連続するＰＲＢ（例えば６つの連続するＰＲＢ）のセットに対応することができる。複数のサブバンドが構成される場合、サブバンドは部分的または完全に重ね合わせられることができる。サブバンドは、周波数領域内で相互に直交することができる。１または複数のサブバンドは、ページングのために（Ｅ）ＰＤＣＣＨの候補に使用されることができる。ＷＴＲＵに使用されることができる、またはＷＴＲＵによって使用されることができるサブバンドは、ＷＴＲＵ−ＩＤ、ＰＣＩ、および／またはＤＬシステム帯域幅のうちの１または複数の関数であることができる。
【０４０９】
ページングのための例えば（Ｅ）ＰＤＣＣＨの候補および／またはＰＤＳＣＨのサブバンド構成は、ブロードキャスト信号伝達などの信号伝達において、（例えばセルまたはｅＮＢによって）例えばシステム情報内で（例えば１または複数のＳＩＢ内で）提供されることができる。
【０４１０】
ＷＴＲＵは、ページングのために（Ｅ）ＰＤＣＣＨの候補および／またはＰＤＳＣＨに使用するためのサブバンドを、提供されたサブバンド構成、構成されたサブバンドの数、ページングサイクル、ＰＦ、ＰＯ、ＳＦＮ、ＰＣＩ、ＤＬシステム帯域幅、および／またはＷＴＲＵ−ＩＤのうちの１または複数から決定することができる。ＷＴＲＵは、ＰＯ、ＰＯの開始サブフレーム、ならびに／またはＰＯの（Ｅ）ＰＤＣＣＨの候補および／もしくはＰＤＳＣＨの反復に対応するサブフレームに使用するためのサブバンドを決定することができる。ページングのための（Ｅ）ＰＤＣＣＨの候補の周波数位置は、事前に定義されること、または知られることができる。１または複数のダウンリンクサブバンドが構成されている場合、特定のサブバンドインデックス（例えば最初のサブバンド）が、ページングのために（Ｅ）ＰＤＣＣＨの候補に使用されることができる。ページングサブバンドのための開始ＰＲＢインデックスは、ダウンリンクシステム帯域幅、サブフレーム番号、フレーム番号、物理セルＩＤ、および／またはＷＴＲＵ−ＩＤのうちの１または複数の関数として定義または決定されることができる。ＷＴＲＵ−ＩＤはＷＴＲＵ  ＩＭＳＩであることができる。
【０４１１】
説明の目的で、ページングチャネル、ページングメッセージ、およびページング情報という用語は、交換可能なように使用されることができる。
【０４１２】
ＰＤＳＣＨは、ページングメッセージを運ぶことができる。拡張カバレッジモードをサポートするＷＴＲＵまたは拡張カバレッジモードであることができるＷＴＲＵのためのページングメッセージを運ぶＰＤＳＣＨ（例えばＰＣＨ）は、関連する（Ｅ）ＰＤＣＣＨからスケジュールされることができる。ＷＴＲＵは、関連する（Ｅ）ＰＤＣＣＨからのページングＲＮＴＩを使用してマスクされることができるＤＣＩを監視またはデコードすることができる。ページングメッセージは、１つのＷＴＲＵまたは複数のＷＴＲＵが意図されることができる。ページングメッセージは、システム情報変更指示を含むことができる。ＤＣＩは、システム情報変更指示を含むことができる。例えば、ＤＣＩ内のビットまたはビットフィールドは、システム情報が変更されているか、または（例えば次のシステム情報変更期間の開始時に）変更される予定であるかどうかを示すことができる。ビットまたはビットフィールドは、「はい」もしくは「いいえ」の指示、または「真」もしくは「偽」の指示であること、またはそのような指示を含むことができる。ビットフィールドは、値タグ（例えばｓｙｓｔｅｍＩｎｆｏＶａｌｕｅＴａｇ）であること、または値タグに使用されることができる。
【０４１３】
ＤＣＩは、次の情報のうちの１または複数を運ぶことができる。ＤＣＩは、ＰＤＳＣＨの周波数位置（例えばサブバンドインデックスまたは開始ＰＲＢ）を運ぶことができる。ＤＣＩは、ＰＤＳＣＨの時間位置（例えば開始サブフレーム位置）を運ぶことができる。ＤＣＩは、ＴＢＳまたはＴＢＳの候補を運ぶことができる。ＤＣＩは、変調指令を運ぶことができる。ＤＣＩは、関連するＰＤＳＣＨの反復数（例えばＰ）を運ぶことができる。
【０４１４】
ＷＴＲＵがページングＲＮＴＩを使用してマスクされることができるＤＣＩを受信した場合、ＷＴＲＵは、ＰＤＳＣＨをデコードおよび／または受信することができる。ページングＲＮＴＩは、ＷＴＲＵを意図されることができる。ページングＲＮＴＩは、それが特定の種類のＷＴＲＵを意図され、ＷＴＲＵがその種類である場合、そのＷＴＲＵを意図されることができる。例えば、ページングＲＮＴＩは、カバレッジ拡張モードをサポートしている、またはカバレッジ拡張モードであるＷＴＲＵを意図されることができる。
【０４１５】
例えば特定の種類のＷＴＲＵのためのページングＲＮＴＩは、ページングサイクル、ＰＦ、ＰＯ、ＰＦごとのＰＯの数、ＳＦＮ、ＷＴＲＵ−ＩＤ、および／またはページングのために（Ｅ）ＰＤＣＣＨの候補に使用されることができる反復の数のうちの１または複数の関数であることができる。これにより、第２のＰＯ内で開始するＤＣＩを検索していることがあるＷＴＲＵを混乱させることなく、第１のＰＯのサブフレーム内で開始するＤＣＩの反復が（例えば同じフレーム内の）第２のＰＯのサブフレーム内で反復されることができるようになる。
【０４１６】
ＰＤＳＣＨは、複数のサブフレーム（例えばＰ個のサブフレーム）をまたがって反復的に送信されることができる。Ｐ個のサブフレームは、ページング送信に使用されるサブフレーム内で継続的または連続的であることができる。Ｐ個のサブフレームは、ページング送信に使用されるサブフレーム内で不連続的であることができる。
【０４１７】
１または複数のＰの値が、１または複数のＣＥレベルをサポートするために使用されることができる。例えば、Ｐ＝｛Ｎ１，Ｎ２，Ｎ３｝が使用されることができ、ここでＰの値は正の整数であり、かつＮ１＜Ｎ２＜Ｎ３である。ＣＥレベルに従って、異なるＰの値が使用されることができる。Ｐの値は、例えばセルによってサポートされるＣＥレベルごとに、事前に定義されることができる。例えばセルによってサポートされるＣＥレベルごとのＰの値は、ブロードキャストチャネル（例えばＳＩＢ）から示されることができる。ページングメッセージを運ぶＰＤＳＣＨの送信に使用されることができるＣＥレベルまたはＰの値は、関連する（Ｅ）ＰＤＣＣＨから（または関連する（Ｅ）ＰＤＣＣＨによって）（例えばＤＣＩ内で）示されることができる。Ｐの３つの値が、例示の目的で使用される。別の値が使用されることができ、その場合でも、本開示に一致することができる。
【０４１８】
例えばページングサイクル内の、またはＰＯに対応する、ページングメッセージを運ぶＰＤＳＣＨの開始サブフレームは、Ｐの値に関わらず同じであることができる。例えば、Ｐ＝Ｎ１であるＰＤＳＣＨおよびＰ＝Ｎ２であるＰＤＳＣＨは、同じ開始サブフレームを持つことができる。終了サブフレームは異なることができる。
【０４１９】
ＷＴＲＵは、最小のＰの値（例えばＮ１）を持つＰＤＳＣＨの受信を開始することができ、ＷＴＲＵがページングメッセージを運ぶＰＤＳＣＨの受信に失敗した場合、最大のＰの値（例えばＮ３）に達することができるまで、次のレベル（例えば次に高いＰの値、Ｎ２）に移動することができる。ＷＴＲＵは、あるレベルのＰ回の反復（例えば、Ｎ１、Ｎ２、またはＮ３）をすべて結合する前に、ＰＤＳＣＨの受信に成功した場合、反復の結合を停止することができる。
【０４２０】
ＷＴＲＵは、関連する（Ｅ）ＰＤＣＣＨから示された対応するＰの値と共にＰＤＳＣＨを受信することができる。ＷＴＲＵは、関連する（Ｅ）ＰＤＣＣＨから示されたＰの値までの反復を結合することによって、ＰＤＳＣＨを受信することができる。ＷＴＲＵは、Ｐ回の反復をすべて結合する前に、ＰＤＳＣＨの受信に成功した場合、反復の結合を停止することができる。ＷＴＲＵは、現在のＣＥレベルに関連付けられたＰの値と共にＰＤＳＣＨを受信することができ、現在のＣＥレベルは、ダウンリンク測定に基づいて決定されることができる。
【０４２１】
各Ｐの値は、特定の（例えば別の、一意の、または異なる）ページングＲＮＴＩに関連付けられることができる。ＷＴＲＵが特定のページングＲＮＴＩを使用してマスクされることができるＤＣＩを受信した場合、ＷＴＲＵは、Ｐの値をページングＲＮＴＩから暗黙的に決定することができる。例えば、第１のＰ−ＲＮＴＩは第１のＰの値（例えばＮ１）に関連付けられることができ、第２のＰ−ＲＮＴＩは第２のＰの値（例えばＮ２）に関連付けられることができる、などのようになる。例えばＰＯ内のページングまたはそのＰＯをチェックする場合、ＷＴＲＵは、１または複数のＰ−ＲＮＴＩを使用してスクランブルされたＣＲＣをチェックすることができる。そのようなＣＲＣが検出された場合、ＷＴＲＵはそのＰ−ＲＮＴＩを使用して、ＰＤＳＣＨと共に送信されることができるＰの値を決定することができる。Ｐ−ＲＮＴＩとＣＥレベルの間に、関連性が存在することができる。ＣＥレベルは、Ｐの値に関連付けられることができる。１または複数の関連性が、ブロードキャスト信号伝達などの信号伝達において、事前に定義される、知られる、または提供されることができる。ページングのためのＣＥレベルごとのページングＲＮＴＩは、ｅＮＢまたはセルによってサポートされるＣＥレベルの数（または最大ＣＥレベル）の関数であることができる。ＷＴＲＵは、ＣＥレベルごとのページングＲＮＴＩを、ＭＩＢ（例えばＰＢＣＨ）またはＳＩＢなどにおいてブロードキャスト信号伝達を介して提供されることができる、ｅＮＢまたはセルによってサポートされるＣＥレベルの数（または最大ＣＥレベル）に基づいて決定することができる。
【０４２２】
ページングメッセージを運ぶＰＤＳＣＨの開始サブフレームは、（例えば、ＰＤＳＣＨがＰ個のサブフレームにわたって反復的に送信される場合）関連する（Ｅ）ＰＤＣＣＨの最後のサブフレームの関数として決定されることができる。例えば、関連する（Ｅ）ＰＤＣＣＨの最後のサブフレームがサブフレームｎである場合、開始サブフレームはサブフレームｎ＋ｋであることができ、ここで、ｋは例えばギャップの値Ｇであることができる。サブフレームｎは、特定の（Ｅ）ＰＤＣＣＨの候補の最後のサブフレームであることができる。２つ以上の（Ｅ）ＰＤＣＣＨの候補で異なる反復の数が使用される場合、サブフレームｎは、（Ｅ）ＰＤＣＣＨの候補によって異なることができる。サブフレームｎは、最大の反復の数を持つことができる（Ｅ）ＰＤＣＣＨの候補の最後のサブフレームであることができる。ｎの値は、ＷＴＲＵが、ページングＲＮＴＩを使用してマスクされることができるＤＣＩ、またはＰＤＳＣＨのスケジューリング情報を運ぶことができるＤＣＩを受信することができる（Ｅ）ＰＤＣＣＨの候補に関わらず、同じであることができる。ｋの値は、（Ｅ）ＰＤＣＣＨの候補および／または（Ｅ）ＰＤＣＣＨの候補の反復の数に基づいて決定されることができる。
【０４２３】
ＣＥモードであることができるＷＴＲＵが意図されることができるＰ−ＲＮＴＩを使用してマスクされた、またはスクランブルされたＤＣＩを運ぶ（Ｅ）ＰＤＣＣＨは、Ｍ回の反復を伴って送信されることができる。Ｍの値は、ＷＴＲＵのＣＥレベルとは無関係であることができる。ＷＴＲＵは、Ｐ−ＲＮＴＩを使用してスクランブルされたＤＣＩを（例えばそのＰＯで開始して）受信しようと試みるために、ＥＰＤＣＣＨの１または複数の反復を、最大Ｍ回の反復まで結合することができる。ＤＣＩは、反復の数（Ｐ）を暗黙的または明示的に識別することができ、この反復の数と共に、ＰＣＨを運ぶＰＤＳＣＨが送信されることができる。ＷＴＲＵがＤＣＩを正常に受信した場合、ＷＴＲＵは、ページングを受信するために、ＰＤＳＣＨのＰ回の反復までを受信および／または結合することができる。ＷＴＲＵがページングを正常に受信し、そのページングがＷＴＲＵを意図される（またはＷＴＲＵが、ＷＴＲＵを意図されるページングがページングメッセージに含まれているということを決定した）場合、ＷＴＲＵは、例えばランダムアクセス手順の実行および／または着呼のための接続確立の要求によって、応答することができる。ＷＴＲＵがＤＣＩを正常に受信しなかった場合、ＷＴＲＵは、ＷＴＲＵ用のページングが存在しないと仮定することができ、例えばその次のＰＯまでスリープ状態になることができる。ＷＴＲＵがＤＣＩを正常に受信し、Ｐの値が、ＷＴＲＵがＰＤＳＣＨを受信するために必要であると決定した値よりも小さい場合、ＷＴＲＵは、例えばバッテリ電力を節約するために、ＰＤＳＣＨの受信を試みないことができる。ＷＴＲＵがＤＣＩを正常に受信し、Ｐ回の反復を結合した後にＰＤＳＣＨを正常に受信しなかった場合、ＷＴＲＵは、そのＣＥレベルが、Ｐ回の反復を使用するＣＥレベルよりも高いということを決定し、その情報を次回以降のＰＯで使用するために保存することができる。
【０４２４】
カバレッジ拡張モードにあるＷＴＲＵなどのＷＴＲＵは、ページングＲＮＴＩ（例えばＰ−ＲＮＴＩ、ＰＣＥ−ＲＮＴＩ、または別のＲＮＴＩ）などのＲＮＴＩを使用してマスクされた、またはスクランブルされたＤＣＩを運ぶ（Ｅ）ＰＤＣＣＨを受信することができる。ＤＣＩは、システム情報（例えば１または複数のＳＩＢ）が変化したこと、または変化する予定であることの指示を含むことができる。この指示は、ビットまたはビットフィールドの形態であることができる。この指示は、システム情報が変化したこと、または変化する予定であることを示すために、真の値を持つことができる。この指示は、例えば、値または値タグの形態であることができ、ＷＴＲＵは、その値または値タグを、以前に格納された値または値タグと比較することができる。値または値タグが、以前の値タグまたは格納された値タグと異なる場合、ＷＴＲＵは、１または複数のＳＩＢが変化したこと、または変化する予定であることを理解または推測することができる。ＤＣＩが、システム情報変更に関するまたは関連する指示（例えば正の指示）を含んでいる場合、ＤＣＩに関連付けられたＰＤＳＣＨは存在しないことができ、かつ／またはＷＴＲＵは、ＤＣＩに関連付けられることができるＰＤＳＣＨを受信しないこと、もしくは受信しようと試みないことができる。ＷＴＲＵは、（例えば次のＳＩＢ変更期間の開始後に）１または複数のＳＩＢを受信し、例えば指示が、システム情報が更新されていること、または更新される予定であることを示している場合に、更新されたシステム情報を取得することができる。
【０４２５】
ＤＣＩ（例えばページングおよび／またはシステム情報更新のためのＤＣＩ）が、システム情報変更（例えばシステム情報変更が発生したこと、または発生する予定であること）を肯定的に示している場合、ＤＣＩに関連付けられたＰＤＳＣＨが存在しないことができる。ＤＣＩ（例えばページングおよび／またはシステム情報更新のためのＤＣＩ）が、システム情報変更を（例えば何も）示していないか、またはシステム情報変更がないことを示している場合、ＤＣＩに関連付けられたＰＤＳＣＨが存在することができる。
【０４２６】
１もしくは複数のＷＴＲＵをページングもしくは処理するため、かつ／またはシステム情報が更新されたこと、もしくは更新される予定であることを示すために、ＤＣＩまたはＤＣＩ形式が使用されることができる。この更新は、次のシステム情報変更期間の開始時または開始前に発生することができる。ＤＣＩ形式は、ページングメッセージまたはページング情報を運ぶことができる関連するＰＤＳＣＨと共に、またはそのようなＰＤＳＣＨを伴わずに送信されることができる。ＤＣＩ形式は、関連するＰＣＨまたはＰＤＳＣＨが存在することができるかどうかに関する指示を含むことができる。ＤＣＩ形式が、関連するＰＣＨまたはＰＤＳＣＨが存在しないことを示している場合、ＰＤＳＣＨに関連している１または複数（例えばすべて）のパラメータ（例えばＰＤＳＣＨのスケジューリングパラメータ）はＤＣＩに含まれないことができるか、またはそれらのパラメータは固定値（例えばゼロ）であること、もしくは無視されることができる。ＤＣＩ形式は、ＣＳＳ内にあることができるＰＤＣＣＨまたはＥＰＤＣＣＨによって運ばれることができる。例示および説明の目的で、ＤＣＩおよびＤＣＩ形式は、交換可能なように使用されることができる。システム情報更新（例えばページングメッセージまたはＷＴＲＵ固有のページングメッセージまたはレコードを使用しないシステム情報更新）のＤＣＩ形式は、ページングのため（例えば関連するＰＣＨまたはＰＤＳＣＨを使用するページングのため）のＤＣＩ形式とは別である、または異なることができる。
【０４２７】
ＤＣＩ形式を受信するＷＴＲＵは、ＤＣＩ形式が関連する（例えばページングメッセージを運ぶことができる）ＰＤＳＣＨを示している場合、かつ／またはＤＣＩ形式が関連する（例えばページングメッセージを運ぶことができる）ＰＤＳＣＨを伴うＤＣＩ形式に対応している場合（例えば、それらの場合にのみ）、関連するＰＤＳＣＨを受信すること、または受信しようと試みることができる。
【０４２８】
ＤＣＩ形式は、接続モードおよび／またはアイドルモードにあるＷＴＲＵによる使用が意図されること、またはそのようなＷＴＲＵによって使用されることができる。ＤＣＩ形式は、カバレッジ拡張モードにあるＷＴＲＵおよび／または低減帯域幅ＷＴＲＵであることができるＷＴＲＵによる使用が意図されること、またはそのようなＷＴＲＵによって使用されることができる。ＤＣＩ形式を運ぶことができる制御チャネル（例えばＰＤＣＣＨおよび／またはＥＰＤＣＣＨ）および／またはＤＣＩ形式は、Ｍ−ＳＩ回または最大Ｍ−ＳＩ回反復されることができる。Ｍ−ＳＩの値は、セルによってサポートされる最大ＣＥレベルに対応することができる。Ｍ−ＳＩの値は、カバレッジ拡張モードであることができるＷＴＲＵおよび／または低減帯域幅ＷＴＲＵであることができるＷＴＲＵによる使用が意図されることができる、かつ／またはそのようなＷＴＲＵによって使用されることができるシステム情報（例えばＳＩＢ）などのブロードキャスト信号伝達において提供されることができる。Ｍ−ＳＩの値は、ページングのためであること、および／またはシステム情報更新を示さないことができるＤＣＩに使用されることができる反復の数とは別であること、および／または異なることができる。Ｍ−ＳＩの値は、その接続モードのＷＴＲＵによって必要とされることができる最高のＣＥレベル（または反復の数）に対応するように、ｅＮＢによって選択されることができる。ＷＴＲＵは、最大Ｍ−ＳＩ回の反復を結合して、ＤＣＩ形式を受信すること、または正常に受信することができる。
【０４２９】
ＤＣＩ形式は、１または複数のシステム情報更新指示を含むことができる。システム情報更新指示は、次のうちの１または複数の更新を示すことができる。値タグに関連付けられることができるＳＩＢもしくはシステム情報、ＥＴＷＳに関連付けられることができるＳＩＢもしくはシステム情報、ＣＭＡＳに関連付けられることができるＳＩＢもしくはシステム情報、および／またはＥＡＢパラメータに関連付けられることができるＳＩＢもしくはシステム情報。
【０４３０】
１または複数のシステム情報更新指示（例えば１もしくは複数の正の指示、または、「はい」もしくは「真」に設定された１もしくは複数の指示）を含むことができるＤＣＩ形式のＣＲＣは、システム情報更新指示（例えば正の指示または「はい」もしくは「真」に設定された指示）を含まないことができるＤＣＩ形式のＣＲＣをスクランブルするために使用されることができるＲＮＴＩとは異なることができるＲＮＴＩを使用してスクランブルされることができる。
【０４３１】
アイドルモードのＷＴＲＵおよび接続モードのＷＴＲＵへのシステム情報更新指示のための別のＤＣＩ形式および／またはＲＮＴＩが存在することができる。
【０４３２】
システム情報更新のためのＤＣＩ形式のＲＮＴＩは、ページング（例えばＷＴＲＵ固有のページング）のためのＤＣＩ形式のＲＮＴＩとは異なることができる。別の、または異なるＲＮＴＩが、システム情報更新のため（例えばシステム情報更新のためのみ）に、次のＤＣＩ形式のうちの１または複数に提供されること、および／または使用されることができる。それらは、正のシステム情報更新および（例えば関連するページングＰＤＳＣＨを示す）ページングのためのＤＣＩ形式、ならびに／またはシステム情報更新もしくは正のシステム情報更新のない（例えば関連するページングＰＤＳＣＨを示す）ページングのためのＤＣＩ形式である。ＷＴＲＵは、例えばそのＰＯ内の、またはそのＰＯに従って、ＲＮＴＩの１または複数を監視することができる。
【０４３３】
システム情報更新指示を運ぶことができるＰＤＣＣＨ、ＥＰＤＣＣＨ、および／またはＤＣＩ形式のスケジュールは、ページングメッセージに関連付けられたＰＤＣＣＨ、ＥＰＤＣＣＨ、および／またはＤＣＩ形式のスケジュールとは別であることができる。ＷＴＲＵは、ページングメッセージを監視するために、ＰＣごとにＰＯを決定することができる。ＷＴＲＵは、システム情報更新を監視するために、別のスケジュールを決定すること、および／または使用することができる。システム情報更新のための機会は、システム情報更新機会（ＳＩＵＯ：Ｓｙｓｔｅｍ  Ｉｎｆｏｒｍａｔｉｏｎ  Ｕｐｄａｔｅ  Ｏｃｃａｓｉｏｎｓ）と呼ばれることができる。アイドルモードのＷＴＲＵは、ページングメッセージについて（例えば、ページングメッセージのためのＰＤＣＣＨ、ＥＰＤＣＣＨ、ＤＣＩ形式、および／またはＰＤＳＣＨについて）、そのＰＯを監視することができる。アイドルモードおよび／または接続モードのＷＴＲＵは、システム情報更新について、ＳＩＵＯを監視することができる。アイドルモードのＷＴＲＵのためのＳＩＵＯと接続モードのＷＴＲＵのためのＳＩＵＯは、異なることができる。ＷＴＲＵは、そのＰＯ内のページングのためのＲＮＴＩを監視することができる。ＷＴＲＵは、ＳＩＵＯ内のシステム情報更新のためのＲＮＴＩを監視することができる。ＰＯおよびＳＩＵＯが一致する場合、ＷＴＲＵはページングおよび／またはシステム情報更新のＲＮＴＩを監視することができる。
【０４３４】
システム情報更新指示の受信の後に、ＷＴＲＵは、関連するシステム情報または１または複数のＳＩＢを取得することができる。一部のＳＩＢ（例えば値タグＳＩＢ）の場合、ＷＴＲＵは、次のシステム情報変更期間の開始まで、ＳＩＢの取得を待機することができる。
【０４３５】
ＤＣＩ形式は、ｅＮＢによって送信されること、ならびに／またはＰＤＣＣＨもしくはＥＰＤＣＣＨ内のＷＴＲＵによって受信されることができる。
【０４３６】
システム情報および／またはページング構成は、更新されることができる。ページングのための、かつ／またはページングに関連する構成情報は、ブロードキャスト信号伝達チャネルおよび／またはＳＩＢ（例えばＭＴＣ−ＳＩＢ）などのシステム情報内で（または少なくともそれらに含まれて）運ばれることができる。例えばページングのための構成情報は、ページングメッセージを運ぶことができるＰＤＳＣＨのスケジューリング情報を運ぶために使用されることができる（Ｅ）ＰＤＣＣＨの構成情報を含むことができる。例えばページングのための構成情報は、ページングメッセージを運ぶことができるＰＤＳＣＨのスケジューリング情報を運ぶために使用されることができる（Ｅ）ＰＤＣＣＨの反復の数Ｍを含むことができる。例えばページングのための構成情報は、例えばページングのための（Ｅ）ＰＤＣＣＨおよび／またはＰＤＳＣＨ受信に使用されることができる１または複数のパラメータを含むことができる。構成情報は、ＣＥレベル、最大ＣＥレベル、反復の数、および／または反復の最大数を含むことができるが、これらに限定されない。例えばページングのための構成情報は、ページングメッセージを運ぶことができるＰＤＳＣＨの受信に使用されることができるＰＤＳＣＨ構成および／または１もしくは複数のＰの値を含むことができる。
【０４３７】
ＭＴＣ−ＳＩＢは、ＰＢＣＨまたはＭＩＢが低コストＷＴＲＵおよび／または拡張カバレッジＷＴＲＵのサポートを示している場合に、送信されること、および／または使用されることができる。１または複数のＭＴＣ−ＳＩＢが存在することができる。ＭＴＣ−ＳＩＢは、特定の種類のＷＴＲＵであることができる１または複数のＷＴＲＵを対象にすること、そのようなＷＴＲＵによって受信されること、および／または使用されることができる。その特定の種類は、次のうちの１または複数であることができる：ＭＴＣ−ＷＴＲＵ、ＬＣ−ＭＴＣ−ＷＴＲＵ、低減ＢＷ  ＷＴＲＵ、カバレッジ拡張をサポートするＷＴＲＵ、および／またはカバレッジ拡張モードにあるＷＴＲＵ。
【０４３８】
第１のＭＴＣ−ＳＩＢ（例えばＭＴＣ−ＳＩＢ−０）は、知られた、または決定された時間位置および／または周波数位置内で送信されることができる。時間位置および／または周波数位置は、ＭＩＢ（例えばＳＦＮ、ＤＬシステム帯域幅）および／または物理セルＩＤから取得されたシステムパラメータのうちの少なくとも１または複数に基づいて、例えばＷＴＲＵによって決定されることができる。
【０４３９】
第１のＭＴＣ−ＳＩＢ（例えばＭＴＣ−ＳＩＢ−０）は、システム情報変更の指示（例えばｓｙｓｔｅｍＩｎｆｏＶａｌｕｅＴａｇ）を運ぶことができる。第１のＭＴＣ−ＳＩＢは、第２のＭＴＣ−ＳＩＢ（および／またはその後のＭＴＣ−ＳＩＢ）に関する次の情報のうちの１または複数を運ぶことができる：（ｉ）スケジューリング情報（例えば時間内のスケジュール）、（ｉｉ）ＴＢＳサイズ、（ｉｉｉ）変調指令、（ｉｖ）反復サイクル（または、ＣＥレベルもしくは反復数）、および／または（ｖ）周波数位置。
【０４４０】
第１のＭＴＣ−ＳＩＢは、１または複数のプロパティを含むことができ、例えば第１のＭＴＣ−ＳＩＢは固定ＴＢＳサイズを有することができる。実際のペイロードサイズが固定ＴＢＳサイズよりも小さい場合、ゼロパディングが使用されることができる。第１のＭＴＣ−ＳＩＢは、固定された変調指令を含むことができる。例えば、ＱＰＳＫが使用されることができる。第１のＭＴＣ−ＳＩＢは、その後の（例えば第２の）ＭＴＣ−ＳＩＢに関するシステム情報変更指示およびスケジューリング情報に使用されることができる。例えば、第１のＭＴＣ−ＳＩＢは、その後のＭＴＣ−ＳＩＢに関するシステム情報変更指示およびスケジューリング情報のみに使用されることができる。第１のＭＴＣ−ＳＩＢは、周期的に送信されることができる。
【０４４１】
カバレッジ拡張モードにあるＷＴＲＵのようなＷＴＲＵは、例えばＷＴＲＵが、ページング信号を監視または受信する前に、システム情報が更新されているかどうか、または更新される予定であるかどうかをチェックする必要がある場合に、第１のＭＴＣ−ＳＩＢを受信することができる。第１のＭＴＣ−ＳＩＢが、ＷＴＲＵのＰＯの前にシステム情報が更新されているか、または更新される予定であることを示している場合、ＷＴＲＵはその後の（例えば次のＳＩＢ変更期間の開始後の）ＭＴＣ−ＳＩＢを受信して、例えば少なくともページング構成に関連する、更新されたシステム情報を取得することができる。ＷＴＲＵが、そのＰＯの前にＳＩＢ（例えば、少なくともページングに関連するＳＩＢ）を取得できない場合、ＷＴＲＵは、例えばＳＩＢを正常に受信するまで、ページングのためのそのＰＯの監視をスキップする（例えば、ページングのための（Ｅ）ＰＤＣＣＨの監視をスキップする）ことができる。
【０４４２】
Ｐ−ＲＮＴＩ（例えばレガシーＰ−ＲＮＴＩ）を再利用するための手法が、提供されることができる。例えば、ＣＳＳ内の空間が制限されることがあり、それによってＷＴＲＵ（例えばレガシーＷＴＲＵおよびＣＥモードのＷＴＲＵ）をページングすることが困難になることがある。
【０４４３】
Ｐ−ＲＮＴＩは、例えばカバレッジが制限されたＷＴＲＵおよびカバレッジが制限されないＷＴＲＵをページングする際に重なったり衝突したりすることなく、ＣＥページングおよび非ＣＥページングに使用されることができる。
【０４４４】
ＰＣＨを運ぶことができるＰＤＳＣＨに関連付けられることができるＰＤＣＣＨは、共通検索空間（ＣＳＳ）内で送信されること、および／または受信されることができる。ＷＴＲＵは、ＣＳＳ内でＰ−ＲＮＴＩを監視することができる。
【０４４５】
ＣＥモードのＷＴＲＵのためのＰＤＣＣＨは、Ｍ回反復されることができる。同じＰＤＣＣＨが、Ｍ回のうちの１または複数で、反復されることができる。同じＰＤＣＣＨが、Ｍ回のそれぞれで、反復されることができる。反復のうちの１または複数（例えば、場合によってはすべて）は、同じ場所（例えばＣＳＳ内の同じ場所）に配置されることができる。ＰＤＣＣＨの反復の後に続くことができるギャップＧが存在することができる。対応するＰＤＳＣＨは、ギャップの後に続くことができ、Ｐ回反復されることができる。ＰおよびＭは、同じまたは異なる値であることができる。
【０４４６】
ＰＤＣＣＨは、特定の位置と共に、かつ／または特定のパラメータもしくはプロパティ（例えばＭＣＳなど）と共にＰＣＨを運ぶことができる（例えば現在または将来のサブフレーム内の）１または複数のＰＤＳＣＨを許可すること、または指すことができる。現在のサブフレームは、許可を提供するＰＤＣＣＨと同じサブフレームであることができる。将来のサブフレームは、許可を提供するＰＤＣＣＨのサブフレームの後、またはそのようなサブフレームよりも後のサブフレームであることができる。
【０４４７】
ＰＤＣＣＨが送信されることができるＭ個のサブフレーム内に、対応するＰＤＳＣＨが存在すること、または存在しないことができる。ＣＥモードのＷＴＲＵは、ＰＤＣＣＨのＭ回の反復の後まで、およびそれがＰＤＣＣＨを（例えばＭ回の）ＰＤＣＣＨの反復の結合から正常に受信することができた後まで、ＰＤＳＣＨを検索しないことができる。ただし、非ＣＥモードのＷＴＲＵおよび／またはレガシーＷＴＲＵは、Ｐ−ＲＮＴＩが存在することができるＭ個のサブフレームのうちの１または複数（例えばそれぞれ）において、対応するＰＤＳＣＨを検索することができる。これらのサブフレーム内のＰＤＳＣＨは、非ＣＥモードおよび／またはレガシールールに従って、非ＣＥモードのＷＴＲＵおよび／またはレガシーＷＴＲＵのページングに使用されることができる。これらのサブフレーム内のＰＤＳＣＨ（例えばすべてのＰＤＳＣＨ）は、同じ位置およびパラメータを含むことができる。これらのサブフレーム内のＰＤＳＣＨは、ギャップの後にＣＥモードのＷＴＲＵのためにＰ回反復されることができるＰＤＳＣＨと同じ位置およびパラメータを含むことができる。
【０４４８】
ギャップのサブフレームおよびＣＥモードのＷＴＲＵのためのＰ個のＰＤＳＣＨサブフレーム内で、ＣＥモードのＷＴＲＵは、Ｐ−ＲＮＴＩを検索しないこと、または予測しないことができる。Ｐ−ＲＮＴＩは、これらのサブフレーム内で、非ＣＥモードのＷＴＲＵおよび／またはレガシーＷＴＲＵのために使用されることができる。これらのサブフレーム内のＰ−ＲＮＴＩを使用することができるＰＤＣＣＨは、非ＣＥモードおよび／または従来技術の方法で使用されることができる。それらのサブフレーム内で、Ｐ−ＲＮＴＩを使用することができるＰＤＣＣＨは、サブフレーム間で変化することができ、ＰＤＣＣＨは、異なる位置内にあり、かつ／または異なるパラメータを伴うＰＤＳＣＨを指すことができる。それらのサブフレーム内でＰ−ＲＮＴＩを使用することができるＰＤＣＣＨは、ＣＥモードのＷＴＲＵによって、またはそのようなＷＴＲＵのために使用されることができるＰＤＳＣＨと重なることがある位置で、ＰＤＳＣＨを指さないことができる。
【０４４９】
ＤＲＸサイクルが提供されること、および／または使用されることができる。ＤＲＸサイクルは、ＣＥモードのＷＴＲＵに適していないこと、または十分ではないことがある。ＤＲＸサイクルおよびページングサイクルは、交換可能なように使用されることができる。
【０４５０】
ＣＥモードのＷＴＲＵのためのＤＲＸサイクルまたはページングサイクルは、ＷＴＲＵ固有の信号伝達された値と、従来技術のデフォルト値などのデフォルト値のいずれか長い方であることができる。ＣＥモードのＷＴＲＵのためのＤＲＸサイクルまたはページングサイクルは、ＣＥモードのＤＲＸ値であることができ、このＤＲＸ値はセル固有であることができ、システム情報などのブロードキャスト信号伝達において提供されることができる。ＣＥモードのＷＴＲＵのためのＤＲＸサイクルまたはページングサイクルは、（例えばＣＥモードに固有であることができる）ＷＴＲＵ固有の信号伝達された値と、セル固有の値のいずれか短い方または長い方であることができる。ＣＥモードのＷＴＲＵのためのＤＲＸサイクルまたはページングサイクルは、ＷＴＲＵ  ＩＤおよび／またはＩＭＳＩとは無関係であることができる。
【０４５１】
ＣＥモードのＷＴＲＵのためのＤＲＸサイクルまたはページングサイクルは、デフォルトのＤＲＸサイクルもしくはページングサイクル（例えばその倍数）、レガシーＤＲＸサイクルもしくはページングサイクル（例えばその倍数）、ＣＥレベル、ならびに／またはページングＰＤＣＣＨおよび／もしくはＰＤＳＣＨ（例えばＭおよび／もしくはＰ）および／もしくはそれらの間のギャップ（例えばＧ）の反復の数のうちの１または複数の関数であることができる。
【０４５２】
ページングは、帯域幅が制限されることができるＷＴＲＵに提供されること、および／またはそのようなＷＴＲＵによって使用されることができる。ＷＴＲＵをページングすることができるｅＮＢまたはＷＴＲＵをページングしようとすることができるｅＮＢは、ＷＴＲＵが制限帯域幅ＷＴＲＵであることができることを知ること、または知らないことができ、ＷＴＲＵがページングを受信することができる方法でＷＴＲＵをページングすること、またはページングする必要があることができる。
【０４５３】
制限帯域幅ＷＴＲＵをサポートすることができるｅＮＢは、制限帯域幅ＷＴＲＵが（例えば中央のＮ個のＲＢ（Ｎは６であることができる）などのＮ個のＲＢ内または以内の）ＰＤＳＣＨを受信することができる帯域幅内で、特定のＷＴＲＵ（例えばすべてのＷＴＲＵまたは制限帯域幅ＷＴＲＵ）をページングすること、または常にページングすることができる。
【０４５４】
制限帯域幅ＷＴＲＵであることができるＷＴＲＵなどのＷＴＲＵをページングする場合、例えば、ＰＤＣＣＨが制限帯域幅内に配置されないこと（または、配置されることができないこと）があるため、ｅＮＢは、ページングＰＤＳＣＨ（例えばＰＣＨを運ぶことができるＰＤＳＣＨ）に関連付けられた制御チャネルにＥＰＤＣＣＨを使用することができる。
【０４５５】
ｅＮＢ（例えば、それがページングすること、またはページングしようとすることができるＷＴＲＵが制限帯域幅ＷＴＲＵであり得るかどうかを知ることができないｅＮＢ）は、（例えば制限帯域幅内にないことがある）ＰＤＣＣＨおよび（制限帯域幅内にあることができる）ＥＰＤＣＣＨを使用してＷＴＲＵをページングすることができる。ＰＤＣＣＨおよびＥＰＤＣＣＨは、同じＰＤＳＣＨに関連付けられることができ、ＰＤＣＣＨおよび／またはＥＰＤＣＣＨが提供することができる許可は、特に許可サイズ（例えばＲＢ単位）、許可位置、およびＭＣＳのうちの１または複数などの、少なくとも一部（例えば全部）のパラメータに関して同じであることができる。
【０４５６】
ＰＤＣＣＨは、少なくとも制限帯域幅ＷＴＲＵによって使用されることができるＰ−ＲＮＴＩまたは別のページングＲＮＴＩを使用してマスクされることができる。ＥＰＤＣＣＨは、少なくとも制限帯域幅ＷＴＲＵによって使用されることができるＰ−ＲＮＴＩまたは別のページングＲＮＴＩを使用してマスクされることができる。
【０４５７】
帯域幅が制限されることができるＷＴＲＵは、そのＰＯ内のＥＰＤＣＣＨを監視することができる。ＷＴＲＵが、少なくとも制限ＢＷ  ＷＴＲＵによって使用されることができるＰ−ＲＮＴＩまたは（例えば別の）ページングＲＮＴＩを使用してマスクされることができるＥＰＤＣＣＨを受信する（例えば正常に受信する）ことができる場合、ＷＴＲＵは、ＰＣＨを運ぶことができる関連する（例えば許可された）ＰＤＳＣＨを受信すること、または受信しようと試みることができる。ＰＣＨがＷＴＲＵのページングを含むことができる場合、ＷＴＲＵはそのページングに応答することができる。
【０４５８】
カバレッジが制限されること、および帯域幅が制限されることが両方ともできるＷＴＲＵの場合、ｅＮＢは、カバレッジが制限されることができるＷＴＲＵをページングするための本明細書で開示された例のうちの１または複数を適用することができ、ＰＣＨを運ぶことができるＰＤＳＣＨの反復および／または関連するＥＰＤＣＣＨの反復は、制限帯域幅ＷＴＲＵによって受信されることができる制限帯域幅内に配置されることができる。
【０４５９】
ｅＮＢが、ＷＴＲＵが低減ＢＷであることができるかどうかを知ることができない場合、ｅＮＢは、全帯域幅ＷＴＲＵとしてＷＴＲＵのページングを１または複数回試行することができ、失敗した場合は、次に制限帯域幅ＷＴＲＵとしてＷＴＲＵのページングを試行することができる。
【０４６０】
全帯域幅ＷＴＲＵとしてＷＴＲＵをページングすることは、ＰＤＣＣＨを（例えばＰ−ＲＮＴＩまたは別のページングＲＮＴＩを使用してマスクされることができる）制御チャネルに使用することを含むことができ、その制御チャネルは、ＰＣＨを運ぶことができるＰＤＳＣＨに関連付けられることができる。
【０４６１】
制限帯域幅ＷＴＲＵとしてＷＴＲＵをページングすることは、ＥＰＤＣＣＨを使用すること、および／またはＥＰＤＣＣＨを制限すること、および／または制限帯域幅内の位置にＰＤＳＣＨをページングすることなど、制限帯域幅ＷＴＲＵに関して本明細書で開示された例のうちの１または複数に従ってＷＴＲＵをページングすることを含むことができる。
【０４６２】
ＲＡＲ送信および／または受信のために本明細書に記載された１または複数の例は、例えば、帯域幅が制限されることおよび／またはカバレッジが制限されることができるＷＴＲＵであること、またはそのようなＷＴＲＵを意図されることができるＰＣＨのための、ＰＣＨ送信および／または受信に適用されることができる。
【０４６３】
ｅＮＢは、帯域幅が制限されることおよび／またはカバレッジが制限されることができるＷＴＲＵを、ＰＤＣＣＨまたはＥＰＤＣＣＨなどの制御チャネルを使用することなくページングすることができる。
【０４６４】
ページングＰＤＳＣＨ（例えばＰＣＨを運ぶことができるページングＰＤＳＣＨ）が配置されることができるＰＯおよび／またはＰＦは、（例えば、従来技術のおよび／または新しい計算および／またはパラメータなど、計算および／またはパラメータによって）知られることができる。ページングＰＤＳＣＨに関する許可パラメータが知られる（例えば固定される、または信号伝達される）ことができる。制限帯域幅ＷＴＲＵのためのＰＤＳＣＨをページングする頻度は、全帯域幅ＷＴＲＵのためのＰＤＳＣＨをページングする頻度よりも少ないことができる。
【０４６５】
帯域幅が制限されることおよび／またはカバレッジが制限されることができるＷＴＲＵが意図されることができるＰＣＨを含むことができるサブフレームまたはＰＯ内で、ＷＴＲＵは、知られた位置および／またはパラメータを使用して、ページングＰＤＳＣＨを受信しようと試みることができる。ＷＴＲＵは、ページングＰＤＳＣＨを正常に受信することができるかどうかを、ＰＤＳＣＨのＣＲＣに基づいて決定することができる。ＷＴＲＵが、それが意図されていると決定することができるＰＣＨを正常に受信することができる場合、ＷＴＲＵはページングに応答することができる。
【０４６６】
ＣＥモードであることができるＷＴＲＵの場合、ＷＴＲＵは、同じ位置（例えば少なくとも周波数リソース内）にあることができるページングＰＤＳＣＨの複数の反復を結合することができ、その反復のうちの１または複数（例えばそれぞれ）に対して同じパラメータを使用することができ、その後、ＰＣＨをＰＤＳＣＨから正常に受信しようと試みることができる。ＣＥモードであることができるが、帯域幅が制限されないことができるＷＴＲＵの場合、ＰＤＳＣＨの位置は、制限帯域幅内または以内にあるように制限されないことができる。帯域幅が制限されることができるＷＴＲＵまたは帯域幅が制限されたＷＴＲＵのように振る舞うことができるＷＴＲＵの場合、ＰＤＳＣＨの位置は、制限帯域幅内（または以内に）制限されることができる。
【０４６７】
ＰＤＳＣＨのページングおよび／またはパラメータ（例えばＭＣＳなどのコーディング／デコーディングパラメータ）に使用されることができるＰＤＳＣＨの位置（例えば時間リソースおよび／または周波数リソース）は、ｅＮＢによって専用信号伝達および／またはブロードキャスト信号伝達を使用して（例えばシステム情報内または１もしくは複数のＳＩＢ内で）ＷＴＲＵに信号伝達されることができる。位置（例えば時間リソースおよび／または周波数リソース）および／または特定のパラメータは、（例えば仕様によって）固定されること、または知られることができる。
【０４６８】
本明細書に記載されたプロセスおよび手段は、任意の組み合わせで適用することができ、その他のワイヤレス技術およびその他のサービスに適用することができる。
【０４６９】
ＷＴＲＵは、物理的デバイスの同一性、または加入に関連するユーザの同一性（例えばＭＳＩＳＤＮ、ＳＩＰ  ＵＲＩなど）を参照することができる。ＷＴＲＵは、アプリケーションに基づく同一性（例えば、アプリケーションごとに使用されることができるユーザ名）を参照することができる。
【０４７０】
前述のプロセスは、コンピュータおよび／またはプロセッサによって実行するためにコンピュータ可読媒体に組み込まれたコンピュータプログラム、ソフトウェア、および／またはファームウェア内で実装されることができる。コンピュータ可読媒体の例は、（ワイヤードおよび／またはワイヤレス接続を経由して送信される）電子信号および／またはコンピュータ可読記憶媒体を含むが、これらに限定されない。コンピュータ可読記憶媒体の例は、読み取り専用メモリ（ＲＯＭ）、ランダムアクセスメモリ（ＲＡＭ）、レジスタ、キャッシュメモリ、半導体メモリデバイス、内蔵ハードディスクおよび取り外し可能ディスク、光磁気媒体などの、ただしこれらに限定されない磁気媒体、ならびに／またはＣＤ−ＲＯＭディスクおよび／もしくはデジタル多用途ディスク（ＤＶＤ：Ｄｉｇｉｔａｌ  Ｖｅｒｓａｔｉｌｅ  Ｄｉｓｋｓ）などの光媒体を含むが、これらに限定されない。ソフトウェアに関連するプロセッサは、ＷＴＲＵ、ＵＥ、端末、基地局、ＲＮＣ、および／または任意のホストコンピュータにおいて使用するために、無線周波数トランシーバの実装に使用されることができる。
【図１Ａ】
2017530605.tif 000004
【図１Ｂ】
2017530605.tif 000005
【図１Ｃ】
2017530605.tif 000006
【図１Ｄ】
2017530605.tif 000007
【図１Ｅ】
2017530605.tif 000008
【図２】
2017530605.tif 000009
【図３Ａ】
2017530605.tif 000010
【図３Ｂ】
2017530605.tif 000011
【図４Ａ】
2017530605.tif 000012
【図４Ｂ】
2017530605.tif 000013
【図５】
2017530605.tif 000014
【国際調査報告】
2017530605.tif 000015
2017530605.tif 000016
2017530605.tif 000017